(57)【要約】  システム（１００）においては、端末（１３０）が、他のセルに付随させずに接続可能な第１種別のセルと、第１種別のセルに付随させることで接続可能な第２種別のセルと、を同時に用いた無線通信を行う。基地局（１１０）は、第１セルを形成し、第１セルとは異なる第１種別の第２セルが第１種別のセルであることを報知する報知信号を送信する。端末（１３０）は、基地局（１１０）によって送信された報知信号に基づいて、第２セルを無線通信の第１種別のセルに選択する。
2015155898.tif 000002
【特許請求の範囲】
【請求項１】
他のセルに付随させずに接続可能な第１種別のセルと、前記第１種別のセルに付随させることで接続可能な第２種別のセルと、を同時に用いた無線通信を行う端末と、
第１セルを形成し、前記第１セルと異なる前記第１種別の第２セルの識別情報を含み前記第２セルが前記第１種別のセルであることを報知する報知情報を前記第１セルにより送信する基地局と、
を含み、
前記端末は、前記基地局によって送信された前記報知情報に基づいて、前記第２セルを前記無線通信の前記第１種別のセルに選択する、
ことを特徴とするシステム。
【請求項２】
１つ以上の基地局によって複数の前記第２セルが形成され、
前記端末は、前記報知情報に基づいて前記複数の第２セルを特定し、特定した前記複数の第２セルの前記端末における各無線回線品質の測定結果に基づいて、前記複数の第２セルの中から前記無線通信の前記第１種別のセルを選択する、
ことを特徴とする請求項１に記載のシステム。
【請求項３】
前記基地局は、前記第１セルと異なる前記第２種別の第３セルの識別情報を含み前記第３セルが前記第２種別のセルであることを報知する報知情報を送信することを特徴とする請求項１または２に記載のシステム。
【請求項４】
１つ以上の基地局によって複数の前記第３セルが形成され、
前記基地局は、前記端末に対して前記複数の第３セルの前記端末における各無線回線品質の測定を要求し、前記複数の第３セルのうち少なくとも１つの第３セルを前記端末が接続する第３セルとして通知する、
ことを特徴とする請求項３に記載のシステム。
【請求項５】
１つ以上の基地局によって複数の前記第３セルが形成され、
前記端末は、前記報知情報に基づいて前記複数の第３セルを特定し、特定した前記複数の第３セルの前記端末における各無線回線品質の測定結果に基づいて、前記複数の第３セルの中から前記無線通信の前記第２種別のセルを選択する、
ことを特徴とする請求項３に記載のシステム。
【請求項６】
前記無線通信は、前記第１種別のセルと、前記第１種別のセルに少なくとも一部が含まれる前記第２種別のセルと、を同時に用いた無線通信であることを特徴とする請求項１〜５のいずれか一つに記載のシステム。
【請求項７】
前記無線通信はキャリアアグリゲーションであり、
前記第１種別のセルはプライマリセルであり、
前記第２種別のセルはセカンダリセルである、
ことを特徴とする請求項１〜６のいずれか一つに記載のシステム。
【請求項８】
前記基地局は、前記第２セルを形成することを特徴とする請求項１〜７のいずれか一つに記載のシステム。
【請求項９】
端末が、他のセルに付随させずに接続可能な第１種別のセルと、前記第１種別のセルに付随させることで接続可能な第２種別のセルと、を同時に用いた無線通信を行うシステムにおいて第１セルを形成する基地局であって、
前記第１セルと異なる前記第１種別の第２セルの識別情報を含み前記第２セルが前記第１種別のセルであることを報知する報知情報を生成する生成部と、
前記生成部によって生成された前記報知情報を前記第１セルにより送信する送信部と、
を備えることを特徴とする基地局。
【請求項１０】
他のセルに付随させずに接続可能な第１種別のセルと、前記第１種別のセルに付随させることで接続可能な第２種別のセルと、を同時に用いた無線通信を行う端末であって、
第１セルから、前記第１セルと異なる第２セルの識別情報を含み前記第２セルが前記第１種別のセルであることを報知する報知情報を受信する受信部と、
前記受信部によって受信された前記報知情報に基づいて、前記第２セルを前記無線通信の前記第１種別のセルに選択する制御部と、
を備えることを特徴とする端末。
【請求項１１】
他のセルに付随させずに接続可能な第１種別のセルと、前記第１種別のセルに付随させることで接続可能な第２種別のセルと、を同時に用いた無線通信を行う端末と、
第１セルを形成し、前記第１セルと異なる前記第２種別の第２セルの識別情報を含み前記第２セルが前記第２種別のセルであることを報知する報知情報を前記第１セルにより送信する基地局と、
を含み、
前記端末は、前記基地局によって送信された前記報知情報に基づいて、前記第２セルを前記無線通信の前記第２種別のセルに選択する、
ことを特徴とするシステム。
【請求項１２】
端末が、他のセルに付随させずに接続可能な第１種別のセルと、前記第１種別のセルに付随させることで接続可能な第２種別のセルと、を同時に用いた無線通信を行うシステムにおいて第１セルを形成する基地局であって、
前記第１セルと異なる前記第２種別の第２セルの識別情報を含み前記第２セルが前記第２種別のセルであることを報知する報知情報を生成する生成部と、
前記生成部によって生成された前記報知情報を前記第１セルにより送信する送信部と、
を備えることを特徴とする基地局。
【請求項１３】
他のセルに付随させずに接続可能な第１種別のセルと、前記第１種別のセルに付随させることで接続可能な第２種別のセルと、を同時に用いた無線通信を行う端末であって、
第１セルと異なる第２セルの識別情報を含み前記第２セルが前記第２種別のセルであることを報知する報知情報を前記第１セルから受信する受信部と、
前記受信部によって受信された前記報知情報に基づいて、前記第２セルを前記無線通信の前記第２種別のセルに選択する制御部と、
を備えることを特徴とする端末。
【発明の詳細な説明】
【技術分野】
【０００１】
本発明は、システム、基地局および端末に関する。
【背景技術】
【０００２】
従来、ＬＴＥ（Ｌｏｎｇ  Ｔｅｒｍ  Ｅｖｏｌｕｔｉｏｎ）などの移動体通信システムにおいては、端末が無線品質に基づいて接続するまたは待ち受けする（キャンプする）セル（基地局）を選択するセル選択が行われる（たとえば、下記特許文献１〜４参照。）。また、プライマリセルとセカンダリセルを同時に用いて通信を行うキャリアアグリゲーション（ＣＡ：Ｃａｒｒｉｅｒ  Ａｇｇｒｅｇａｔｉｏｎ）が知られている。
【先行技術文献】
【特許文献】
【０００３】
【特許文献１】特表平７−５０９８２６号公報
【特許文献２】国際公開第２０１１／０８７０２２号
【特許文献３】特開２０１１−１２４７３２号公報
【特許文献４】国際公開第２０１０／１３４２０２号
【発明の概要】
【発明が解決しようとする課題】
【０００４】
しかしながら、上述した従来技術では、端末において、たとえばプライマリセルでの接続や待ち受けに対応していないセルをプライマリセルとして選択するなどの、セルの誤選択が発生する場合がある。【０００５】
１つの側面では、本発明は、セルの誤選択を抑制することができるシステム、基地局および端末を提供することを目的とする。【０００６】
また、別の側面では、本発明は、適切なセルに接続可能なシステム、基地局および端末を提供することを目的とする。【０００７】
また、別の側面では、本発明は、種別の異なるセルに対して適切な種別のセルに接続することができるシステム、基地局および端末を提供することを目的とする。
【課題を解決するための手段】
【０００８】
上述した課題を解決し、目的を達成するため、本発明の一側面によれば、端末が、他のセルに付随させずに接続可能な第１種別のセルと、前記第１種別のセルに付随させることで接続可能な第２種別のセルと、を同時に用いた無線通信を行い、基地局が、第１セルを形成し、前記第１セルと異なる前記第１種別の第２セルの識別情報を含み前記第２セルが前記第１種別のセルであることを報知する報知情報を前記第１セルにより送信し、前記端末が、前記基地局によって送信された前記報知情報に基づいて、前記第２セルを前記無線通信の前記第１種別のセルに選択するシステム、基地局および端末が提案される。【０００９】
また、本発明の別の側面によれば、端末が、他のセルに付随させずに接続可能な第１種別のセルと、前記第１種別のセルに付随させることで接続可能な第２種別のセルと、を同時に用いた無線通信を行い、基地局が、第１セルを形成し、前記第１セルと異なる前記第２種別の第２セルの識別情報を含み前記第２セルが前記第２種別のセルであることを報知する報知情報を前記第１セルにより送信し、前記端末が、前記基地局によって送信された前記報知情報に基づいて、前記第２セルを前記無線通信の前記第２種別のセルに選択するシステム、基地局および端末が提案される。
【発明の効果】
【００１０】
本発明の一側面によれば、セルの誤選択を抑制することができるという効果を奏する。【００１１】
また、別の側面によれば、適切なセルに接続できるという効果を奏する。【００１２】
また、別の側面によれば、種別の異なるセルに対して適切なセルに接続できるという効果を奏する。
【図面の簡単な説明】
【００１３】
【図１Ａ】図１Ａは、実施の形態１にかかるシステムの一例を示す図である。
【図１Ｂ】図１Ｂは、図１Ａに示したシステムにおける信号の流れの一例を示す図である。
【図１Ｃ】図１Ｃは、実施の形態１にかかるシステムの変形例を示す図である。
【図１Ｄ】図１Ｄは、図１Ｃに示したシステムにおける信号の流れの一例を示す図である。
【図２】図２は、実施の形態２にかかる通信システムの一例を示す図である。
【図３Ａ】図３Ａは、キャリアアグリゲーションの例１を示す図である。
【図３Ｂ】図３Ｂは、キャリアアグリゲーションの例２を示す図である。
【図３Ｃ】図３Ｃは、キャリアアグリゲーションの例３を示す図である。
【図４Ａ】図４Ａは、ＰセルおよびＳセルの例１を示す図である。
【図４Ｂ】図４Ｂは、ＰセルおよびＳセルの例２を示す図である。
【図４Ｃ】図４Ｃは、ＰセルおよびＳセルの例３を示す図である。
【図５Ａ】図５Ａは、階層化セル構成の一例を示す図である。
【図５Ｂ】図５Ｂは、階層化セル構成におけるキャリアアグリゲーションの一例を示す図である。
【図６Ａ】図６Ａは、Ｓセルとなる基地局の例１を示す図である。
【図６Ｂ】図６Ｂは、Ｓセルとなる基地局の例２を示す図である。
【図６Ｃ】図６Ｃは、Ｓセルとなる基地局の例３を示す図である。
【図７Ａ】図７Ａは、競合ベースのランダムアクセスの一例を示す図である。
【図７Ｂ】図７Ｂは、非競合ベースのランダムアクセスの一例を示す図である。
【図８Ａ】図８Ａは、基地局の一例を示す図である。
【図８Ｂ】図８Ｂは、図８Ａに示した基地局における信号の流れの一例を示す図である。
【図８Ｃ】図８Ｃは、基地局のハードウェア構成の一例を示す図である。
【図９Ａ】図９Ａは、端末の一例を示す図である。
【図９Ｂ】図９Ｂは、図９Ａに示した端末における信号の流れの一例を示す図である。
【図９Ｃ】図９Ｃは、端末のハードウェア構成の一例を示す図である。
【図１０】図１０は、端末によるＰセル接続処理の一例を示すフローチャートである。
【図１１】図１１は、端末によるＳセル接続処理の一例を示すフローチャートである。
【図１２】図１２は、基地局（Ｐセル）によるＳセル選択処理の一例を示すフローチャートである。
【図１３】図１３は、端末によるＳセル接続処理の変形例を示すフローチャートである。
【図１４】図１４は、基地局（Ｐセル）によるＳセル選択処理の変形例を示すフローチャートである。
【図１５】図１５は、隣接セルリストの一例を示す図である。
【図１６】図１６は、隣接セルリストの変形例１を示す図である。
【図１７】図１７は、隣接セルリストの変形例２を示す図である。
【発明を実施するための形態】
【００１４】
以下に図面を参照して、本発明にかかるシステム、基地局および端末の実施の形態を詳細に説明する。
【００１５】
（実施の形態１）
（実施の形態１にかかるシステム）
図１Ａは、実施の形態１にかかるシステムの一例を示す図である。図１Ｂは、図１Ａに示したシステムにおける信号の流れの一例を示す図である。図１Ａ，図１Ｂに示すように、実施の形態１にかかるシステム１００は、基地局１１０と、基地局１２０と、端末１３０と、を含む。
【００１６】
システム１００においては、端末１３０が、第１種別のセルと、第２種別のセルと、を同時に用いた無線通信を行う。この無線通信は、一例としてはキャリアアグリゲーションのように複数のセル（または帯域）を同時に用いる通信である。第１種別のセルは、他のセルに付随させずに単独で接続可能なセルである。第２種別のセルは、第１種別のセルに付随させることで接続可能であり、単独では接続不可なセルである。
【００１７】
基地局１１０は、第１セルを形成する第１基地局である。第１セルは、第１種別のセルであってもよいし、第２種別のセルであってもよい。基地局１１０は、生成部１１１と、送信部１１２と、を備える。
【００１８】
生成部１１１は、基地局１１０が形成する第１セルと異なる第１種別の第２セルについて、第２セルの識別情報を含み、第２セルが第１種別のセルであることを報知する報知情報を生成する。第２セルは、たとえば、第１セルの周辺のセル（隣接セル）である。第２セルは、図１Ａ，図１Ｂに示す例では、基地局１２０が形成するセルである。
【００１９】
たとえば、生成部１１１は、第２セルが第１種別のセルであることを示すセル情報に基づいて報知情報を生成する。セル情報は、たとえば、基地局１２０から受信することによって取得することができる。また、セル情報は、基地局１１０，１２０を管理する上位装置から受信することによって取得してもよい。また、セル情報は、基地局１１０のメモリに記憶されていてもよく、この場合は、基地局１１０のメモリから取得することができる。生成部１１１は、生成した報知情報を送信部１１２へ出力する。
【００２０】
送信部１１２は、生成部１１１から出力された報知情報を、基地局１１０が形成する第１セルによって送信する。たとえば、送信部１１２は、第１セルの周辺のセルを示す隣接セルリストに、生成部１１１から出力された報知情報を格納し、報知情報を格納した隣接セルリストを第１セル内に報知する。
【００２１】
基地局１２０は、たとえば基地局１１０と異なる第２基地局である。基地局１２０は、第１種別の第２セルを形成する。
【００２２】
端末１３０は、受信部１３１と、制御部１３２と、を備える。受信部１３１は、基地局１１０から送信された報知情報を受信する。そして、受信部１３１は、受信した報知情報を制御部１３２へ出力する。
【００２３】
制御部１３２は、受信部１３１から出力された報知情報に基づいて、基地局１２０が形成する第２セルを無線通信の第１種別のセルに選択し、端末１３０の第２セルへの接続を制御する。また、制御部１３２は、接続した第２セルを第１種別のセルに用いて上述した無線通信を行う。
【００２４】
このように、実施の形態１にかかる基地局１１０は、形成する第１セルとは異なる第１種別の第２セルが、他のセルに付随させずに接続可能な第１種別のセルであることを報知する報知情報を送信する。これにより、端末１３０は、第２セルが第１種別のセルであることを確認し、第１種別のセルに第２セルを選択して接続することができる。このため、たとえば単独では接続不可なセルを第１種別として選択するなどの、端末１３０における第１種別のセルの誤選択を抑制することができる。
【００２５】
セルの誤選択を抑制することで、たとえば接続の失敗を抑制し、通信の効率化を図ることができる。たとえば、セル再選択やハンドオーバ処理などの発生を抑制し、伝送速度の低下を防止することができる。
【００２６】
＜各基地局の関係＞
基地局１１０が第１セルを形成し、基地局１１０と異なる基地局１２０が第２セルを形成する場合について説明したが、基地局１２０は基地局１１０と同一の基地局であってもよい。すなわち、たとえば基地局１１０が第１セルおよび第２セルを形成するようにしてもよい。
【００２７】
＜無線通信＞
上述した無線通信は、たとえば、第１種別のセルと、第１種別のセルに含まれ第１種別のセルより小さい第２種別のセルと、を同時に用いた無線通信とすることができる。ただし、上述した無線通信はこれに限らず、第１種別のセルと、第１種別のセルを含み第１種別のセルより大きい第２種別のセルと、を同時に用いた無線通信としてもよい。すなわち、セルの大小に関わらず、第１種別のセルと第２種別のセルと、を同時に用いた無線通信としてもよい。また、基地局１１０が、基地局１２０のセルに対して少なくとも一部が重なるようなセルを形成する基地局であってもよい。
【００２８】
＜第１種別のセルおよび第２種別のセル＞
一例として、システム１００をＬＴＥシステムに適用する場合は、上述した第１種別のセルをたとえばプライマリセル（または第１のセル、ファーストセル、第１の帯域、主帯域、主セル（プライマリセル、マスタセル）など）とすることができる。また、第２種別のセルをたとえばセカンダリセル（または第２のセル、第２の帯域、副帯域、副セル、従属セル、拡張帯域、拡張セルなど）とすることができる。
【００２９】
なお、あるセルが第１種別のセルであり、かつ第２種別のセルであってもよい。また、あるセルが、ある端末に対しては第１種別であり、別なある端末に対しては第２種別のセルであってもよい。
【００３０】
＜無線回線品質に基づく第１種別のセルの選択＞
また、端末１３０が接続可能な第１種別の第２セルが複数ある場合について説明する。複数の第２セルは、１つの基地局１２０または２つ以上の基地局１２０によって形成される。この場合に、端末１３０は、基地局１１０や他の基地局から送信された報知情報に基づいて、複数の第２セルを特定し、特定した複数の第２セルの端末１３０における各無線回線品質を測定する。なお、報知情報は、端末１３０が事前に受信し記憶していたものでもよいし、セル選択時に受信したものでもよい。
【００３１】
そして、端末１３０は、各無線品質の測定結果に基づいて、複数の第２セルの中から無線通信の第１種別のセルを選択する。これにより、複数の第２セルのうちの無線品質が良好なセルを無線通信の第１種別のセルに選択し、通信品質の向上を図ることができる。
【００３２】
＜端末による第２種別のセルの選択＞
たとえば、基地局１１０は、基地局１１０が形成する第１セルと異なる第２種別の第３セルについて、第３の識別情報を含み、第３セルが第２種別のセルであることを報知する報知情報を送信してもよい。第３セルは、基地局１１０または基地局１２０が形成するセルであってもよいし、他の基地局が形成するセルであってもよい。
【００３３】
この場合に、端末１３０は、基地局１１０から送信された報知情報に基づいて第３セルを無線通信の第２種別のセルに選択し、端末１３０の第３セルへの接続を制御する。そして、端末１３０は、接続した第２セルおよび第３セルを同時に用いて上述した無線通信を行う。ただし、端末１３０における第２種別のセルは、たとえば基地局１２０などの基地局によって行うようにしてもよい。
【００３４】
図１Ｃは、実施の形態１にかかるシステムの変形例を示す図である。図１Ｄは、図１Ｃに示したシステムにおける信号の流れの一例を示す図である。図１Ｃ，図１Ｄにおいて、図１Ａ，図１Ｂに示した部分と同様の部分については同一の符号を付して説明を省略する。図１Ｃ，図１Ｄに示すように、基地局１２０は第２種別の第２セルを形成してもよい。
【００３５】
この場合に、基地局１１０の生成部１１１は、基地局１１０が形成する第１セルと異なる第２種別の第２セルについて、第２セルの識別情報を含み、第２セルが第２種別のセルであることを報知する報知情報を生成する。
【００３６】
端末１３０の制御部１３２は、受信部１３１から出力された報知情報に基づいて、基地局１２０が形成する第２セルを無線通信の第２種別のセルに選択し、端末１３０の第２セルへの接続を制御する。また、制御部１３２は、接続した第２セルを第２種別のセルに用いて上述した無線通信を行う。
【００３７】
このように、実施の形態１にかかる基地局１１０は、形成する第１セルとは異なる第２種別の第２セルが、他のセルに付随させることで接続可能な第２種別のセルであることを報知する報知情報を送信してもよい。これにより、端末１３０は、第２セルが第２種別のセルであることを確認し、第２種別のセルに第２セルを選択して接続することができる。このため、第１種別のセルを第２種別のセルとして選択するなどの、端末１３０における第２種別のセルの誤選択を抑制することができる。また、適切なセルに接続できる。更に、種別の異なるセルに対して適切な種別のセルに接続できる。
【００３８】
セルの誤選択を抑制することで、たとえば接続の失敗を抑制し、通信の効率化を図ることができる。たとえば、端末１３０および基地局１１０，１２０におけるセル再選択やハンドオーバ処理などの発生を抑制し、伝送速度の低下を防止することができる。また、伝送速度を改善できる。
【００３９】
（実施の形態２）
たとえば、現在、３ＧＰＰ（３ｒｄ  Ｇｅｎｅｒａｔｉｏｎ  Ｐａｒｔｎｅｒｓｈｉｐ  Ｐｒｏｊｅｃｔ）において、ＬＴＥシステムおよびＬＴＥ−Ａｄｖａｎｃｅｄシステムの仕様が検討されている。ＬＴＥシステムはＬＴＥリリース８として仕様が策定されている。さらに、現在、ＬＴＥシステムの発展形であるＬＴＥ−Ａｄｖａｎｃｅｄシステムが検討されており、ＬＴＥ−Ａｄｖａｎｃｅｄシステムの初版の仕様書がＬＴＥリリース１０として作成された。さらに、３ＧＰＰにおいて、ＬＴＥリリース１０の後継となるＬＴＥリリース１２などが検討されている。
【００４０】
（実施の形態２にかかる通信システム）
図２は、実施の形態２にかかる通信システムの一例を示す図である。図２に示すように、実施の形態２にかかる通信システム２００は、ＭＭＥ／Ｓ−ＧＷ２１１，２１２と、基地局２２１〜２２３（ｅＮＢ）と、を含むＬＴＥシステム−Ａｄｖａｎｃｅｄ（ＬＴＥリリース１０）である。また、通信システム２００は、基地局２２１〜２２３との間で無線通信を行うＵＥ（Ｕｓｅｒ  Ｅｑｕｉｐｍｅｎｔ：ユーザ端末）を含んでもよい。
【００４１】
ＭＭＥ／Ｓ−ＧＷ２１１，２１２のそれぞれは、ＬＴＥシステムにおけるＭＭＥ（Ｍｏｂｉｌｉｔｙ  Ｍａｎａｇｅｍｅｎｔ  Ｅｎｔｉｔｙ）およびＳ−ＧＷ（Ｓｅｒｖｉｎｇ  Ｇａｔｅｗａｙ）の機能を備える。また、ＭＭＥ／Ｓ−ＧＷ２１１は、基地局２２１，２２２とＳ１インタフェースによって接続されている。また、ＭＭＥ／Ｓ−ＧＷ２１２は、基地局２２２，２２３とＳ１インタフェースによって接続されている。
【００４２】
基地局２２１〜２２３のそれぞれは、ＬＴＥシステムのＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のＮｏｄｅＢである。基地局２２１〜２２３は、基地局間インタフェースであるＸ２インタフェースによって互いに接続されている。また、基地局２２１〜２２３のそれぞれは、無線通信によってＵＥとの間で音声通信を行う。ＵＥのそれぞれは、携帯電話などの移動端末（移動局）である。
【００４３】
以下、図２に示した通信システム２００を例として説明する。ただし、本願発明は、図２に示した通信システム２００に限らず、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）システム、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）システムなどの各種の移動体通信システムに適用することができる。なお、ＧＳＭは登録商標である。
【００４４】
＜キャリアアグリゲーション＞
ＬＴＥ−Ａｄｖａｎｃｅｄシステムの特徴の一つである帯域幅の拡大を実現する方法について説明する。ＬＴＥシステムでは、上り／下り帯域幅を、１．４［ＭＨｚ］、３［ＭＨｚ］、５［ＭＨｚ］、１０［ＭＨｚ］、１５［ＭＨｚ］、２０［ＭＨｚ］と設定することが可能である。これらは、たとえば３ＧＰＰのＴＳ３６．１０１およびＴＳ３６．１０４などで規定されている。
【００４５】
また、これらの設定された帯域はコンポーネントキャリア（ＣＣ：Ｃｏｍｐｏｎｅｎｔ  Ｃａｒｒｉｅｒ）と呼ばれている。複数の帯域幅が設定されている理由は、ＧＳＭシステムやＷ−ＣＤＭＡシステムに対して割り当てられた帯域幅をそのまま使用することを前提としているためである。
【００４６】
一方で、ＬＴＥシステムにおいては、ＧＳＭシステムやＷ−ＣＤＭＡシステムと比較して高速伝送を実現することが求められている。よって、ＧＳＭシステムやＷ−ＣＤＭＡシステムと比較して、ＬＴＥシステムは帯域幅が広帯域であることが求められる。
【００４７】
一般的に、無線通信システムで使用する帯域は、国ごとの事情により異なる。また、欧州では、陸続きで他国と隣接しているため干渉を考慮することが求められ、各国間で使用周波数帯域が調整されている。この結果、使用できる帯域幅は減少し、細切れとなっている。一方で、上述のように、ＬＴＥシステムは帯域幅が広帯域であることが求められる。
【００４８】
そこで、狭くかつ細切れになっている帯域を統合して広帯域化する方法として、キャリアアグリゲーションが導入されることとなった。キャリアアグリゲーションを実施する際は、端末ごとに主となるセルが設定される。この主となるセルは、第１のセル、プライマリセル（Ｐｒｉｍａｒｙ  Ｃｅｌｌ）、ファーストセル（Ｆｉｒｓｔ  Ｃｅｌｌ）、第１の帯域（Ｆｉｒｓｔ  Ｂａｎｄ）、主帯域（Ｐｒｉｍａｒｙ  Ｂａｎｄ）、主セルなどと呼ばれる。以下、この主となるセルをＰセルと称する。上述した第１種別のセルは、たとえばＰセルである。
【００４９】
なお、セルとコンポーネントキャリア（帯域）は、本来意味合いが異なるが、３ＧＰＰにおけるセルの定義は「一つの周波数を用いて一つのサービスエリアを構成するもの」となっている。よって、コンポーネントキャリアに対して一つのセルが構成されると定義され、セルとコンポーネントキャリアは１対１の対応となるため、セルとコンポーネントキャリアを同義として扱うことができる。また、１つの基地局は１つの帯域のみであることから、基地局とコンポーネントキャリアも同義として扱うこともできる。
【００５０】
キャリアアグリゲーションにおいては、設定されたＰセルに対して別のセル（帯域）が追加、統合される。この追加されるセルは、第２のセル、セカンダリセル（Ｓｅｃｏｎｄａｒｙ  Ｃｅｌｌ）、第２の帯域（Ｓｅｃｏｎｄａｒｙ  Ｂａｎｄ）、副帯域（Ｓｕｂ  Ｂａｎｄ）、副セル、拡張帯域、拡張セルなどと呼ばれる。以下、この追加されるセルをＳセルと称する。Ｐセルと同様にＳセルとコンポーネントキャリアは同義である。上述した第２種別のセルは、たとえばＳセルである。
【００５１】
なお、これらのセルは、１つのシステムの帯域を分割したものではあるが、それぞれの帯域においてスケジューリングを実施することが可能であり、１つのシステムを構成することができるものである。このため、これらのセルは、たとえばＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：直交周波数分割多重アクセス）においてユーザ多重を実施するために複数のサブキャリアをまとめたブロック（またはクラスタ）を構成するものとは異なる。言い換えれば１つの帯域が１つの無線通信システムとして動作するものとも解釈できる。
【００５２】
キャリアアグリゲーションにおいては、たとえばＳセルは最大で７つまで設定可能である。すなわち、Ｐセルと合わせて最大で８つのコンポーネントキャリアを用いてキャリアアグリゲーションが可能である。なお、ＬＴＥ−Ａｄｖａｎｃｅｄシステムでは、最大で１００［ＭＨｚ］の帯域幅が想定されている。このため、１つのコンポーネントキャリアの帯域幅が２０［ＭＨｚ］の場合は、Ｓセルは最大で４つであり、ＰセルとＳセルとを合わせて最大で５つのコンポーネントキャリアを用いたキャリアアグリゲーションが可能である。
【００５３】
すなわち、キャリアアグリゲーションは、Ｐセルと少なくとも一つのＳセルを統合するものである（たとえば図３Ａ〜図３Ｃ参照）。以下、説明の簡略化のために、１つの端末において、２つのコンポーネントキャリア（すなわちＰセルとＳセルを１つずつ）でキャリアアグリゲーションを実施する場合について説明する（図４Ｃなどを除く）。ただし、２つ目以降のＳセルを追加していくことで、３つ以上のコンポーネントキャリアでキャリアアグリゲーションを実施することもできる（たとえば図４Ｃなどを参照）。
【００５４】
（キャリアアグリゲーションの例）
図３Ａは、キャリアアグリゲーションの例１を示す図である。図３Ａに示す帯域３１０は、システム帯域に含まれる３．５［ＧＨｚ］帯の周波数帯域である。帯域３１０の帯域幅は８０［ＭＨｚ］である。帯域３１０には、たとえばコンポーネントキャリアＣＣ２〜ＣＣ５が含まれる。コンポーネントキャリアＣＣ２〜ＣＣ５の帯域幅はそれぞれ２０［ＭＨｚ］である。
【００５５】
キャリアアグリゲーションにおいては、たとえば、図３Ａに示すように、コンポーネントキャリアＣＣ２，ＣＣ３を統合して用いることができる。このように、キャリアアグリゲーションにおいては、たとえば互いに隣接する各コンポーネントキャリアを統合して用いることができる。
【００５６】
図３Ｂは、キャリアアグリゲーションの例２を示す図である。図３Ｂにおいて、図３Ａに示した部分と同様の部分については同一の符号を付して説明を省略する。キャリアアグリゲーションにおいては、たとえば、図３Ｂに示すように、コンポーネントキャリアＣＣ２，ＣＣ４を統合して用いることもできる。このように、キャリアアグリゲーションにおいては、互いに隣接しない各コンポーネントキャリアを統合して用いることもできる。
【００５７】
図３Ｃは、キャリアアグリゲーションの例３を示す図である。図３Ｃにおいて、図３Ａに示した部分と同様の部分については同一の符号を付して説明を省略する。図３Ｃに示す帯域３２０は、システム帯域に含まれる２［ＧＨｚ］帯の周波数帯域である。帯域３２０には、たとえばコンポーネントキャリアＣＣ１が含まれる。コンポーネントキャリアＣＣ１の帯域幅は２０［ＭＨｚ］である。
【００５８】
キャリアアグリゲーションにおいては、たとえば、図３Ｃに示すように、それぞれ帯域３１０，３２０に含まれるコンポーネントキャリアＣＣ１，ＣＣ２を統合して用いることもできる。このように、キャリアアグリゲーションにおいては、異なる周波数帯の各コンポーネントキャリアを統合して用いることもできる。ここでは２つの周波数帯を統合して用いる場合について説明したが、３つ以上の周波数帯を統合して用いてもよい。
【００５９】
（ＰセルおよびＳセルの例）
図４Ａは、ＰセルおよびＳセルの例１を示す図である。図４Ａにおいて、図３Ａに示した部分と同様の部分については同一の符号を付して説明を省略する。図４Ａは、キャリアアグリゲーションにおいて、コンポーネントキャリアＣＣ２をＰセルとして選択し、コンポーネントキャリアＣＣ３をＳセルとして選択することで広帯域化が図られる場合を示している。また、図４Ａに示す例では、コンポーネントキャリアＣＣ２，ＣＣ３のそれぞれには、制御ＣＨであるＰＤＣＣＨ（Ｐｈｙｓｉｃａｌ  Ｄｏｗｎｌｉｎｋ  Ｃｏｎｔｒｏｌ  ＣＨａｎｎｅｌ：物理下りリンク制御チャネル）およびデータＣＨであるＰＤＳＣＨ（Ｐｈｙｓｉｃａｌ  Ｄｏｗｎｌｉｎｋ  Ｓｈａｒｅｄ  ＣＨａｎｎｅｌ：物理下りリンク共有チャネル）が含まれている。
【００６０】
この場合は、コンポーネントキャリアＣＣ２，ＣＣ３がともにスケジューリングセル（サービングセル）となる。すなわち、コンポーネントキャリアＣＣ２，ＣＣ３のそれぞれにおいて、スケジューリングが行われ、スケジューリングに関する制御信号がＰＤＣＣＨによって伝送される。スケジューリングに関する制御信号には、たとえば、端末の選択、使用する無線リソース、変調方式および符号化率などが含まれる。なお、トランスポートチャネルとしての下り制御チャネルには、たとえばＤＣＣＨ（Ｄｏｗｎｌｉｎｋ  Ｃｏｎｔｒｏｌ  ＣＨａｎｎｅｌ：下りリンク制御チャネル）が用いられる。
【００６１】
図４Ａに示した例においては、たとえばＷ−ＣＤＭＡのＨＳＤＰＡ（Ｈｉｇｈ  Ｓｐｅｅｄ  Ｄｏｗｎｌｉｎｋ  Ｐａｃｋｅｔ  Ａｃｃｅｓｓ）と同様に、各セルにおいて、データ伝送のための下り無線共有チャネルと下り無線制御チャネルを用いたデータ伝送が実施される。下り無線共有チャネルは、たとえばＰＤＳＣＨである。下り無線制御チャネルは、たとえばＥ−ＰＤＣＣＨ（Ｅｎｈａｎｃｅｄ−Ｐｈｙｓｉｃａｌ  Ｄｏｗｎｌｉｎｋ  Ｃｏｎｔｒｏｌ  ＣＨａｎｎｅｌ：拡張物理下りリンク制御チャネル）である。ここで、データとは、端末個別のデータを意味する。端末個別のデータはユーザデータ（Ｕｓｅｒ  Ｄａｔａ）または個別データ（Ｄｅｄｉｃａｔｅｄ  Ｄａｔａ）である。
【００６２】
図４Ｂは、ＰセルおよびＳセルの例２を示す図である。図４Ｂにおいて、図４Ａに示した部分と同様の部分については同一の符号を付して説明を省略する。図４Ｂに示す例では、コンポーネントキャリアＣＣ３のＰＤＳＣＨのためのＰＤＣＣＨがコンポーネントキャリアＣＣ２に含まれている。この場合は、コンポーネントキャリアＣＣ２がスケジューリングセルとなり、コンポーネントキャリアＣＣ３はノンスケジューリングセル（またはノンサービングセル）となる。
【００６３】
すなわち、コンポーネントキャリアＣＣ２においては、コンポーネントキャリアＣＣ２に加えてコンポーネントキャリアＣＣ３のスケジューリングが行われる。そして、コンポーネントキャリアＣＣ２，ＣＣ３に関する各制御信号がコンポーネントキャリアＣＣ２のＰＤＣＣＨによって伝送される。また、このとき、コンポーネントキャリアＣＣ２，ＣＣ３のうちのいずれの制御信号であるかを示す情報も各制御信号に付加されて伝送される。
【００６４】
また、コンポーネントキャリアＣＣ３においてはスケジューリングが行われない。そして、コンポーネントキャリアＣＣ３のＰＤＳＣＨは、コンポーネントキャリアＣＣ２のＰＤＣＣＨによって伝送される制御信号に基づいて伝送される。
【００６５】
図４Ｂに示したスケジューリングおよび制御信号の伝送の方法は、クロスキャリアスケジューリング（Ｃｒｏｓｓ  Ｃａｒｒｉｅｒ  Ｓｃｈｅｄｕｌｉｎｇ）と呼ばれている。クロスキャリアスケジューリングにおいて、スケジューリングセルは、ＰセルまたはＳセルであり、ノンスケジューリングセルはＳセルのみである。すなわち、Ｐセルはスケジューリングセルにしかならない。
【００６６】
図４Ｂに示した例について、下りデータ伝送を例として説明する。スケジューリングセル（たとえばＰセル）において、スケジューリングセルのデータ伝送のための制御信号が、下り無線制御チャネル（ＰＤＣＣＨ）を用いて伝送される。また、スケジューリングセルにおいて、上述した下り無線制御チャネルで伝送される制御情報に基づいて、下り無線共有チャネル（ＰＤＳＣＨ）を用いてデータが伝送される。
【００６７】
ノンスケジューリングセルでのデータ伝送のための制御信号は、スケジューリングセルの下り無線制御チャネル（ＰＤＣＣＨ）を用いて伝送される。ノンスケジューリングセルにおいて、上述した下り無線制御チャネルで伝送されるノンスケジューリングセルのデータ伝送のための制御情報に基づいて、下り無線共有チャネル（ＰＤＳＣＨ）を用いてデータが伝送される。
【００６８】
図４Ｃは、ＰセルおよびＳセルの例３を示す図である。図４Ｃにおいて、図４Ａに示した部分と同様の部分については同一の符号を付して説明を省略する。図４Ｃに示すコンポーネントキャリアＣＣ５は、コンポーネントキャリアＣＣ４に対して高周波数側に隣接するコンポーネントキャリアである。図４Ｃは、キャリアアグリゲーションにおいて、コンポーネントキャリアＣＣ２がＰセルとして選択され、コンポーネントキャリアＣＣ３〜ＣＣ５がＳセルとして選択されている場合を示している。
【００６９】
また、図４Ｃに示す例では、コンポーネントキャリアＣＣ３のＰＤＳＣＨのためのＰＤＣＣＨがコンポーネントキャリアＣＣ２に含まれている。また、図４Ｃに示す例では、コンポーネントキャリアＣＣ５のＰＤＳＣＨのためのＰＤＣＣＨがコンポーネントキャリアＣＣ４に含まれている。
【００７０】
この場合は、コンポーネントキャリアＣＣ２，ＣＣ４がスケジューリングセルとなり、コンポーネントキャリアＣＣ３，ＣＣ５はノンスケジューリングセルとなる。すなわち、コンポーネントキャリアＣＣ２においては、コンポーネントキャリアＣＣ２に加えてコンポーネントキャリアＣＣ３のスケジューリングが行われる。そして、コンポーネントキャリアＣＣ２，ＣＣ３に関する各制御信号がコンポーネントキャリアＣＣ２のＰＤＣＣＨによって伝送される。また、このとき、コンポーネントキャリアＣＣ２，ＣＣ３のうちのいずれの制御信号であるかを示す情報も付加されて伝送される。
【００７１】
また、コンポーネントキャリアＣＣ３においてはスケジューリングが行われず、コンポーネントキャリアＣＣ３のＰＤＳＣＨは、コンポーネントキャリアＣＣ２のＰＤＣＣＨによって伝送される制御信号に基づいて伝送される。
【００７２】
同様に、コンポーネントキャリアＣＣ４においては、コンポーネントキャリアＣＣ４に加えてコンポーネントキャリアＣＣ５のスケジューリングが行われる。そして、コンポーネントキャリアＣＣ４，ＣＣ５に関する各制御信号がコンポーネントキャリアＣＣ４のＰＤＣＣＨによって伝送される。また、このとき、コンポーネントキャリアＣＣ４，ＣＣ５のうちのいずれの制御信号であるかを示す情報も付加されて伝送される。
【００７３】
また、コンポーネントキャリアＣＣ５においてはスケジューリングが行われず、コンポーネントキャリアＣＣ５のＰＤＳＣＨは、コンポーネントキャリアＣＣ４のＰＤＣＣＨによって伝送される制御信号に基づいて伝送される。
【００７４】
図４Ｃに示したように、Ｐセルに対してＳセルが２つ以上あってもよい。また、図４Ｃに示したように、すべてのＳセルに対してクロスキャリアスケジューリングを適用しなくてもよい。すなわち、セルが複数ある場合、あるＳセルに対してクロスキャリアスケジューリングを適用し、他のＳセルには適用しないようにすることも可能である。また、図４Ｃに示したように、Ｐセルと同様にＳセルにおいても、他のコンポーネントキャリアのための下り制御チャネル（ＰＤＣＣＨ）を伝送するようにしてもよい。
【００７５】
図４Ｂ，図４Ｃに示したように、クロスキャリアスケジューリングを行う場合のスケジューリングセルにおいては少なくとも３つの無線チャネル（２つのＰＤＣＣＨおよび１つのＰＤＳＣＨ）が下り伝送される。また、これらの他にも、たとえばＰＢＣＨ（Ｐｈｙｓｉｃａｌ  Ｂｒｏａｄｃａｓｔ  ＣＨａｎｎｅｌ：無線報知チャネル）、ＰＳＣＨ（Ｐｈｙｓｉｃａｌ  Ｓｙｎｃｈｒｏｎｉｚａｔｉｏｎ  ＣＨａｎｎｅｌ：無線同期チャネル）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ：無線制御フォーマットインジケータチャネル）、ＰＨＩＣＨ（Ｐｈｙｓｉｃａｌ  Ｈｙｂｒｉｄ−ＡＲＱ  Ｉｎｄｉｃａｔｏｒ  ＣＨａｎｎｅｌ：無線Ｈ−ＡＲＱインジケータチャネル）などが伝送されてもよい。
【００７６】
一方、ノンスケジューリングセルにおいては、少なくとも１つの無線チャネル（ＰＤＳＣＨ）が下り伝送される。
【００７７】
ここで、ある第１の端末に対して、第１のコンポーネントキャリアをＰセル、第２のコンポーネントキャリアをＳセルとして設定する場合について説明した。このとき、第２のコンポーネントキャリアのみ使用する別の第２の端末がある場合について説明する。
【００７８】
このとき、第２の端末においては、第２のコンポーネントキャリアがＰセルとなる。このため、第２のコンポーネントキャリアにおいては、第２のコンポーネントキャリアのみ使用する第２の端末のために、上述したＰＢＣＨ、ＰＳＣＨ、ＰＣＦＩＣＨ、ＰＨＩＣＨなどが伝送されることになる。
【００７９】
一方で、第１のコンポーネントキャリアをＰセルとし、第２のコンポーネントキャリアをＳセルとしたある第１の端末において、第２のコンポーネントキャリアで伝送されるＰＢＣＨ、ＰＳＣＨ、ＰＣＦＩＣＨなどを受信することは必須ではない。このため、第１の端末においては、これらの無線チャネルの受信は不要である場合もある。このように、第２のコンポーネントキャリアでは、第２のコンポーネントキャリアをＰセルとする第２の端末のために、第１の端末にとっては不要なＰＢＣＨ、ＰＳＣＨ、ＰＣＦＩＣＨなども下り伝送される場合もある。
【００８０】
以下、自セルまたは他セルのためのＰＤＣＣＨを伝送するコンポーネントキャリアをスケジューリングセルとし、ＰＤＣＣＨを伝送せず下り無線共有チャネル（ＰＤＳＣＨ）のみ伝送するコンポーネントキャリアをノンスケジューリングセルとして説明する。
【００８１】
なお、３ＧＰＰでは、回線設定時に最初に接続したセルであるＰセルをアンカーコンポーネント（Ａｎｃｈｏｒ  Ｃｏｍｐｏｎｅｎｔ）と呼ぶ場合もある。回線設定時とは、たとえば端末が選択したセルにおいて実施されるランダムアクセスによる回線設定である。
【００８２】
また、上述のように、端末は、無線回線設定時には１つのセルしか接続できない。このため、無線回線設定時の接続セルがＰセルとなる。ただし、無線回線設定の後に、ハンドオーバなどによりＰセルを変更することも可能である。また、Ｓセルの追加、削除、変更も可能である。
【００８３】
＜Ｓセルの設定＞
端末と基地局との間で無線回線を設定する際に、Ｌ３の制御信号であるＳｅｒｖＣｅｌｌＩｎｄｅｘ  ＩＥによって、サービングセル（スケジューリングセル）が最大で８つ設定される。このとき、ＳｅｒｖＣｅｌｌＩｎｄｅｘ＝０はＰセルであることを示し、ＳｅｒｖＣｅｌｌＩｎｄｅｘ＝１〜７はＳセルであることを示す（たとえば３ＧＰＰのＴＳ３６．３３１参照）。
【００８４】
なお、Ｓセルは、無線回線設定時以外でも追加可能である。また無線回線設定は、ハンドオーバなどによって再設定または変更される場合がある。
【００８５】
また、ＳｅｒｖＣｅｌｌＩｎｄｅｘ  ＩＥは、ＣｒｏｓｓＣａｒｒｉｅｒＳｃｈｅｄｕｌｉｎｇＣｏｎｆｉｇ  ＩＥに含まれる。ＣｒｏｓｓＣａｒｒｉｅｒＳｃｈｅｄｕｌｉｎｇＣｏｎｆｉｇ  ＩＥは、ＰｈｙｓｉｃａｌＣｏｎｆｉｇＤｅｄｉｃａｔｅｄ  ＩＥに含まれる。ＰｈｙｓｉｃａｌＣｏｎｆｉｇＤｅｄｉｃａｔｅｄ  ＩＥは、ＲａｄｉｏＲｅｓｏｕｒｃｅＣｏｎｆｉｇＤｅｄｉｃａｔｅｄ  ＩＥに含まれる。ＲａｄｉｏＲｅｓｏｕｒｃｅＣｏｎｆｉｇＤｅｄｉｃａｔｅｄ  ＩＥは、ＲＲＣＣｏｎｎｅｃｔｉｏｎＲｅｃｏｎｆｉｇｕｒａｔｉｏｎ  ｍｅｓｓａｇｅに含まれ、基地局から端末に通知される。
【００８６】
また、Ｓセルは、ＳＣｅｌｌＩｎｄｅｘ  ＩＥによって通知される。このＳＣｅｌｌＩｎｄｅｘ  ＩＥは、ＲＲＣＣｏｎｎｅｃｔｉｏｎＲｅｃｏｎｆｉｇｕｒａｔｉｏｎ  ｍｅｓｓａｇｅに含まれ、基地局から端末に通知される。
【００８７】
＜基地局間でキャリアアグリゲーションを実施する場合＞
また、上述のように、異なる基地局間でキャリアアグリゲーションを実施することが検討されている。この場合に、上述のように設定された最大で７つのＳセル（ＳｅｒｖＣｅｌｌＩｎｄｅｘ＝１〜７）からキャリアアグリゲーションで使用するコンポーネントキャリアが選択される。
【００８８】
３ＧＰＰ仕様では、「セルは、一つの周波数を用いて構成されるサービスエリア」と定義されており、この定義では１つの基地局に１つのセルが対応する。ただし、キャリアアグリゲーションでは、１つの基地局に複数のセルが対応する場合もある。
【００８９】
従来のキャリアアグリゲーションでは、同じ基地局に複数のコンポーネントキャリアが設定されており、同じ基地局のコンポーネントキャリアでキャリアアグリゲーションを実施するものであった。現在では、基地局間（ｅＮＢ間）でキャリアアグリゲーションを実施することが検討されている。これは、基地局間でＤＣ−ＨＳＤＰＡ（Ｄｕａｌ  Ｃｅｌｌ−ＨＳＤＰＡ）を実施することと同様である。
【００９０】
なお、異なる基地局間でＤＣ−ＨＳＤＰＡを実施することは、ＤＢ−ＨＳＤＰＡ（Ｄｕａｌ  Ｂａｎｄ−ＨＳＤＰＡ）または、ＤＢ−ＤＣ−ＨＳＤＰＡ（Ｄｕａｌ  Ｂａｎｄ−Ｄｕａｌ  Ｃｅｌｌ−ＨＳＤＰＡ）と呼ばれ、仕様化されている。
【００９１】
（階層化セル構成）
大きなセル（たとえばマクロセル）の中に複数の小さいセル（たとえばピコセル、ナノセル、ファントムセル）を配置する構成がＷ−ＣＤＭＡリリース９９から検討されている。この構成はアンブレラセル構成や階層化セル構成（ＨＣＳ：Ｈｉｅｒａｒｃｈｉｃａｌ  Ｃｅｌｌ  Ｓｔｒｕｃｔｕｒｅ）と呼ばれている。以下、この構成を階層化セル構成と称する。なお、小さいセルは、そのエリアのすべてが大きなセルに含まれる場合や一部のみ含まれる場合が考えられる。後者の場合、残りの部分が他の大きなセルに含まれていてもよい。
【００９２】
階層化セル構成は、大きなセル（大セル、上位セル、マクロセル）と小さなセル（小セル、下位セル、ピコセル）とが積層される、すなわち複数の層のように構成されるものである。ここでは、相対的に大きなセルを大セルと称し、相対的に小さなセルを小セルと称する。なお、階層化セル構成は、必ずしもセルの大きさが異なっているとは限らない。
【００９３】
図５Ａは、階層化セル構成の一例を示す図である。図５Ａに示す通信システム５００は、たとえば図２に示した通信システム２００の一例である。通信システム５００は、端末５０１と、基地局５１１と、基地局５３１〜５３８と、を含む階層化セル構成である。
【００９４】
図１Ａ〜図１Ｄに示したシステム１００は、一例としては図５Ａに示す通信システム５００において実現することができる。この場合に、図１Ａ〜図１Ｄに示した基地局１１０は、たとえば基地局５１１により実現することができる。また、図１Ａ〜図１Ｄに示した基地局１２０は、たとえば基地局５３１〜５３８により実現することができる。また、図１Ａ〜図１Ｄに示した端末１３０は、たとえば端末５０１により実現することができる。
【００９５】
基地局５１１は、基地局５３１〜５３８に比べて送信電力が大きいマクロ基地局である。大セル５２１は基地局５１１のセルである。基地局５３１〜５３８は、ピコセル、ナノセル、ファントムセルなどを形成する、基地局５１１に比べて送信電力が小さい（小型の）基地局である。なお、セル半径の長い方から順にピコセル、ナノセル、ファントムセルと呼んでいる。小セル５４１〜５４８は、それぞれ基地局５３１〜５３８のセルである。
【００９６】
通信システム５００は、基地局５３１〜５３８（小セル５４１〜５４８）が大セル５２１に設けられる階層化セル構成となっている。つぎに、階層化セル構成である通信システム５００に対してキャリアアグリゲーションを実施する場合について説明する。
【００９７】
図５Ｂは、階層化セル構成におけるキャリアアグリゲーションの一例を示す図である。たとえば、図５Ｂに示すように、通信システム５００においては、大セル５２１をＰセル、小セル５４１〜５４８をＳセルとしてキャリアアグリゲーションが行われる。ただし、たとえば大セル５２１をＳセル、小セル５４１〜５４８をＰセルとしてキャリアアグリゲーションが行われてもよい。
【００９８】
また、ＰセルとしてもＳセルとしても接続可能なセルが存在してもよい。以下の説明では、大セル５２１をＰセル、小セル５４１〜５４８をＳセルとしてキャリアアグリゲーションが行われる場合について説明する。
【００９９】
たとえば、通信システム５００において、Ｐセルでは主に制御信号を伝送し、Ｓセルではユーザデータを主に伝送する。これにより、周波数利用効率を改善することが可能となる。これは、セルが細分化されることによる効果である。また、Ｓセルは端末基地局間距離が短いため伝搬ロスが少ない。このため、上りデータ伝送では、ユーザデータの伝送に要する送信電力を低減でき、端末５０１の低消費電力化を図ることができる。
【０１００】
（Ｓセルとなる基地局の例）
図６Ａは、Ｓセルとなる基地局の例１を示す図である。図６Ａにおいて、図５Ａに示した部分と同様の部分については同一の符号を付して説明を省略する。ここでは、端末５０１が、基地局５１１をＰセルとし、基地局５３１をＳセルとするキャリアアグリゲーションを行う場合について説明する。
【０１０１】
たとえば、図６Ａに示すように、Ｓセルとなる基地局５３１は、たとえば基地局５１１（マクロ基地局）と有線接続された基地局（ｅＮＢ：ｅｖｏｌｖｅｄ  Ｎｏｄｅ  Ｂ）とすることができる。この場合は、基地局５１１と基地局５３１とは、たとえばイーサネット（登録商標）を用いたインターネットまたはイントラネットなどによって接続される。
【０１０２】
なお、基地局５１１や基地局５３１は、基地局５１１や基地局５３１の上位装置であって端末５０１の移動を管理するＭＭＥ（たとえば図２に示したＭＭＥ／Ｓ−ＧＷ２１１，２１２）と接続されていてもよい。この際、小セル５４１を構成する基地局５３１は、ＭＭＥに直接接続されてもよいし、大セル５２１を構成する基地局５１１を介してＭＭＥに接続されてもよい。また、基地局５３１は、たとえば公衆回線で接続されたフェムト基地局であってもよいし、移動通信事業者の所有する専用回線で接続されたスモール基地局（またはピコ基地局）などであってもよい。
【０１０３】
図６Ｂは、Ｓセルとなる基地局の例２を示す図である。図６Ｂにおいて、図６Ａに示した部分と同様の部分については同一の符号を付して説明を省略する。図６Ｂに示すように、基地局５３１は、基地局５１１に設けられたＢＢＵ（Ｂａｓｅ  Ｂａｎｄ  Ｕｎｉｔ）と接続されたＲＲＨ（Ｒｅｍｏｔｅ  Ｒａｄｉｏ  Ｈｅａｄ）であってもよい。ＲＲＨは、送信信号および受信信号の増幅などを行う。ＢＢＵは、変調や復調などの処理を行う。ＢＢＵとＲＲＨとの間の接続にはたとえば光回線などの専用回線を用いることができる。なお、ＲＲＨは張出基地局と呼ばれることもある。
【０１０４】
図６Ｃは、Ｓセルとなる基地局の例３を示す図である。図６Ｃにおいて、図６Ａに示した部分と同様の部分については同一の符号を付して説明を省略する。図６Ｃに示すように、基地局５３１は、基地局５１１の通信を無線中継するＲＮ（中継局：Ｒｅｌａｙ  Ｎｏｄｅ）であってもよい。この場合は、基地局５１１と基地局５３１とは無線接続される。
【０１０５】
以下の説明においては、図６Ａに示した構成について説明する。ただし、本願発明は図６Ｂ，図６Ｃに示した構成においても同様に実現することができる。
【０１０６】
（階層化セル構成におけるセル初回選択）
階層化セル構成におけるセル初回選択について説明する。ここではＬＴＥ仕様であるＴＳ３６．３０４の例について説明する。
【０１０７】
端末５０１は、たとえばＰセルのセル初回選択において、下記（１）式〜下記（３）式を満たすセルを選択する。
【０１０８】
Ｓｒｘｌｅｖ＞０  ＡＮＤ  Ｓｑｕａｌ＞０      …（１）
【０１０９】
Ｓｒｘｌｅｖ＝Ｑrxlevmeas−（Ｑrxlevmin＋Ｑrxlevminoffset）−Ｐｃｏｍｐｅｎｓａｔｉｏｎ  …（２）
【０１１０】
Ｓｑｕａｌ＝Ｑqualmeas−（Ｑqualmin＋Ｑqualminoffset）  …（３）
【０１１１】
上記（１）式において、Ｓｒｘｌｅｖは、端末５０１における対象セルの補正後の受信電力である。Ｓｑｕａｌは、端末５０１における対象セルの補正後の受信品質である。
【０１１２】
上記（２）式において、Ｑrxlevmeasは、端末５０１における対象セルの受信電力の測定結果である。受信電力の測定結果は、たとえばＲＳＲＰ（Ｒｅｆｅｒｅｎｃｅ  Ｓｉｇｎａｌ  Ｒｅｃｅｉｖｅｄ  Ｐｏｗｅｒ：基準信号受信電力）である。Ｑrxlevminは、所要受信電力である。所要受信電力は、たとえば所要誤り率（たとえばビット誤り率ＢＥＲ＝０．０１やブロック誤り率ＢＬＥＲ＝０．１）や所要伝送速度を満たすための最小の受信電力［ｄＢｍ］である。なお、参照信号（ＲＳ：Ｒｅｆｅｒｅｎｃｅ  Ｓｉｇｎａｌ）は、一般的な無線通信システムにおけるパイロットに相当するものである。
【０１１３】
Ｑrxlevminoffsetは、受信電力のオフセットである。Ｐｃｏｍｐｅｎｓａｔｉｏｎは、基地局の送信電力に依存した補正値である。たとえば、基地局の送信電力が下がれば受信電力が下がるため、Ｐｃｏｍｐｅｎｓａｔｉｏｎによる補正が行われる。ＱrxlevminやＱrxlevminoffsetなどは、システム情報（ＳＩＢ１：Ｓｙｓｔｅｍ  Ｉｎｆｏｒｍａｔｉｏｎ  Ｂｌｏｃｋ  ｔｙｐｅ  １）として端末５０１へ報知される。
【０１１４】
このように、補正後の受信電力であるＳｒｘｌｅｖは、測定した受信電力に対して、所要受信電力と報知された受信電力のオフセットを加算した結果を減算した結果に基づく受信品質評価結果である。すなわち、Ｓｒｘｌｅｖは、受信電力のオフセットを考慮して所要受信電力に対する余裕を評価するものである。
【０１１５】
上記（３）式において、Ｑqualmeasは、端末５０１における対象セルの受信品質の測定結果である。受信品質の測定結果は、たとえばＲＳＲＱ（Ｒｅｆｅｒｅｎｃｅ  Ｓｉｇｎａｌ  Ｒｅｃｅｉｖｅｄ  Ｑｕａｌｉｔｙ：基準信号受信品質）である。Ｑqualminは、所要受信品質である。所要受信品質は、たとえば所要誤り率や所要伝送速度を満たすための最小の受信品質である。受信品質は、たとえばＳＮＲ（Ｓｉｇｎａｌ  Ｎｏｉｓｅ  Ｒａｔｉｏ）やＳＩＲ（Ｓｉｇｎａｌ−ｔｏ−Ｉｎｔｅｒｆｅｒｅｎｃｅ  Ｒａｔｉｏ）である。
【０１１６】
Ｑqualminoffsetは、所要受信品質のオフセットである。Ｐｃｏｍｐｅｎｓａｔｉｏｎは、基地局の送信電力に依存した補正値である。たとえば、基地局の送信電力が下がれば受信品質が下がるため、Ｐｃｏｍｐｅｎｓａｔｉｏｎによる補正が行われる。ＱqualminやＱqualminoffsetなどは、システム情報（ＳＩＢ１）として端末５０１へ報知される。
【０１１７】
このように、補正後の受信品質であるＳｑｕａｌは、測定した受信品質に対して、所要受信品質と報知された受信品質のオフセットを加算した結果を減算した結果に基づく受信品質評価結果である。すなわち、Ｓｑｕａｌは、受信品質のオフセットを考慮して所要受信品質に対する余裕を評価するものである。
【０１１８】
なお、Ｗ−ＣＤＭＡシステムのＦＤＤ（Ｆｒｅｑｕｅｎｃｙ  Ｄｉｖｉｓｉｏｎ  Ｄｕｐｌｅｘ：周波数分割複信）においては、ＳｒｘｌｅｖおよびＳｑｕａｌが用いられるが、Ｗ−ＣＤＭＡシステムのＴＤＤ（Ｔｉｍｅ  Ｄｉｖｉｓｉｏｎ  Ｄｕｐｌｅｘ：時分割複信）においてはＳｒｘｌｅｖのみが用いられる。また、ＬＴＥ  Ｒｅｌｅａｓｅ８についてもＳｒｘｌｅｖのみが用いられる。
【０１１９】
（階層化セル構成におけるセル再選択）
階層化セル構成におけるセル再選択について説明する。セル再選択（Ｃｅｌｌ  ｒｅｓｅｌｅｃｔｉｏｎ）は、セル選択を実施した後に、通信がない状態などが一定時間経過した場合や回線接続後に回線が切れてしまったなどの理由で再びセル選択を行うものである（たとえば３ＧＰＰのＴＳ２５．３０４参照）。
【０１２０】
端末５０１は、たとえばＰセルのセル再選択において、下記（４）式に示すＨsおよびＨnを算出する。そして、端末５０１は、ＨsおよびＨnに基づいて各セルをランキング付けし、ランキングが最も高いセルを選択する。
【０１２１】
Ｈs＝Ｑmeas,s−Ｑｈｃｓs
Ｈn＝Ｑmeas,n−Ｑｈｃｓn−ＴＯn＊Ｌn  …（４）
【０１２２】
上記（４）式のＨsは、接続中のセル（Ｓｅｒｖｉｎｇ  Ｃｅｌｌ）に対する受信品質評価結果である。Ｈsは、接続中のセルからの下り無線回線品質（Ｑmeas,s）から接続中のセルからの無線回線品質の閾値（Ｑｈｃｓs）を減算した値である。Ｑmeas,sは、たとえば共通パイロットチャネルの受信品質（ＣＰＩＣＨ  Ｅｃ／Ｎｏ）などである。なお、「ｓ」はサービング（ｓｅｒｖｉｎｇ）、すなわち接続中先または待ち受け先のセルであることを示すサフィックスである。
【０１２３】
上記（４）式のＨnは、隣接セル（Ｎｅｉｇｈｂｏｒｉｎｇ  Ｃｅｌｌ）すなわち周辺セルに対する受信品質評価結果である。Ｈnは、隣接セルからの下り無線回線品質（Ｑmeas,n）から、隣接セルからの無線回線品質の閾値（Ｑｈｃｓn）と、ＴＯnとＬnとを乗じた値と、を減算した値である。Ｑmeas,nは、たとえば共通パイロットチャネルの受信品質（ＣＰＩＣＨ  Ｅｃ／Ｎｏ）などである。なお、「ｎ」はネイバリング（ｎｅｉｇｈｂｏｕｒｉｎｇ）、すなわち隣接セルを示すサフィックスである。
【０１２４】
ＴＯnは、測定タイミングが異なることに対する調整値（オフセット）である。Ｌnは、接続中のセルの優先度と隣接基地局の優先度が一致する場合は０、一致しない場合は１となる値である。上記（４）式のＴＯnおよびＬnは、たとえば下記（５）式によって算出することができる。
【０１２５】
ＴＯn＝ＴＥＭＰ＿ＯＦＦＳＥＴn＊Ｗ（ＰＥＮＡＬＴＹ＿ＴＩＭＥn−Ｔn）
Ｌn＝０（ＨＣＳ＿ＰＲＩＯn＝ＨＣＳ＿ＰＲＩＯs）
Ｌn＝１（ＨＣＳ＿ＰＲＩＯn≠ＨＣＳ＿ＰＲＩＯs）
Ｗ（ｘ）＝０（ｘ＜０）
Ｗ（ｘ）＝１（ｘ≧０）                                            …（５）
【０１２６】
上記（５）式において、ＰＥＮＡＬＴＹ＿ＴＩＭＥnは、隣接セル（周辺セル）測定のタイミングが異なることに対するオフセットである。ＴＥＭＰ＿ＯＦＦＳＥＴnは、ＰＥＮＡＬＴＹ＿ＴＩＭＥnの継続時間に対するオフセットである。ＨＣＳ＿ＰＲＩＯsは、接続中のセルにおける優先度である。ＨＣＳ＿ＰＲＩＯnは、隣接セルにおける優先度である。Ｗ（ｘ）は、重み付け関数である。Ｔnは、受信品質の測定タイミングである。
【０１２７】
Ｑｈｃｓs，Ｑｈｃｓn、ＨＣＳ＿ＰＲＩＯs、ＨＣＳ＿ＰＲＩＯn、ＰＥＮＡＬＴＹ＿ＴＩＭＥnなどは、システム情報として端末５０１へ報知される（たとえば３ＧＰＰのＴＳ３６．３０４やＴＳ３６．３３１参照）。
【０１２８】
たとえば、測定タイミングＴnがＰＥＮＡＬＴＹ＿ＴＩＭＥnよりも長い場合は、Ｗ（ｘ）＝０となる。このため、隣接セルからの下り無線回線品質（Ｑmeas,n）が閾値（Ｑｈｃｓn）より高い場合は、隣接セルの受信品質評価結果（Ｈn）は０より大きな値となる。同様に、接続中のセルからの下り無線回線品質（Ｑmeas,s）が閾値（Ｑｈｃｓs）より高い場合は、接続中のセルの受信品質評価結果（Ｈs）は０より大きな値となる。
【０１２９】
（無線回線品質の測定）
端末５０１による無線回線品質（Ｗｉｒｅｌｅｓｓ  Ｃｈａｎｎｅｌ  Ｑｕａｌｉｔｙ）の測定について説明する。端末５０１は、シンボル同期が可能となることで、基地局からのパイロット信号のみを取り出すことが可能となる。そして、端末５０１は、取り出したパイロット信号の受信電力（ＲＳＲＱ）の測定を行う。また、端末５０１は、算出したパイロット信号列と受信したパイロット信号列を比較することで、受信信号品質（ＲＳＲＱ）の測定を行う。
【０１３０】
（システム情報の受信）
端末５０１によるシステム情報の受信について説明する。端末５０１は、周辺基地局からの送信信号に対して同期することで、周辺基地局から報知されているシステム情報の受信が可能となる。システム情報は、たとえばＬＴＥシステムでは、ＭＩＢ（Ｍａｓｔｅｒ  Ｉｎｆｏｒｍａｔｉｏｎ  Ｂｌｏｃｋ）およびＳＩＢ（Ｓｙｓｔｅｍ  Ｉｎｆｏｒｍａｔｉｏｎ  Ｂｌｏｃｋ）である。
【０１３１】
ＭＩＢは、下り周波数帯域幅や無線フレーム番号などの情報を含む。ＳＩＢは、現時点ではＳＩＢ１からＳＩＢ１６（Ｓｙｓｔｅｍ  Ｉｎｆｏｒｍａｔｉｏｎ  Ｂｌｏｃｋ  ｔｙｐｅ  １６）まで規定されている。ただし、ＳＩＢはさらに増えることも考えられる。
【０１３２】
これらのシステム情報は、論理チャネルのＢＣＣＨ（Ｂｒｏａｄｃａｓｔ  Ｃｏｎｔｒｏｌ  ＣＨａｎｎｅｌ：報知チャネル）で伝送される。このＢＣＣＨは、トランスポートチャネルであるＢＣＨ（Ｂｒｏａｄｃａｓｔ  ＣＨａｎｎｅｌ：報知チャネル）またはＤＬ−ＳＣＨ（Ｄｏｗｎ  Ｌｉｎｋ−Ｓｈａｒｅｄ  ＣＨａｎｎｅｌ：下り共有チャネル）にマッピングされる。
【０１３３】
さらに、無線チャネルであるＰＢＣＨまたはＰＤＳＣＨを用いて端末５０１に送信される。なお、無線報知チャネルはもちろん、無線下り共有チャネルであっても、その基地局に対して接続、待ち受けしているまたは受信可能な端末５０１に対して共通制御情報として報知される。なお、報知とはいわゆる放送であり、端末５０１は報知信号に対する応答を基地局に送信しない。
【０１３４】
これらのシステム情報には、隣接セルリスト（周辺セルリスト）が含まれる。隣接セルリストは、たとえば、システム情報を送信する基地局に隣接する（周辺の）基地局のリストである。または、隣接セルリストは、システム情報が送信されるセルの隣接セルのリストとしてもよい。システム情報が送信されるセルとその隣接セルとは、同一の基地局によって形成されるセルであってもよいし、異なる基地局によって形成されるセルであってもよい。
【０１３５】
端末５０１は、たとえば、通信が終了し、回線が解放された後に再び回線接続する際のセル選択に隣接セルリストを使用する。また、端末５０１は、たとえば一定期間通信が途絶えた場合のセル再選択においても隣接セルリストを使用する。また、隣接セルリストは、端末５０１が移動したり電源をオフにしたりした場合でも維持され、次の回線設定時に利用される。
【０１３６】
この隣接セルリストに、各隣接セルがＰセルとして接続可能なセルか否かを示すＰセル選択情報を含める。Ｐセル選択情報には、たとえば、Ｐセルであること、Ｐセルとして選択する場合の優先度や、セル選択時に使用する無線回線品質に対するオフセット情報などが含まれる。また、キャリアアグリゲーションを実施し、かつ階層化セル構成であることを示す制御情報もシステム情報として送信されてもよい。
【０１３７】
さらに、隣接セルリストに、各隣接セルがＳセルとして接続可能なセルか否かを示すＳセル選択情報を含めてもよい。このＳセル選択情報には、たとえば、Ｓセルであること、Ｓセルとして選択する場合の優先度やセル選択時に使用する無線回線品質に対するオフセットなどの情報が含まれる。さらに、隣接セルリストに、階層化セル構成であることを示す情報を含めてもよい（たとえば図１５〜図１７参照）。
【０１３８】
なお、従来のセル選択情報は、階層化セルの各セル（各基地局）に対して、優先度やセル選択に使用するオフセット情報などであり、それぞれのセルがＰセルとして使われるのか、Ｓセルとして使われるのかについては規定していないものであった。よって、従来のセル選択情報を用いてセル選択を実施した場合、Ｓセルとして使われるセルをＰセルとして選択してしまうなどの障害が発生していた。
【０１３９】
これに対して、たとえば隣接セルリストにＰセル選択情報を含めることで、端末５０１は、隣接セルリストを受信することで、Ｐセルとして使われるセルを特定し、Ｐセルとして使われるセルをＰセルとして選択することが可能になる。
【０１４０】
（階層化セル構成におけるＰセルの誤選択について）
たとえば、各セルの無線回線品質閾値、無線回線品質、優先度、測定タイミング、ペナルティタイムの値によっては、接続中の基地局（たとえばＰセルとして使用するセル）でなく、Ｓセルとしてのみ使用可能な隣接するセルがＰセルとして選択される場合がある。
【０１４１】
（競合ベースのランダムアクセス）
図７Ａは、競合ベースのランダムアクセスの一例を示す図である。図７Ａにおいては、端末５０１（ＵＥ）が、大セルである基地局５１１をＰセルとして選択し、選択した基地局５１１に対して競合ベースのランダムアクセス（Ｃｏｎｔｅｎｔｉｏｎ  Ｂａｓｅｄ  Ｒａｎｄｏｍ  Ａｃｃｅｓｓ  Ｐｒｏｃｅｄｕｒｅ）を行う場合について説明する。まず、端末５０１が、メッセージ１としてランダムアクセスプリアンブル（Ｒａｎｄｏｍ  Ａｃｃｅｓｓ  Ｐｒｅａｍｂｌｅ）を基地局５１１へ送信する（ステップＳ７１１）。
【０１４２】
つぎに、基地局５１１が、ステップＳ７１１によって受信したランダムアクセスプリアンブルに基づいて端末５０１を識別し、端末５０１の識別子であるＣ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）を設定する。ここで設定されるＣ−ＲＮＴＩは、たとえば仮の識別子であるテンポラリＣ−ＲＮＴＩ（Ｔｅｍｐｏｒａｒｙ  Ｃ−ＲＮＴＩ）である。
【０１４３】
また、基地局５１１は、端末５０１に対して、上り送信許可（ＵＬ  ｇｒａｎｔ）、送信タイミング（Ｔｉｍｉｎｇ  Ａｌｉｇｎｍｅｎｔ  Ｉｎｆｏｒｍａｔｉｏｎ）、ＣＱＩ（Ｃｈａｎｎｅｌ  Ｑｕａｌｉｔｙ  Ｉｎｄｉｃａｔｏｒ）リクエストなどを設定する。そして、基地局５１１は、メッセージ２として、これらの設定結果と、ステップＳ７１１によって受信したランダムアクセスプリアンブルと、を含むランダムアクセスレスポンス（Ｒａｎｄｏｍ  Ａｃｃｅｓｓ  Ｒｅｓｐｏｎｓｅ）を端末５０１へ送信する（ステップＳ７１２）。
【０１４４】
つぎに、端末５０１が、ステップＳ７１１によって送信したランダムアクセスプリアンブルと、ステップＳ７１２によって受信したランダムアクセスプリアンブルと、が一致するか否かを確認する。ランダムアクセスプリアンブルが不一致の場合、端末５０１は、ステップＳ７１２によって受信したランダムアクセスレスポンスが他端末宛であると判断し、再びランダムアクセスプリアンブルを送信する。この際、端末５０１は、前回送信したランダムアクセスプリアンブルを送信してもよいし、異なるランダムアクセスプリアンブルを選択して送信してもよい。
【０１４５】
ランダムアクセスプリアンブルが一致した場合、端末５０１は、ステップＳ７１２によって受信したランダムアクセスレスポンスが自端末宛であると認識する。そして、端末５０１は、メッセージ３として、ＲＲＣコネクションリクエスト（ＲＲＣ  Ｃｏｎｎｅｃｔｉｏｎ  Ｒｅｑｕｅｓｔ）などを含むスケジュールドトランスミッション（Ｓｃｈｅｄｕｌｅｄ  Ｔｒａｎｓｍｉｓｓｉｏｎ）を基地局５１１へ送信する（ステップＳ７１３）。ステップＳ７１３による送信は、ステップＳ７１２によって受信したランダムアクセスレスポンスに含まれる上り送信許可（ＵＬ  ｇｒａｎｔ）や、ランダムアクセスレスポンスが指定する無線リソースおよび変調方式を用いて行われる。
【０１４６】
基地局５１１は、メッセージ４として、ステップＳ７１３によって受信したスケジュールドトランスミッションに対する応答信号（ＡＣＫ／ＮＡＣＫ）であるコンテンションレゾリューション（Ｃｏｎｔｅｎｔｉｏｎ  Ｒｅｓｏｌｕｔｉｏｎ）を送信する（ステップＳ７１４）。これにより、端末５０１と基地局５１１との間の無線回線設定が完了する。
【０１４７】
（非競合ベースのランダムアクセス）
図７Ｂは、非競合ベースのランダムアクセスの一例を示す図である。図７Ｂにおいては、端末５０１（ＵＥ）が小セルである基地局５３１をＳセルとして選択し、選択した基地局５３１に対して非競合ベースのランダムアクセス（Ｎｏｎ−Ｃｏｎｔｅｎｔｉｏｎ  Ｂａｓｅｄ  Ｒａｎｄｏｍ  Ａｃｃｅｓｓ  Ｐｒｏｃｅｄｕｒｅ）を行う場合について説明する。
【０１４８】
まず、基地局５３１は、端末５０１に対して、メッセージ０として、個別プリアンブルを含むランダムアクセスプリアンブルアサインメント（Ｒａｎｄｏｍ  Ａｃｃｅｓｓ  Ｐｒｅａｍｂｌｅ  Ａｓｓｉｇｎｍｅｎｔ）を端末５０１に送信する（ステップＳ７２１）。ランダムアクセスプリアンブルアサインメントには、Ｓセルとして選択された基地局５３１と端末５０１がランダムアクセスを実施するためのシステム情報などの制御情報が含まれていてもよい。
【０１４９】
つぎに、端末５０１が、メッセージ１として、ランダムアクセスプリアンブル（Ｒａｎｄｏｍ  Ａｃｃｅｓｓ  Ｐｒｅａｍｂｌｅ）を基地局５３１へ送信する（ステップＳ７２２）。ステップＳ７２２によって送信されるランダムアクセスプリアンブルは、ステップＳ７２１によって受信したランダムアクセスプリアンブルアサインメントに含まれる個別プリアンブルである。
【０１５０】
つぎに、基地局５３１が、ステップＳ７２２によって受信した個別プリアンブルに対して、メッセージ２としてランダムアクセスレスポンス（Ｒａｎｄｏｍ  Ａｃｃｅｓｓ  Ｒｅｓｐｏｎｓｅ）を端末５０１へ送信する（ステップＳ７２３）。これにより、一連の非競合ベースのランダムアクセスが終了し、端末５０１と基地局５３１との間で回線が設定される。すなわち、端末５０１においてＳセルが追加され、キャリアアグリゲーションが設定される。
【０１５１】
なお、Ｓセルが下り回線しか設定されない場合もある。この場合のＳセルの追加は、Ｐセルから端末５０１に対してＳセルの追加要求（すなわちＳセルを受信することを要求）とＳセルを追加するための情報（たとえば追加するＳセルの情報（たとえばセルＩＤなど））とを通知し、通知を受けた端末５０１は通知されたＳセルを受信するように設定する。これにより、Ｓセルが追加され、キャリアアグリゲーションが設定される。
【０１５２】
（基地局）
図８Ａは、基地局の一例を示す図である。図８Ｂは、図８Ａに示した基地局における信号の流れの一例を示す図である。基地局５１１，５３１〜５３８のそれぞれは、たとえば図８Ａ，図８Ｂに示す基地局８００により実現することができる。基地局８００は、アンテナ８０１と、受信部８１０と、制御部８２０と、送信部８３０と、を備える。受信部８１０は、受信無線部８１１と、復調・復号部８１２と、無線回線品質情報抽出部８１３と、無線回線制御情報抽出部８１４と、を備える。
【０１５３】
制御部８２０は、無線回線制御部８２１と、システム情報管理・記憶部８２２と、を備える。送信部８３０は、システム情報作成部８３１と、同期信号作成部８３２と、パイロット作成部８３３と、無線回線制御情報作成部８３４と、符号化・変調部８３５と、送信無線部８３６と、を備える。
【０１５４】
図１Ａ〜図１Ｄに示した生成部１１１は、たとえば制御部８２０によって実現することができる。図１Ａ〜図１Ｄに示した送信部１１２は、たとえばアンテナ８０１および送信部８３０によって実現することができる。
【０１５５】
アンテナ８０１は、基地局８００のセルに位置する端末（たとえば端末５０１）から無線送信された信号を受信し、受信した信号を受信無線部８１１へ出力する。また、アンテナ８０１は、送信無線部８３６から出力された信号を、基地局８００のセルに位置する端末へ無線送信する。
【０１５６】
受信無線部８１１は、アンテナ８０１から出力された信号の受信処理を行う。受信無線部８１１における受信処理には、たとえば、増幅、高周波帯からベースバンド帯への周波数変換、アナログ信号からデジタル信号への変換などが含まれる。受信無線部８１１は、受信処理を行った信号を復調・復号部８１２へ出力する。
【０１５７】
復調・復号部８１２は、受信無線部８１１から出力された信号の復調および復号を行う。そして、復調・復号部８１２は、復調および復号により得られた受信データを出力する。復調・復号部８１２から出力された受信データは、受信部８１０の上位レイヤの処理部、無線回線品質情報抽出部８１３および無線回線制御情報抽出部８１４へ出力される。
【０１５８】
無線回線品質情報抽出部８１３は、復調・復号部８１２から出力された受信データに含まれる無線回線品質情報を抽出する。無線回線品質情報は、たとえばＣＱＩ、ＲＳＲＰ、ＲＳＲＱなどである。無線回線品質情報抽出部８１３は、抽出した無線回線品質情報を無線回線制御部８２１へ出力する。
【０１５９】
無線回線制御情報抽出部８１４は、復調・復号部８１２から出力された受信データに含まれる無線回線制御情報を抽出する。無線回線制御情報は、たとえばランダムアクセスのプリアンブル、ランダムアクセスの各メッセージ、各種の応答信号（ＡＣＫ／ＮＡＣＫ）などである。無線回線制御情報抽出部８１４は、抽出した無線回線制御情報を無線回線制御部８２１へ出力する。
【０１６０】
無線回線制御部８２１は、基地局８００における無線回線の制御を行う。無線回線の制御には、無線回線品質情報抽出部８１３から出力された無線回線品質情報、無線回線制御情報抽出部８１４から出力された無線回線制御情報、システム情報管理・記憶部８２２に記憶されたシステム情報（帯域幅、プリアンブル）などが用いられる。また、無線回線の制御には、たとえば、ランダムアクセスの制御や端末（たとえば基地局８００）のスケジューリングや、端末に対する測定要求などが含まれる。たとえば、無線回線制御部８２１は、無線回線の制御に応じた端末宛の無線回線制御情報を無線回線制御情報作成部８３４へ通知する。
【０１６１】
システム情報管理・記憶部８２２は、システム情報の管理および記憶を行う。たとえば、システム情報管理・記憶部８２２は、無線回線制御部８２１の無線回線の制御によって得られたシステム情報を無線回線制御部８２１から取得して記憶する。また、システム情報管理・記憶部８２２は、記憶したシステム情報のうちの無線回線制御部８２１の無線回線の制御に要するシステム情報を無線回線制御部８２１へ出力する。
【０１６２】
また、システム情報管理・記憶部８２２は、基地局８００の隣接セルのシステム情報を隣接セル情報として隣接セルから受信する。また、システム情報管理・記憶部８２２は、基地局８００のシステム情報を、隣接情報として基地局８００の隣接セルへ送信する。
【０１６３】
また、システム情報管理・記憶部８２２は、システム情報をシステム情報作成部８３１へ通知する。システム情報には、たとえば基地局８００に関する情報（たとえばセルＩＤや帯域幅など）が含まれる。また、システム情報には、ランダムアクセスを実施する際の情報（たとえば、使用可能なランダムアクセスプリアンブルなど）が含まれる。また、システム情報には、セル選択に関する情報（セルの優先度やオフセットなど）が含まれる。
【０１６４】
また、システム情報には、上述した隣接セルリストが含まれる。隣接セルリストは、たとえば隣接セルから受信した隣接セル情報や、システム情報管理・記憶部８２２において管理している自セルの情報などに基づいて生成することができる。
【０１６５】
たとえば、ＳＩＢ４には、ＩｎｔｒａＦｒｅｑＮｅｉｇｈＣｅｌｌＬｉｓｔが定義されている。これは接続または待ち受け中の基地局（セル）と同じ周波数の隣接セルリストであり、リストの中にはセルＩＤなどが含まれている。また、ＳＩＢ５には、ＩｎｔｅｒＦｒｅｑＮｅｉｇｈＣｅｌｌＬｉｓｔが定義されている。ＩｎｔｅｒＦｒｅｑＮｅｉｇｈＣｅｌｌＬｉｓｔは、接続または待ち受け中の基地局（セル）と異なる周波数の隣接セルリストであり、リストの中にはセルＩＤなどが含まれている。また、ＩｎｔｅｒＦｒｅｑＮｅｉｇｈＣｅｌｌＬｉｓｔは、ＩｎｔｅｒＦｒｅｑＣａｒｒｉｅｒＦｒｅｑＩｎｆｏに含まれている。また、ＩｎｔｅｒＦｒｅｑＣａｒｒｉｅｒＦｒｅｑＩｎｆｏには、セル再選択のための優先度が含まれている。
【０１６６】
たとえば、上述したＩｎｔｒａＦｒｅｑＮｅｉｇｈＣｅｌｌＬｉｓｔおよびＩｎｔｅｒＦｒｅｑＮｅｉｇｈＣｅｌｌＬｉｓｔに、Ｐセルとして接続可能か否かを示す情報や、Ｓセルとして接続可能か否かを示す情報を含める（たとえば図１５〜図１７参照）。また、上述したＩｎｔｒａＦｒｅｑＮｅｉｇｈＣｅｌｌＬｉｓｔおよびＩｎｔｅｒＦｒｅｑＮｅｉｇｈＣｅｌｌＬｉｓｔに、さらに階層化セル構成のセルであるか否かを示す情報を含めてもよい。
【０１６７】
これらのシステム情報は、論理チャネル（Ｌｏｇｉｃａｌ  ｃｈａｎｎｅｌ）であるＢＣＣＨを用い、ＰＢＣＨまたはＰＤＳＣＨを用いて、基地局８００が基地局８００のセル内の各端末に対して共通な制御情報として報知（Ｂｒｏａｄｃａｓｔ）するものである。セル選択の際に使用するセルの優先度やオフセットがシステム情報に含まれる場合は、それらの情報を基にセル選択が実施される。
【０１６８】
また、システム情報管理・記憶部８２２は、基地局８００のセルＩＤを同期信号作成部８３２およびパイロット作成部８３３へ出力する。
【０１６９】
送信部８３０には、送信部８３０の上位レイヤの処理部から、基地局８００が送信すべき送信データが入力される。送信部８３０へ入力された送信データは符号化・変調部８３５へ入力される。
【０１７０】
システム情報作成部８３１は、システム情報管理・記憶部８２２から通知されたシステム情報を作成し、作成したシステム情報を、報知チャネルにマッピングして符号化・変調部８３５へ出力する。
【０１７１】
同期信号作成部８３２は、システム情報管理・記憶部８２２から出力されたセルＩＤに基づく同期信号であるＰＳＳ（Ｐｒｉｍａｒｙ  Ｓｙｎｃｈｒｏｎｉｚａｔｉｏｎ  Ｓｉｇｎａｌ：プライマリ同期信号、第１の同期信号）およびＳＳＳ（Ｓｅｃｏｎｄａｒｙ  Ｓｙｎｃｈｒｏｎｉｚａｔｉｏｎ  Ｓｉｇｎａｌ：セカンダリ同期信号、第２の同期信号）を作成する。そして、同期信号作成部８３２は、作成した同期信号を報知チャネルにマッピングして符号化・変調部８３５へ出力する。
【０１７２】
パイロット作成部８３３は、システム情報管理・記憶部８２２から出力されたセルＩＤに基づくパイロット信号である共通パイロットを作成し、作成した共通パイロットを無線制御チャネルや共有チャネルと同様に無線フレームにマッピングして符号化・変調部８３５へ出力する。なお、共通パイロットをパイロットチャネルにマッピングし、同様に無線フレームにマッピングしてもよい。
【０１７３】
また、パイロット作成部８３３が作成するパイロットには、たとえば、セル内で複数の端末に共通のセル共通パイロット（Ｃｅｌｌ  Ｓｐｅｃｉｆｉｃ  Ｐｉｌｏｔ）が含まれてもよい。また、パイロット作成部８３３が作成するパイロットには、端末個別に割り当てられた個別パイロット（Ｄｅｄｉｃａｔｅｄ  Ｐｉｌｏｔ，ＵＥ  Ｓｐｅｃｉｆｉｃ  ＲＳ）が含まれてもよい。また、パイロット作成部８３３が作成するパイロットには、位置測定用のパイロット（Ｐｏｓｉｔｉｏｎｉｎｇ  Ｐｉｌｏｔ，Ｐｏｓｉｔｉｏｎｉｎｇ  ＲＳ）が含まれてもよい。また、パイロット作成部８３３が作成するパイロットには、無線回線品質を測定するためのパイロット（Ｃｈａｎｎｅｌ  Ｓｔａｔｅ  Ｉｎｆｏｒｍａｔｉｏｎ  Ｐｉｌｏｔ  ＣＳＩ−ＲＳ）が含まれてもよい。すなわち、パイロット作成部８３３が作成するパイロットは、すなわち基地局８００および端末間や無線通信システムにおいて予め決められた既知信号であればよい。
【０１７４】
無線回線制御情報作成部８３４は、無線回線制御部８２１から通知された無線回線制御情報を作成し、作成した無線回線制御情報を報知チャネルまたは共有チャネルにマッピングして符号化・変調部８３５へ出力する。
【０１７５】
符号化・変調部８３５は、入力された送信データや、システム情報作成部８３１、同期信号作成部８３２、パイロット作成部８３３および無線回線制御情報作成部８３４から出力された各情報（信号）の符号化および変調を行う。そして、符号化・変調部８３５は、符号化および変調によって得られた信号を送信無線部８３６へ出力する。
【０１７６】
送信無線部８３６は、符号化・変調部８３５から出力された信号の送信処理を行う。送信無線部８３６における送信処理には、たとえば、デジタル信号からアナログ信号への変換や、ベースバンド帯から高周波帯への周波数変換や、増幅などが含まれる。送信無線部８３６は、送信処理により得られた信号をアンテナ８０１へ出力する。
【０１７７】
図８Ｃは、基地局のハードウェア構成の一例を示す図である。図８Ｃにおいて、図８Ａ，図８Ｂに示した部分と同様の部分については同一の符号を付して説明を省略する。図８Ａ，図８Ｂに示した基地局８００は、たとえば図８Ｃに示す通信装置８４０により実現することができる。通信装置８４０は、アンテナ８０１と、ＬＳＩ８４１と、ＤＳＰ８４２と、メモリ８４３と、通信インタフェース８４４（Ｉ／Ｆ）と、を備える。
【０１７８】
ＬＳＩ８４１（Ｌａｒｇｅ  Ｓｃａｌｅ  Ｉｎｔｅｇｒａｔｉｏｎ：大規模集積回路）は、アンテナ８０１およびＤＳＰ８４２と接続されている。図８Ａ，図８Ｂに示した受信無線部８１１および送信無線部８３６は、たとえばＬＳＩ８４１などの回路により実現することができる。
【０１７９】
ＤＳＰ８４２（Ｄｉｇｉｔａｌ  Ｓｉｇｎａｌ  Ｐｒｏｃｅｓｓｏｒ）は、ＬＳＩ８４１、メモリ８４３および通信インタフェース８４４と接続されている。ＤＳＰ８４２は、通信装置８４０の全体の制御を行う。メモリ８４３には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＤＳＰ８４２のワークエリアとして使用される。補助メモリは、たとえば磁気ディスク、フラッシュメモリなどの不揮発メモリである。補助メモリには、通信装置８４０を動作させる各種のプログラムが記憶されている。補助メモリに記憶されたプログラムは、メインメモリにロードされてＤＳＰ８４２によって実行される。
【０１８０】
通信インタフェース８４４は、外部の通信装置との間で通信を行う通信インタフェースである。通信インタフェース８４４には、たとえば有線の通信インタフェースを用いることができる。
【０１８１】
図８Ａ，図８Ｂに示した復調・復号部８１２、無線回線品質情報抽出部８１３、無線回線制御情報抽出部８１４、無線回線制御部８２１およびシステム情報管理・記憶部８２２は、たとえばＤＳＰ８４２などの回路およびメモリ８４３により実現することができる。また、図８Ａ，図８Ｂに示したシステム情報作成部８３１、同期信号作成部８３２、パイロット作成部８３３、無線回線制御情報作成部８３４および符号化・変調部８３５は、たとえばＤＳＰ８４２などの回路およびメモリ８４３により実現することができる。また、図８Ａ，図８Ｂに示したシステム情報管理・記憶部８２２の隣接セルとの通信のインタフェースは、たとえば通信インタフェース８４４により実現することができる。
【０１８２】
また、ＤＳＰ８４２に代えて、ＣＰＵ（Ｃｅｎｔｒａｌ  Ｐｒｏｃｅｓｓｉｎｇ  Ｕｎｉｔ：中央処理装置）や、ＤＳＰとＣＰＵの組み合わせなどを用いてもよい。
【０１８３】
（端末）
図９Ａは、端末の一例を示す図である。図９Ｂは、図９Ａに示した端末における信号の流れの一例を示す図である。図９Ａ，図９Ｂに示すように、端末９００は、アンテナ９０１と、受信部９１０と、制御部９２０と、送信部９３０と、を備える。
【０１８４】
受信部９１０は、受信無線部９１１と、復調・復号部９１２と、システム情報抽出部９１３と、無線回線制御情報抽出部９１４と、同期信号抽出部９１５と、セルＩＤ抽出部９１６と、を備える。また、受信部９１０は、パイロット算出部９１７と、無線回線品質測定・算出部９１８と、パイロット抽出部９１９と、を備える。
【０１８５】
制御部９２０は、同期制御部９２１と、端末設定制御部９２２と、システム情報記憶部９２３と、無線回線制御部９２４と、セル選択制御部９２５と、を備える。送信部９３０は、無線回線品質情報作成部９３１と、無線回線制御信号作成部９３２と、符号化・変調部９３３と、送信無線部９３４と、を備える。
【０１８６】
図１Ａ〜図１Ｄに示した受信部１３１は、たとえばアンテナ９０１および受信部９１０によって実現することができる。図１Ａ〜図１Ｄに示した制御部１３２は、たとえば制御部９２０によって実現することができる。
【０１８７】
アンテナ９０１は、基地局（たとえば基地局５１１，５３１または基地局８００）から無線送信された信号を受信し、受信した信号を受信無線部９１１へ出力する。また、アンテナ９０１は、送信無線部９３４から出力された信号を基地局へ無線送信する。
【０１８８】
受信無線部９１１は、アンテナ９０１から出力された信号の受信処理を行う。受信無線部９１１における受信処理には、たとえば、増幅、高周波帯からベースバンド帯への周波数変換、アナログ信号からデジタル信号への変換などが含まれる。受信無線部９１１は、受信処理を行った信号を復調・復号部９１２へ出力する。
【０１８９】
復調・復号部９１２は、受信無線部９１１から出力された信号の復調および復号を行う。そして、復調・復号部９１２は、復調および復号により得られた受信データを出力する。復調・復号部９１２から出力された受信データは、受信部９１０の上位レイヤの処理部、システム情報抽出部９１３、無線回線制御情報抽出部９１４、同期信号抽出部９１５およびパイロット抽出部９１９へ出力される。
【０１９０】
システム情報抽出部９１３は、復調・復号部９１２から出力された受信データに含まれる、基地局８００から報知情報（Ｂｒｏａｄｃａｓｔ  Ｉｎｆｏｒｍａｔｉｏｎ）として送信されたシステム情報（Ｓｙｓｔｅｍ  Ｉｎｆｏｒｍａｔｉｏｎ）を抽出する。システム情報には、たとえば、キャリアアグリゲーションの実施に関する情報や、上述した隣接セルリストなどが含まれる。システム情報抽出部９１３は、抽出したシステム情報を、端末設定制御部９２２、セル選択制御部９２５へ出力する。
【０１９１】
また、システム情報抽出部９１３は、たとえば基地局５１１の配下の各小セルのセルＩＤ、周波数、帯域幅が、システムとして予め決められている場合は、抽出したシステム情報をシステム情報記憶部９２３に記憶させてもよい。この場合は、端末９００は、基地局５１１の大セル５２１においてその後はシステム情報を受信しなくてもよい。また、システム情報は予めシステム情報記憶部９２３に記憶されていてもよい。
【０１９２】
無線回線制御情報抽出部９１４は、復調・復号部９１２から出力された受信データに含まれる無線回線制御情報を抽出し、抽出した無線回線制御情報を無線回線制御部９２４へ出力する。無線回線制御情報には、ランダムアクセスレスポンスやハンドオーバ指示などが含まれる。
【０１９３】
同期信号抽出部９１５は、復調・復号部９１２から出力された受信データに含まれる同期信号であるＰＳＳおよびＳＳＳを抽出する。そして、同期信号抽出部９１５は、ＰＳＳおよびＳＳＳの抽出結果を、セルＩＤ抽出部９１６および同期制御部９２１へ出力する。
【０１９４】
セルＩＤ抽出部９１６は、同期信号抽出部９１５から出力された抽出結果に基づいて、ＰＳＳおよびＳＳＳの送信元のセルのセルＩＤを抽出する。そして、セルＩＤ抽出部９１６は、抽出したセルＩＤをパイロット算出部９１７および無線回線制御部９２４へ出力する。
【０１９５】
パイロット算出部９１７は、セルＩＤ抽出部９１６から出力されたセルＩＤに基づくパイロットのパターンを算出する。そして、パイロット算出部９１７は、算出したパイロットのパターンを無線回線品質測定・算出部９１８へ通知する。
【０１９６】
無線回線品質測定・算出部９１８は、パイロット算出部９１７から通知されたパターンのパイロットを抽出するようにパイロット抽出部９１９を制御する。そして、無線回線品質測定・算出部９１８は、パイロット抽出部９１９から出力されたパイロットに基づく無線回線品質の測定を行い、測定結果に基づく無線回線品質情報の算出を行う。そして、無線回線品質測定・算出部９１８は、算出した無線回線品質情報をセル選択制御部９２５および無線回線品質情報作成部９３１へ出力する。無線回線品質情報は、たとえば、ＣＱＩ、ＲＳＲＰ、ＲＳＲＱなどである。
【０１９７】
同期制御部９２１は、同期信号抽出部９１５から出力された抽出結果に基づいて、パイロットの送信元の基地局との間で同期をとる。同期は、たとえば、フレーム先頭のタイミングを合わせるなどの無線フレームの同期や、無線フレームを構成するスロットや、スロットを構成するシンボル（または無線信号）の同期である。なお１無線フレームは、２０スロット、または２スロットを１サブフレームとし１０サブフレームで構成される。
【０１９８】
同期制御部９２１は、同期をとったタイミングに基づいて、端末９００における受信や送信のタイミングを制御する同期制御を行う。たとえば、同期制御部９２１は、基地局との間で同期をとったタイミングを端末設定制御部９２２へ通知する。
【０１９９】
端末設定制御部９２２は、同期制御部９２１から通知されるタイミングに基づいて、受信無線部９１１、復調・復号部９１２、符号化・変調部９３３および送信無線部９３４の制御を行う。端末設定制御部９２２における制御は、たとえば、システム情報抽出部９１３から出力されたシステム情報や、システム情報記憶部９２３に記憶されたシステム情報が用いられる。また、端末設定制御部９２２における制御には、キャリアアグリゲーションなどに関する制御が含まれる。
【０２００】
無線回線制御部９２４は、端末９００の無線回線の制御を行う。端末９００の無線回線の制御には、たとえばランダムアクセスやハンドオーバなどが含まれる。端末９００の無線回線の制御は、たとえば、セルＩＤ抽出部９１６から出力されたセルＩＤや、無線回線制御情報抽出部９１４から出力された無線回線制御情報などに基づいて行われる。無線回線制御部９２４は、無線回線の制御に応じた無線回線制御情報を無線回線制御信号作成部９３２へ通知する。
【０２０１】
セル選択制御部９２５は、端末９００が接続するＰセルおよびＳセルの選択を行う。セル選択制御部９２５によるセル選択は、無線回線品質測定・算出部９１８から出力された無線回線品質情報や、システム情報抽出部９１３から出力されたシステム情報や、システム情報記憶部９２３に記憶されたセル選択情報などに基づいて行われる。このシステム情報には、上述した隣接セルリストが含まれる。そして、セル選択制御部９２５は、選択したセルを無線回線品質情報作成部９３１へ通知する。
【０２０２】
たとえば、セル選択制御部９２５は、端末９００が接続するＰセルを選択する場合に、システム情報抽出部９１３から出力されたシステム情報に含まれる隣接セルリストに基づいて、Ｐセルとして接続可能なセルを選択する。
【０２０３】
また、セル選択制御部９２５は、端末９００が接続するＳセルを選択する場合に、システム情報抽出部９１３から出力されたシステム情報に含まれる隣接セルリストに基づいて、Ｓセルとして接続可能なセルを選択してもよい。ただし、端末９００が接続するＳセルを基地局８００で選択する場合は、セル選択制御部９２５は、システム情報によって指示されるＳセルを選択する。
【０２０４】
送信部９３０には、送信部９３０の上位レイヤの処理部から、端末９００が送信すべき送信データが入力される。送信部９３０へ入力された送信データは符号化・変調部９３３へ入力される。
【０２０５】
無線回線品質情報作成部９３１は、無線回線品質測定・算出部９１８から出力された無線回線品質情報と、セル選択制御部９２５から通知されたセルと、に基づく無線回線品質情報を作成する。そして、無線回線品質情報作成部９３１は、作成した無線回線品質情報を、制御チャネルにマッピングして符号化・変調部９３３へ出力する。
【０２０６】
無線回線制御信号作成部９３２は、無線回線制御部９２４から通知された無線回線制御情報を作成し、作成した無線回線制御情報を制御チャネルにマッピングして符号化・変調部９３３へ出力する。
【０２０７】
符号化・変調部９３３は、入力された送信データや、無線回線品質情報作成部９３１および無線回線制御信号作成部９３２から出力された各情報（信号）の符号化および変調を行う。そして、符号化・変調部９３３は、符号化および変調によって得られた信号を送信無線部９３４へ出力する。
【０２０８】
送信無線部９３４は、符号化・変調部９３３から出力された信号の送信処理を行う。送信無線部９３４における送信処理には、たとえば、デジタル信号からアナログ信号への変換や、ベースバンド帯から高周波帯への周波数変換や、増幅などが含まれる。送信無線部９３４は、送信処理により得られた信号をアンテナ９０１へ出力する。
【０２０９】
図９Ｃは、端末のハードウェア構成の一例を示す図である。図９Ｃにおいて、図９Ａ，図９Ｂに示した部分と同様の部分については同一の符号を付して説明を省略する。図９Ａ，図９Ｂに示した端末９００は、たとえば図９Ｃに示す通信装置９４０により実現することができる。通信装置９４０は、アンテナ９０１と、ＬＳＩ９４１と、ＤＳＰ９４２と、メモリ９４３と、表示部９４４と、マイク９４５と、拡声器９４６と、を備える。
【０２１０】
ＬＳＩ９４１は、アンテナ９０１およびＤＳＰ９４２と接続されている。図９Ａ，図９Ｂに示した受信無線部９１１および送信無線部９３４は、たとえばＬＳＩ９４１などの回路により実現することができる。
【０２１１】
ＤＳＰ９４２は、ＬＳＩ９４１およびメモリ９４３に接続されている。ＤＳＰ９４２は、通信装置９４０の全体の制御を行う。メモリ９４３には、たとえばメインメモリおよび補助メモリが含まれる。メインメモリは、たとえばＲＡＭである。メインメモリは、ＤＳＰ９４２のワークエリアとして使用される。補助メモリは、たとえば磁気ディスク、フラッシュメモリなどの不揮発メモリである。補助メモリには、通信装置９４０を動作させる各種のプログラムが記憶されている。補助メモリに記憶されたプログラムは、メインメモリにロードされてＤＳＰ９４２によって実行される。
【０２１２】
図９Ａ，図９Ｂに示した復調・復号部９１２、システム情報抽出部９１３、無線回線制御情報抽出部９１４、同期信号抽出部９１５およびセルＩＤ抽出部９１６は、たとえばＤＳＰ９４２などの回路およびメモリ９４３により実現することができる。図９Ａ，図９Ｂに示したパイロット算出部９１７、無線回線品質測定・算出部９１８およびパイロット抽出部９１９は、たとえばＤＳＰ９４２などの回路およびメモリ９４３により実現することができる。
【０２１３】
図９Ａ，図９Ｂに示した同期制御部９２１、端末設定制御部９２２、システム情報記憶部９２３、無線回線制御部９２４およびセル選択制御部９２５は、たとえばＤＳＰ９４２などの回路およびメモリ９４３により実現することができる。図９Ａ，図９Ｂに示した無線回線品質情報作成部９３１、無線回線制御信号作成部９３２および符号化・変調部９３３は、たとえばＤＳＰ９４２などの回路およびメモリ９４３により実現することができる。また、ＤＳＰ９４２に代えて、ＣＰＵや、ＤＳＰとＣＰＵの組み合わせなどを用いてもよい。
【０２１４】
表示部９４４、マイク９４５および拡声器９４６は、通信装置９４０のユーザとの間のユーザインタフェースである。表示部９４４は、たとえばタッチパネルなど、入力デバイスを兼ねた装置であってもよい。
【０２１５】
（同期およびセルＩＤ算出）
フレーム同期やスロット同期などの同期およびセルＩＤについて説明する。ＬＴＥシステムの同期信号であるＰＳＳとＳＳＳは、セルＩＤを基に作成される。セルＩＤは、３つのセルＩＤを１グループとし、計１６８グループで構成されており、計５０４のセルＩＤが設定されている。グループを示すＮID（１）は０〜１６７の整数値であり、グループの要素を示すＮID（２）０〜２の整数値である。セルＩＤを式で表すと、たとえばＮID（ｃｅｌｌ）＝３ＮID（１）＋ＮID（２）となる。
【０２１６】
ここで、ＮID（ｃｅｌｌ）はセルＩＤを示す。ＮID（１）は１６８種類のグループ（セルグループ）を示す。ＮID（２）は３通りの識別子を示す。これにより、５０４種類のセルＩＤを表現できる。ＬＴＥやＬＴＥ−Ａｄｖａｎｃｅｄでは、ＰＳＳとＳＳＳとを対応付けることにより、ＰＳＳおよびＳＳＳを特定すれば、セルＩＤも特定できるようになっている。
【０２１７】
つぎに、ＰＳＳ（ルート系列）について説明する。ＰＳＳは、６２ｂｉｔの信号列である。ＰＳＳは、周波数領域のＺａｄｏｆｆ−Ｃｈｕ系列を用いて生成され、たとえば下記（６）式によって表すことができる。
【０２１８】
【数１】
2015155898.tif 000003
【０２１９】
ここで、ルートインデックスｕと、セルグループの識別子ＮID（２）と、が対応付けられている。ルートインデックスｕは、Ｚａｄｏｆｆ−Ｃｈｕルートシーケンスのインデックスを示し、予め３通りのルートインデックスｕが定義されている。端末９００は、ＰＳＳをブラインド推定し、検出された系列からＮID（２）を特定することができる。
【０２２０】
したがって、ＰＳＳとして３信号列が構成されることがわかる。すなわち、ＰＳＳを用いて同期を実施する場合、事前に３つの信号列を準備し、一致する信号系列を見つければよい。たとえば、端末９００は、受信したＰＳＳの信号列と上述した３つの信号列との相関を確認し、最も相関が高い、すなわち最も尤もらしい信号列を選択する。
【０２２１】
さらに、ＰＳＳは無線フレームを構成する１０サブフレーム（サブフレーム＃０〜サブフレーム＃９）および２０スロット（スロット＃０〜スロット＃１９）のうち、スロット＃０とスロット＃１０で送信される。よって、ＰＳＳを検出したスロットが、スロット＃０かスロット＃１０である。これを基に、スロット＃０またはスロット＃１０の先頭が算出でき、スロット同期を実施することができる。スロット＃０を含むサブフレーム＃０とスロット＃１０を含むサブフレーム＃５の先頭が算出でき、サブフレーム同期を実施することができる。さらに、スロット＃０は、無線フレームの先頭であることからフレーム同期を実施することができる。
【０２２２】
つぎに、ＳＳＳについて説明する。ＳＳＳは、ＰＳＳと同様に６２ｂｉｔの信号列であり、たとえば下記（７）式によって表すことができる。ＳＳＳは、長さ３１のバイナリ系列をインタリーブした構造となっており、ＰＳＳで与えられるスクランブル系列（ｃ0（ｎ）、ｃ1（ｎ））を用いてスクランブルされている。ただし、０≦ｎ≦３０である。
【０２２３】
【数２】
2015155898.tif 000004
【０２２４】
ｍ0およびｍ1は、ＮID（１）と対応付けられており、下記（８）式によって表すことができる。
【０２２５】
【数３】
2015155898.tif 000005
【０２２６】
上記（８）式によるｍ0およびｍ1とＮID（１）との関係は、たとえば予めシステムにおいて定義されている。また、ｓ0（ｍ0）（ｎ）およびｓ1（ｍ1）（ｎ）は、ｍ系列＾ｓ（ｎ）をサイクリックシフトすることによって生成される。すなわち、ｓ0（ｍ0）（ｎ）およびｓ1（ｍ1）（ｎ）は、下記（９）式によって表すことができる。
【０２２７】
【数４】
2015155898.tif 000006
【０２２８】
また、ｍ系列＾ｓ（ｎ）は、下記（１０）式によって表すことができる。
【０２２９】
【数５】
2015155898.tif 000007
【０２３０】
なお、初期状態においては、ｘ（０）＝０、ｘ（１）＝０、ｘ（２）＝０、ｘ（３）＝０、ｘ（４）＝１となる。
【０２３１】
つぎに、ｃ0（ｎ）およびｃ1（ｎ）について説明する。ｃ0（ｎ）およびｃ1（ｎ）は、ＰＳＳに依存するスクランブル系列であり、ｍ系列＾ｓ（ｎ）のサイクリックシフトとして表される。すなわち、ｃ0（ｎ）およびｃ1（ｎ）は、たとえば下記（１１）式によって表すことができる。
【０２３２】
【数６】
2015155898.tif 000008
【０２３３】
＾ｃ（ｎ）は、ｍ系列＾ｓ（ｎ）と同様に＾ｃ（ｉ）＝１−２ｘ（ｉ）と表されるが、ｘ（ｉ）が下記（１２）式のようになる点でｍ系列＾ｓ（ｎ）と異なる。
【０２３４】
【数７】
2015155898.tif 000009
【０２３５】
つぎに、ｚ1（ｍ0）（ｎ）およびｚ1（ｍ1）（ｎ）について説明する。ｚ1（ｍ0）（ｎ）およびｚ1（ｍ1）（ｎ）もｍ系列＾ｓ（ｎ）をサイクリックシフトすることにより生成され、たとえば下記（１３）式によって表すことができる。
【０２３６】
【数８】
2015155898.tif 000010
【０２３７】
＾ｚ（ｎ）も、ｍ系列＾ｓ（ｎ）と同様に＾ｚ（ｉ）＝１−２ｘ（ｉ）と表されるが、ｘ（ｉ）が下記（１４）式のようになる点でｍ系列＾ｓ（ｎ）と異なる。
【０２３８】
【数９】
2015155898.tif 000011
【０２３９】
端末９００において、ＳＳＳの生成メカニズム（ｍ系列やＰＳＳによるスクランブリングなど）は既知であるため、これらの情報に基づいて、ｍ0およびｍ1を特定し、ＮID（１）を導出することができる。そして、ＮID（１）およびＮID（２）に基づいてＮID（ｃｅｌｌ）を導出することができる。
【０２４０】
また、ＳＳＳを受信した端末９００は、ＰＳＳで求めたＮID（２）を基に算出したｃ0（ｎ）およびｃ1（ｎ）で受信ＳＳＳの偶数（ｄ（２ｎ））を除算することにより、受信信号であるｓ0（ｍ0）（ｎ）およびｓ1（ｍ1）（ｎ）を求める。
【０２４１】
また、端末９００は、特定したｍ0およびｍ1より作成したｓ0（ｍ0）（ｎ）とｓ1（ｍ1）（ｎ）との相関を計算することにより、受信したＳＳＳのｍ0とｍ1を導出し、ＮID（１）を導き出す。これにより、セルＩＤが算出可能になる。また、セルＩＤに基づくスロット同期およびフレーム同期が可能となる。
【０２４２】
スロット同期（またはフレーム同期）がとれてセルＩＤであるＮID（ｃｅｌｌ）がわかると、周辺基地局が送信するパイロット信号も導き出すことができる。ＬＴＥにおけるパイロット信号列は、たとえば下記（１５）式〜下記（１７）式で算出される。
【０２４３】
【数１０】
2015155898.tif 000012
【０２４４】
【数１１】
2015155898.tif 000013
【０２４５】
【数１２】
2015155898.tif 000014
【０２４６】
ｎsはスロット番号を示す。スロット番号は、スロット同期をとることで識別することができる。ｌは、スロットにおけるＯＦＤＭシンボル番号を示す。ＯＦＤＭシンボル番号について、パイロット信号の時間方向の配置は予め規定されている。ｃ（ｉ）は、疑似ランダム信号列（ＰＮ：Ｐｓｅｕｄｏ−ｒａｎｄｏｍ  Ｎｏｉｓｅ）を示す。
【０２４７】
ＮCPは、Ｎｏｒｍａｌ  ＣＰまたはＥｘｔｅｎｄｅｄ  ＣＰである。Ｅｘｔｅｎｄｅｄ  ＣＰは、大きなセルまたはＭＢＳＦＮ（Ｍｕｌｔｉｃａｓｔ−Ｂｒｏａｄｃａｓｔ  Ｓｉｎｇｌｅ  Ｆｒｅｑｕｅｎｃｙ  Ｎｅｔｗｏｒｋ）伝送を実施する場合に用いられ、通常のＣＰ（Ｎｏｒｍａｌ  ＣＰ）よりも時間がないものである。
【０２４８】
このように、セルＩＤがわかるとパイロット信号列が算出可能になる。このため、パイロット信号列を受信した端末９００は、同期信号を受信することで算出したセルＩＤを基に作成したパイロット信号列と受信したパイロット信号列を比較することにより、ＯＦＤＭシンボル単位（単にシンボルとする）の同期が可能となる。
【０２４９】
（端末によるＰセル接続処理）
図１０は、端末によるＰセル接続処理の一例を示すフローチャートである。端末９００は、Ｐセル接続処理として、たとえば図１０に示す各ステップを実行する。まず、端末９００は、ある基地局に対して待ち受け（キャンプオン）または接続を実施するために、周辺基地局からの無線回線品質を測定し、測定結果が最も良好なセルを選択する（ステップＳ１００１）。
【０２５０】
ステップＳ１００１において、たとえば、端末９００は、受信電力を測定し、最も受信電力の高いセルを選択する。この受信電力は、たとえばＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）などの特定の信号（たとえばパイロット）に基づく受信電力とすることができる。また、この受信電力は、たとえば包絡線検波（Ｅｎｖｅｌｏｐｅ  ｄｅｔｅｃｔｉｏｎ）などに基づく受信電力としてもよい。
【０２５１】
つぎに、端末９００は、ステップＳ１００１によって選択したセルに同期する（ステップＳ１００２）。つぎに、端末９００は、隣接セルリストを含むシステム情報を、ステップＳ１００２によって同期したセルから受信する（ステップＳ１００３）。上述したように、隣接セルリストには、各隣接セルがＰセルとして選択可能か否かを示す情報や、各隣接セルがＳセルとして選択可能か否かを示す情報が含まれている。
【０２５２】
また、ステップＳ１００３によって受信されるシステム情報には、隣接セルリストに加えて、ステップＳ１００２によって同期したセルがＰセルとして選択可能か否かを示す情報や、同期したセルがＳセルとして選択可能か否かを示す情報が含まれていてもよい。これにより、ステップＳ１００２によって同期したセルと、ステップＳ１００２によって同期したセルの隣接セルと、のそれぞれについて、Ｐセルとして選択可能か否かを示す情報や、Ｓセルとして選択可能か否かを示す情報を得ることができる。
【０２５３】
つぎに、端末９００は、ｎを初期化（ｎ＝１）する（ステップＳ１００４）。ｎは、接続候補のセルのインデックスが格納される変数である。接続候補のセルは、たとえば、ステップＳ１００２によって同期したセルと、ステップＳ１００２によって同期したセルの隣接セルと、を含む各セルである。接続候補のセルは、たとえばステップＳ１００３によって受信された隣接セルリストを含むシステム情報によって特定することができる。
【０２５４】
つぎに、端末９００は、セルｎに同期する（ステップＳ１００５）。つぎに、端末９００は、ステップＳ１００３によって受信した隣接セルリストを含むシステム情報に基づいて、ステップＳ１００５によって同期したセルｎが、Ｐセルとして接続可能なセルか否かを判断する（ステップＳ１００６）。Ｐセルとして接続可能なセルでない場合（ステップＳ１００６：Ｎｏ）は、端末９００は、ステップＳ１００９へ移行する。
【０２５５】
ステップＳ１００６において、Ｐセルとして接続可能なセルである場合（ステップＳ１００６：Ｙｅｓ）は、端末９００は、セルｎの無線回線品質を測定する（ステップＳ１００７）。ステップＳ１００７によって測定される無線回線品質は、たとえばＲＳＲＱやＲＳＲＰなどである。
【０２５６】
つぎに、端末９００は、ステップＳ１００７によって測定した無線回線品質に基づくセルｎの受信品質評価結果を算出する（ステップＳ１００８）。受信品質評価結果の算出には、セルｎの優先度などの調整情報が用いられてもよい。セルｎの優先度などの情報は、たとえば、ステップＳ１００３によって受信したシステム情報に含まれているものとすることができる。または、セルｎの優先度などの情報は、たとえばステップＳ１００５の後にセルｎから受信したものであってもよい。
【０２５７】
つぎに、端末９００は、ｎをインクリメント（ｎ＝ｎ＋１）する（ステップＳ１００９）。つぎに、端末９００は、ｎがＫより大きくなったか否かを判断する（ステップＳ１０１０）。Ｋは、端末９００の接続候補のセルの数である。ｎがＫより大きくなっていない場合（ステップＳ１０１０：Ｎｏ）は、端末９００は、ステップＳ１００５へ戻る。
【０２５８】
ステップＳ１０１０において、ｎがＫより大きくなった場合（ステップＳ１０１０：Ｙｅｓ）は、端末９００は、ステップＳ１００６においてＰセルとして接続可能なセルであると判断したセルの中から接続先のセルを選択する（ステップＳ１０１１）。接続先のセルの選択は、たとえばステップＳ１００８によって算出された受信品質評価結果の比較結果に基づいて行われる。
【０２５９】
つぎに、端末９００は、ステップＳ１０１１によって選択したセルに対するランダムアクセスなどの回線接続を実行し（ステップＳ１０１２）、一連のＰセル接続処理を終了する。ステップＳ１０１２における回線接続は、Ｐセルへの接続であるため、たとえば競合ベースのランダムアクセス（たとえば図７Ａ参照）によって行われる。
【０２６０】
たとえば、端末９００は、ステップＳ１０１１によって選択したセルに対して再び同期をとり、選択したセルから回線接続に関するシステム情報を受信する。このシステム情報には、たとえば、使用可能なランダムアクセスプリアンブルの組、ランダムアクセスプリアンブルの送信フォーマット、ランダムアクセスプリアンブルの送信タイミング、ランダムアクセスプリアンブルの送信電力の初期値などが含まれる。これらの情報は、ＬＴＥシステムにおいては、たとえば３ＧＰＰのＴＳ３６．３３１で定義されたＳＩＢ２に含まれている。
【０２６１】
端末９００は、このＳＩＢ２に含まれる回線接続のための情報に基づいて、たとえば図７Ａに示した競合ベースのランダムアクセスを開始する。このとき、ランダムアクセスプリアンブルは、端末９００を識別するための情報として使用される。また、端末９００は、競合ベースのランダムアクセスに、ＲＡＣＨ（Ｒａｎｄｏｍ  Ａｃｃｅｓｓ  ＣＨａｎｎｅｌ：ランダムアクセスチャネル）またはＰＲＡＣＨ（Ｐｈｙｓｉｃａｌ  ＲＡＣＨ：物理ランダムアクセスチャネル）の設定情報を用いてもよい。
【０２６２】
図１０に示した例では、たとえば、ステップＳ１００５，Ｓ１００６の順序を入れ替えてもよい。これにより、Ｐセルとして接続可能でないセルについては同期しないようにすることができる。また、たとえばステップＳ１００７において、セルｎに同期していなくても測定可能な無線回線品質を測定する場合（たとえば包絡線検波に基づく無線回線品質）は、ステップＳ１００５を省いてもよい。
【０２６３】
このように、隣接セルがＰセルとして接続可能か否かを示す情報を含む隣接セルリストを用いることで、たとえばＰセルとして接続できないセルを選択して接続することを抑制し、Ｐセルとして最適なセルを選択して接続することが可能となる。なお、ここで最適なセルとは、受信電力が最も高い基地局であってもよいし、受信信号品質が最もよいセルであってもよい。また、受信電力と受信信号品質の両方を考慮して最適なセルを選択することもできる。
【０２６４】
また、たとえば図１０に示したように、隣接セルがＰセルとして接続可能か否かを示す情報を含む隣接セルリストを用いることで、Ｐセルとして接続可能でないセルについての無線回線品質の測定を行わないようにすることができる。これにより、無線回線品質の測定の効率化を図ることができる。たとえば、測定や算出の処理量の低減、セル選択対象の削減による選択処理量の低減を図ることができる。これにより、たとえばセル選択の時間短縮や伝送速度などを向上させることができる。
【０２６５】
（端末によるＳセル接続処理）
図１１は、端末によるＳセル接続処理の一例を示すフローチャートである。端末９００は、たとえば図１０に示したＰセル接続処理によってＰセル（たとえば基地局５１１）に接続した状態で、Ｓセル接続処理として、たとえば図１１に示す各ステップを実行する。
【０２６６】
まず、端末９００は、Ｐセルの隣接セルのセル情報をＰセルから受信する（ステップＳ１１０１）。Ｐセルの隣接セルは、端末９００のＳセルの候補となるセルである。セル情報は、たとえばＰセルの配下の各小セルの周波数、帯域幅、セルＩＤなどのシステム情報などを含んでいてもよい。
【０２６７】
つぎに、端末９００は、無線回線品質の測定を要求する無線回線品質測定要求をＰセルから受信する（ステップＳ１１０２）。なお、たとえば端末９００が無線回線品質の測定を周期的に行う場合は、ステップＳ１１０２を省いた処理としてもよい。
【０２６８】
つぎに、端末９００は、ｎを初期化（ｎ＝１）する（ステップＳ１１０３）。ｎは、ステップＳ１１０１によって受信したセル情報が示す接続候補のセルのインデックスを格納する変数である。つぎに、端末９００は、セルｎに同期する（ステップＳ１１０４）。ステップＳ１１０４による同期は、たとえばステップＳ１１０１によって受信したセル情報に含まれる周波数、帯域幅、セルＩＤなどに基づいて行うことができる。
【０２６９】
つぎに、端末９００は、ステップＳ１１０４によって同期したセルｎが、Ｓセルとして接続可能なセルか否かを判断する（ステップＳ１１０５）。ステップＳ１１０５における判断は、たとえば、図１０に示したステップＳ１００３によって受信した隣接セルリストを含むシステム情報に基づいて行うことができる。Ｓセルとして接続可能なセルでない場合（ステップＳ１１０５：Ｎｏ）は、端末９００は、ステップＳ１１０８へ移行する。
【０２７０】
ステップＳ１１０５において、Ｓセルとして接続可能なセルである場合（ステップＳ１１０５：Ｙｅｓ）は、端末９００は、セルｎの無線回線品質を測定する（ステップＳ１１０６）。ステップＳ１１０６によって測定される無線回線品質は、たとえばＲＳＲＱやＲＳＲＰなどである。ステップＳ１１０６による無線回線品質の測定は、たとえばステップＳ１１０１によって受信したセル情報に含まれる周波数、帯域幅、セルＩＤなどに基づいて行うことができる。つぎに、端末９００は、ステップＳ１１０６による無線回線品質の測定結果を、接続中のＰセルへ送信する（ステップＳ１１０７）。
【０２７１】
つぎに、端末９００は、ｎをインクリメント（ｎ＝ｎ＋１）する（ステップＳ１１０８）。つぎに、端末９００は、ｎがＫより大きくなったか否かを判断する（ステップＳ１１０９）。Ｋは、ステップＳ１１０１によって受信したセル情報が示す端末９００の接続候補のセルの数である。ｎがＫより大きくなっていない場合（ステップＳ１１０９：Ｎｏ）は、端末９００は、ステップＳ１１０４へ戻る。
【０２７２】
ステップＳ１１０９において、ｎがＫより大きくなった場合（ステップＳ１１０９：Ｙｅｓ）は、端末９００は、Ｓセル追加要求をＰセルから受信する（ステップＳ１１１０）。Ｓセル追加要求は、ステップＳ１１０７によって送信した測定結果に基づいてＰセルが選択したセルをＳセルとして追加することを端末９００に要求する制御信号である。
【０２７３】
つぎに、端末９００は、ステップＳ１１１０によって受信したＳセル追加要求に基づくランダムアクセスなどの回線接続を実行し（ステップＳ１１１１）、一連のＳセル接続処理を終了する。ステップＳ１１１１における回線接続は、Ｓセルへの接続であるため、たとえば非競合ベースのランダムアクセス（たとえば図７Ｂ参照）によって行われる。
【０２７４】
たとえば、Ｓセル追加要求には、接続先のＳセルにおいて利用可能な非競合ベースのランダムアクセスの個別プリアンブルが含まれる。端末９００は、Ｓセル追加要求に含まれる個別プリアンブルを用いて非競合ベースのランダムアクセスを行うことで、Ｐセルによって選択されたＳセルに接続することができる。
【０２７５】
（基地局によるＳセル選択処理）
図１２は、基地局（Ｐセル）によるＳセル選択処理の一例を示すフローチャートである。端末９００がＰセルとして接続している基地局８００（たとえば基地局５１１）は、端末９００のためのＳセル選択処理として、たとえば図１２に示す各ステップを実行する。
【０２７６】
まず、基地局８００は、自セルの隣接セル（たとえば基地局５３１のセル）のセル情報を端末９００へ送信する（ステップＳ１２０１）。つぎに、基地局８００は、無線回線品質の測定を要求する無線回線品質測定要求を端末９００へ送信する（ステップＳ１２０２）。なお、たとえば端末９００が無線回線品質の測定を周期的に行う場合は、ステップＳ１２０２を省いた処理としてもよい。つぎに、基地局８００は、たとえば図１１に示したステップＳ１１０７によって端末９００から送信される無線回線品質の測定結果を受信する（ステップＳ１２０３）。
【０２７７】
つぎに、基地局８００は、ステップＳ１２０３によって受信した測定結果に基づく受信品質評価結果を算出する（ステップＳ１２０４）。受信品質評価結果の算出には、たとえば隣接セル情報などに含まれる各セルの優先度やオフセットなどが用いられる。
【０２７８】
つぎに、基地局８００は、端末９００がＳセルとして接続可能なセルの中から、端末９００の接続先のセルを選択する（ステップＳ１２０５）。接続先のセルの選択は、たとえばステップＳ１２０４で算出された受信品質評価結果の比較結果に基づいて行われる。たとえば、基地局８００は、受信品質評価結果が最も高いセルや、受信品質評価結果が閾値以上のセルのうちのいずれかを、接続先のセルに選択する。
【０２７９】
つぎに、基地局８００は、ステップＳ１２０５によって選択したセル（たとえば基地局５３１）へ、端末９００が接続するための接続情報を要求する接続情報要求を送信する（ステップＳ１２０６）。接続情報には、たとえば非競合ベースのランダムアクセスの個別プリアンブルが含まれる。この個別プリアンブルは、特定の期間において特定の端末のみが使用可能なランダムアクセスプリアンブルであり、個別ランダムアクセスプリアンブルとも呼ばれる。
【０２８０】
つぎに、基地局８００は、ステップＳ１２０５によって選択したセルから、ステップＳ１２０６によって送信した接続情報要求に対する接続情報を受信する（ステップＳ１２０７）。つぎに、基地局８００は、ステップＳ１２０７によって受信した個別プリアンブルなどの接続情報を含むＳセル追加要求であってＳセルの追加を要求するＳセル追加要求を端末９００へ送信し（ステップＳ１２０８）、一連のＳセル選択処理を終了する。
【０２８１】
なお、Ｓセルとして接続可能なセルの中には、下り回線のみしかなく上り回線の設定がないセルも存在する。下りしかないセルでは、上り送信が不可能であることからランダムアクセスを実施することが不可能である。この場合、ランダムアクセスを実施せず、下り回線を設定追加することで、回線接続を実施する。
【０２８２】
（端末によるＳセル接続処理の変形例）
図１３は、端末によるＳセル接続処理の変形例を示すフローチャートである。端末９００は、たとえば図１０に示したＰセル接続処理によってＰセルに接続した状態で、Ｓセル接続処理として、たとえば図１３に示す各ステップを実行してもよい。
【０２８３】
まず、端末９００は、ステップＳ１３０１において、Ｓセル情報をＰセルから受信する（ステップＳ１３０１）。Ｓセル情報は、Ｐセルの隣接セルであって、Ｓセルとして接続可能なセルを示す情報である。
【０２８４】
図１３に示すステップＳ１３０２〜Ｓ１３０４は、図１１に示したステップＳ１１０２〜Ｓ１１０４と同様である。ステップＳ１３０４のつぎに、端末９００は、セルｎの無線回線品質を測定する（ステップＳ１３０５）。ステップＳ１３０５によって測定される無線回線品質は、たとえばＲＳＲＱやＲＳＲＰなどである。図１３に示すステップＳ１３０６〜Ｓ１３１０は、図１１に示したステップＳ１１０７〜Ｓ１１１１と同様である。
【０２８５】
このように、端末９００は、Ｓセルとして接続可能なセルを示すＳセル情報を受信することで、各セルについてＳセルとして接続可能か否かを判断しなくても、Ｓセルとして接続可能なセルについてのみ無線回線品質を測定し、Ｓセルを選択することができる。
【０２８６】
（基地局によるＳセル選択処理の変形例）
図１４は、基地局（Ｐセル）によるＳセル選択処理の変形例を示すフローチャートである。端末９００が図１３に示したＳセル接続処理を行う場合は、端末９００がＰセルとして接続している基地局８００は、端末９００のためのＳセル選択処理として、たとえば図１４に示す各ステップを実行する。
【０２８７】
まず、基地局８００は、Ｓセル情報を端末９００へ送信する（ステップＳ１４０１）。Ｓセル情報は、自セルの隣接セルのうちのＳセルとして接続可能であるセルを示す情報である。Ｓセル情報は、たとえば基地局８００が隣接セルから受信した隣接セル情報などに基づいて生成することができる。図１４に示すステップＳ１４０２〜Ｓ１４０８は、図１２に示したステップＳ１２０２〜Ｓ１２０８と同様である。
【０２８８】
図１３，図１４に示したように、Ｓセルとして接続可能なセルを基地局８００から端末９００へ通知してもよい。これにより、端末９００が各セルについてＳセルとして接続可能か否かを判断しなくても、Ｓセルとして接続可能なセルについてのみ無線回線品質を測定し、Ｓセルを選択することができる。
【０２８９】
また、Ｓセルとして接続可能でないセルを基地局８００から端末９００へ通知してもよい。この場合は、端末９００は、基地局８００から通知されたＳセルとして接続可能でないセルを無線回線品質の測定対象から除外する。
【０２９０】
（隣接セルリスト）
図１５は、隣接セルリストの一例を示す図である。基地局８００がシステム情報に含めて報知する隣接セルリストには、たとえば図１５に示す隣接セルリスト１５００を用いることができる。隣接セルリスト１５００は、「セルＩＤ」と、「ＣＡ実施」と、「ＨＣＳ実施」と、「Ｐセルとして接続」と、「Ｓセルとして接続」と、を含む。なお、「説明」は説明の便宜上図示しているものであり、隣接セルリスト１５００から省いてもよい。
【０２９１】
「セルＩＤ」は、対象の隣接セルの識別情報である。
【０２９２】
「ＣＡ実施」は、対象の隣接セルにおいてキャリアアグリゲーションが実施されるか否かを示す情報である。図１５に示す例では、「ＣＡ実施」の“１”はキャリアアグリゲーションが実施されることを示し、「ＣＡ実施」の“０”はキャリアアグリゲーションが実施されないこと（未実施）を示す。
【０２９３】
「ＨＣＳ実施」は、対象の隣接セルにおいて階層化セル構成（ＨＣＳ）による通信が実施されるか否かを示す情報である。図１５に示す例では、「ＨＣＳ実施」の“１”は階層化セル構成による通信が実施されることを示し、「ＨＣＳ実施」の“０”は階層化セル構成による通信が実施されないこと（未実施）を示す。
【０２９４】
「Ｐセルとして接続」は、対象の隣接セルがＰセルとして接続可能か否かを示す情報である。図１５に示す例では、「Ｐセルとして接続」の“１”はＰセルとして接続可能（可）であることを示し、「Ｐセルとして接続」の“０”はＰセルとして接続不能（不可）であることを示す。
【０２９５】
「Ｓセルとして接続」は、対象の隣接セルがＳセルとして接続可能か否かを示す情報である。図１５に示す例では、「Ｓセルとして接続」の“１”はＳセルとして接続可能（可）であることを示し、「Ｓセルとして接続」の“０”はＳセルとして接続不能（不可）であることを示す。
【０２９６】
端末９００は、たとえば基地局８００から受信した隣接セルリスト１５００に基づいてセル選択を行う。たとえば、端末９００は、キャリアアグリゲーションが実施されかつ階層化セル構成であるエリアで回線接続を実施する場合に、「ＣＡ実施」、「ＨＣＳ実施」および「Ｐセルとして接続」がすべて“１”であるセルＩＤを隣接セルリスト１５００から取得する。図１５に示す例では、端末９００はたとえば“Ｉｄ１”および“Ｉｄ３”を取得する。そして、端末９００は、取得したセルＩＤが示す各セルについて無線回線品質を測定し、測定結果が良好なセルをＰセルに選択する。
【０２９７】
また、常にキャリアアグリゲーションが実施されるシステムにおいては、たとえば隣接セルリスト１５００から「ＣＡ実施」の項目を省いてもよい。また、常に階層化セル構成となるシステムにおいては、たとえば隣接セルリスト１５００から「ＨＣＳ実施」の項目を省いてもよい。
【０２９８】
図１６は、隣接セルリストの変形例１を示す図である。図１６に示すように、隣接セルリスト１５００から「Ｓセルとして接続」の項目を省いてもよい。なお、図１６に示す例では隣接セルリスト１５００の「説明」も省いている。
【０２９９】
たとえば、図１３，図１４に示した例のように、端末９００が各セルについてＳセルとして接続可能か否かを判断しなくてもよい場合は、図１６に示す例のように隣接セルリスト１５００から「Ｓセルとして接続」の項目を省いても影響がない。
【０３００】
この場合に、たとえば、各隣接セルがＰセルおよびＳセルのいずれかでのみ接続可能である場合は、「Ｐセルとして接続」に基づいて各隣接セルがＳセルとして接続可能か否かを判断することができる。たとえば、「Ｐセルとして接続」が“１”である隣接セルはＳセルとして接続可能でないと判断することができる。また、「Ｐセルとして接続」が“０”である隣接セルはＳセルとして接続可能であると判断することができる。
【０３０１】
図１７は、隣接セルリストの変形例２を示す図である。図１７に示すように、たとえば図１６に示した隣接セルリスト１５００において、「Ｐセルとして接続」の項目に代えて「Ｐ／Ｓセルとして接続」の項目を含めてもよい。「Ｐ／Ｓセルとして接続」の“１”は、Ｐセルとして接続可能（Ｐセル可）であることを示す。この場合に、Ｓセルとして接続可能であるか否かは問わない。「Ｐ／Ｓセルとして接続」の“０”は、Ｓセルとしてのみ接続可能である（Ｓセルのみ可）であることを示す。
【０３０２】
また、隣接セルリストは、図１５〜図１７に示した隣接セルリスト１５００に限らず、隣接セルがＰセルまたはＳセルとして接続可能であるかを示す各形態の隣接セルリストとすることができる。
【０３０３】
このように、実施の形態２によれば、階層化セル構成において、たとえばＰセルでの接続が可能であることを示す情報を、基地局８００が報知する隣接セルリストに含めることで、端末９００におけるＰセルなどの選択誤りを抑制することができる。
【０３０４】
以上説明したように、システム、基地局および端末によれば、セルの誤選択を抑制することができる。
【０３０５】
たとえば、従来、基地局は、階層化セル構成における優先度やセル選択におけるオフセットをセル選択情報として端末に通知していた。しかしながら、優先度やオフセットを用いて小セルが選択されるようにしたとしても、小セルが選択されるとは限らないという問題があった。特に、図５Ｂに示すように、階層化セル構成において大セルをＰセル、小セルをＳセルとして通信が行われる場合は、小セルがＰセルに選択されてしまうと、目的にあった通信の形態とならなくなってしまう。
【０３０６】
たとえば、小セルの近辺では遠方の大セルよりも小セルの方が、受信強度が大きくなる場合があり、単純に受信強度の大きさに基づいてＰセルを選択したのでは、大セルをＰセルにすることができるとは限らない。また、優先度に応じて測定結果を調整する従来の方法では、大セル（マクロ基地局）と端末の位置関係（遠近）によって小セルに対する大セルのプライオリティを異ならせることが求められる。しかし、プライオリティなどの設定情報をブロードキャスト配信する関係上、同じ内容のものしか送信できない。
【０３０７】
以下、これらの問題について詳細に説明する。
【０３０８】
＜Ｐセルの選択誤り＞
受信電力を基にセル選択を実施する場合を例として説明する。たとえば、セルの優先度を用いる場合、優先度が数値化、数値が大きいほど優先度が高いとする。このとき、セルの優先度と受信電力を乗算した値を基に、セル選択を実施するとする。この場合は、たとえば同じ受信電力であれば優先度が高いセルが選択される。
【０３０９】
しかし、この場合、優先度が低く受信電力が高いセルと、優先度が高く受信電力が低いセルで、選択されるセルが異なる場合が想定される。すなわち、優先度が高いセルが選択されるとは限らない。
【０３１０】
また、上述のように、従来、端末の低消費電力化や周波数利用効率の改善のために、小セルに対して優先的に接続することが目的となっている。すなわち、小セルの優先度が大セルの優先度と比較して高く設定される。また、小セルのオフセットが大セルのオフセットと比較して大きく設定される。よって、小セルが優先的にＰセルとして選択されてしまう場合がある。
【０３１１】
小セルをＰセルとして選択し、小セルではデータのみ伝送するとされていた場合、ランダムアクセスにより回線接続後の制御信号を受信できなくなり、Ｓセルの追加などの回線設定に支障が生じる。なお、受信電力とオフセットを用いてセル選択した場合についても、同様に、小セルがＰセルとして選択される場合もある。
【０３１２】
これらの問題は、従来の優先度やオフセットが、大セルがＰセルであり小セルがＳセルとなるとの制限がない階層化セル構成を前提としているために生じる問題点である。
【０３１３】
＜Ｓセルの選択誤り＞
仮に大セルをＰセルとして選択できた場合に、続いて小セルをＳセルとして選択することになる。Ｓセルの選択においても、Ｐセルの選択と同様に、セルの優先度やオフセットが用いられる。ここで、従来の優先度やオフセットは、１つのセルを選択するためのものであり、複数のセルを利用するためのものではない。
【０３１４】
しかし、Ｐセルの選択のために設定された優先度やオフセットがＳセルの選択においても用いられることとなる。この結果、大セルがＳセルとして選択される場合があり、階層化セル構成とした意味がないものとなってしまう。
【０３１５】
＜１つのオフセットしか設定できないため生じる問題＞
まず、１つのオフセットしか設定できない場合について説明する。たとえば、キャリアアグリゲーションを実施し、マクロセルをＰセル、ピコセルをＳセルとする場合のセル選択時に、Ｐセルを優先的に選択するように、Ｐセルからの受信電力に加算するオフセットを設定している場合を考える。なお、このオフセットは、キャリアアグリゲーションの実施の有無に係わらず設定されるものとする。
【０３１６】
キャリアアグリゲーションを実施し、マクロセル（Ｐセル）を優先的に選択する場合について説明する。この場合は、（端末とマクロセルとの間の距離）＞（端末とピコセルとの間の距離）となったときに、距離に依存して伝搬損が生じる環境ではマクロセルからの受信電力ＲX_macroよりもピコセルからの受信電力ＲX_picoが高くなる。
【０３１７】
このため、マクロセルを選択するように、マクロセルからの受信電力オフセット（Ｏｆｆｓｅｔ）が設定されているにも係わらず、ＲX_macro＋Ｏｆｆｓｅｔ＜ＲX_picoとなってしまい、選択すべきマクロセルではなくピコセルを選択してしまう場合がある。さらに、（端末とマクロセルとの間の距離）＞（端末とピコセルとの間の距離）の場合であっても、同様にピコセルが選択されてしまう場合がある。
【０３１８】
また、キャリアアグリゲーションを実施せず、上述したオフセットを設定している場合を考える。（端末とマクロセルとの間の距離）＞（端末とピコセルとの間の距離）となった場合は、マクロセルの受信電力がピコセルの受信電力より小さくても、オフセットを加算することによりマクロセルが選択される。
【０３１９】
しかし、キャリアアグリゲーションを実施していないため、マクロセルとピコセルの両方に接続するのではなく、どちらか一方を選択し回線設定を実施すればよい。さらに、ピコセルからの受信電力が高いため、ピコセルとの無線回線品質は、マクロセルとの無線回線品質より良好である。このため、ピコセルを選択すべきである。
【０３２０】
しかしながら、キャリアアグリゲーションを実施するためのマクロセルを優先的に選択するようになってしまい、無線回線品質（または無線伝送速度）の悪いマクロセルと接続することになってしまう。
【０３２１】
このように、ある１つのセルに対してオフセットを設定しても必ずしも意図したようにセル選択を実施できない場合がある。さらに、ある１つのセルに対してオフセットを１つしか設定できないとしてしまうと、キャリアアグリゲーションの実施の有無など切り換えに対応できず、柔軟な運用が困難になる。
【０３２２】
＜１つの優先度しか設定できないため生じる問題＞
つぎに、１つの優先度しか設定できない場合について説明する。キャリアアグリゲーションを実施し、マクロセルをＰセル、ピコセルをＳセルとする場合のセル選択時に、Ｐセルを優先的に選択するように、マクロセルの優先度をピコセルの優先度より高く設定した場合を考える。
【０３２３】
ここでは、説明の簡略化のために、マクロセルの優先度を２、ピコセルの優先度を１とし、受信電力に優先度を乗算する場合について説明する。まず、キャリアアグリゲーションを実施し、マクロを優先的に選択する場合について説明する。
【０３２４】
この場合は、（端末とマクロセルとの間の距離）＞（端末とピコセルとの間の距離）となった場合、距離に依存して伝搬損が生じる環境ではマクロからの受信電力ＲX_macroよりもピコセルからの受信電力ＲX_picoが高くなる。これに対して、マクロセルを選択するように、マクロセルに対してピコセルよりも高い優先度を設定する。
【０３２５】
しかしながら、ＲX_macro×Ｐri_macro＜ＲX_pico×Ｐri_picoとなってしまい、選択すべきマクロセルではなくピコセルを選択してしまう場合がある。なお、Ｐri_macroはマクロセルの優先度であり、Ｐri_picoはピコセルの優先度である。たとえば、マクロセルの優先度が２、ピコセルの優先度が１であれば、マクロセルの受信電力がピコセルの受信電力の１／２以下のときにピコセルを選択してしまう場合がある。
【０３２６】
また、キャリアアグリゲーションを実施せずに優先度を設定している場合を考える。（端末とマクロセルとの間の距離）＞（端末とピコセルとの間の距離）となった場合は、マクロセルの受信電力がピコセルの受信電力より小さい場合であっても優先度によってマクロセルが選択される。
【０３２７】
しかし、キャリアアグリゲーションを実施していないため、マクロセルとピコセルの両方に接続するのではなく、どちらか一方を選択し回線設定を実施すればよい。さらに、ピコセルからの受信電力が高いため、ピコセルとの無線回線品質は、マクロセルとの無線回線品質より良好である。このため、ピコセルを選択すべきである。
【０３２８】
しかしながら、キャリアアグリゲーションを実施するためのマクロセルを優先的に選択するようになってしまい、無線回線品質（または無線伝送速度）の悪いマクロセルと接続することになってしまう。
【０３２９】
このように、ある１つのセルに対して優先度を設定しても、意図したようにセルが選択されない場合がある。さらに、ある１つのセルに対して優先度を１つしか設定できないとしてしまうと、キャリアアグリゲーションの実施の有無など切り換えに対応できず、柔軟な運用が困難になる。
【０３３０】
＜セル再選択時にＰセルとして使用可能なセルを選択できない場合＞
上記にて、発呼に際してのセル選択について説明した。これに対して、端末が、あるセルに対してキャンプオン（Ｃａｍｐ  Ｏｎ）状態であり、一定時間以上連続してデータ受信を実施しない場合、そのセルに対する待ち受けを停止する場合、端末の移動によりそれ以前のセルとは異なる場所に移動した場合がある。これらの場合に、回線を更新または再設定することが求められ、そのためにセル再選択が実施される。セル再選択においても、セルの初回選択と同様に、Ｓセルとなるピコセルを選択し、そのピコセルに対して回線接続を要求する可能性がある。
【０３３１】
このように、従来、階層化セル構成としたことによるセルの誤選択の問題があった。これに対して、上述した各実施の形態によれば、階層化セル構成において、基地局が報知する隣接セルリストに、各隣接セルがＰセルまたはＳセルとして接続可能か否かを示す情報を含ませることで、端末におけるＰセルとＳセルの選択誤りを抑制することができる。
【０３３２】
また、Ｐセルとして接続可能なセルが端末において特定できるため、無線回線品質の測定および算出の対象を限定でき、処理量を削減することができる。さらには、セル選択の対象の数が減るため、選択処理を削減することができる。このため、より短時間でのセル選択が可能となり、伝送速度の向上を図ることができる。
【０３３３】
なお、上述した各実施の形態においては、２つのコンポーネントキャリア（すなわちＰセルとＳセルを１つずつ）でキャリアアグリゲーションを実施する場合について説明した。ただし、２つ目以降のＳセルを追加していくことで、３つ以上のコンポーネントキャリアでキャリアアグリゲーションを実施することもできる。
【０３３４】
また、本願発明をＬＴＥ−Ａｄｖａｎｃｅｄシステムに適用する場合について説明したが、本願発明は、たとえば階層化セル構成で複数のセル（帯域）を同時に用いて通信を行うシステムに適用することができる。このようなシステムには、一例としてはＷ−ＣＤＭＡのＤＣ−ＨＳＤＰＡや４Ｃ−ＨＳＤＰＡなどがある。
【０３３５】
また、３ＧＰＰではセルの大きな差が異なるセルが配置された構成をヘテロジニアスネットワーク（ＨｅｔＮｅｔ：Ｈｅｔｅｒｏｇｅｎｅｏｕｓ  Ｎｅｔｗｏｒｋ）と呼んでおり、階層化セル構成もヘテロジニアスネットワークである。すなわち、本願発明はヘテロジニアスネットワークに対して実施することも可能である。
【符号の説明】
【０３３６】
１００  システム
１１０，１２０，２２１〜２２３，５１１，５３１〜５３８，８００  基地局
１１１  生成部
１１２，８３０，９３０  送信部
１３０，５０１，９００  端末
１３１，８１０，９１０  受信部
１３２，８２０，９２０  制御部
２００，５００  通信システム
２１１，２１２  ＭＭＥ／Ｓ−ＧＷ
３１０，３２０  帯域
５２１  大セル
５４１〜５４８  小セル
８０１，９０１  アンテナ
８１１，９１１  受信無線部
８１２，９１２  復調・復号部
８１３  無線回線品質情報抽出部
８１４，９１４  無線回線制御情報抽出部
８２１，９２４  無線回線制御部
８２２  システム情報管理・記憶部
８３１  システム情報作成部
８３２  同期信号作成部
８３３  パイロット作成部
８３４  無線回線制御情報作成部
８３５，９３３  符号化・変調部
８３６，９３４  送信無線部
８４０，９４０  通信装置
８４１，９４１  ＬＳＩ
８４２，９４２  ＤＳＰ
８４３，９４３  メモリ
８４４  通信インタフェース
９１３  システム情報抽出部
９１５  同期信号抽出部
９１６  セルＩＤ抽出部
９１７  パイロット算出部
９１８  無線回線品質測定・算出部
９１９  パイロット抽出部
９２１  同期制御部
９２２  端末設定制御部
９２３  システム情報記憶部
９２５  セル選択制御部
９３１  無線回線品質情報作成部
９３２  無線回線制御信号作成部
９４４  表示部
９４５  マイク
９４６  拡声器
１５００  隣接セルリスト
【図１Ａ】
2015155898.tif 000015
【図１Ｂ】
2015155898.tif 000016
【図１Ｃ】
2015155898.tif 000017
【図１Ｄ】
2015155898.tif 000018
【図２】
2015155898.tif 000019
【図３Ａ】
2015155898.tif 000020
【図３Ｂ】
2015155898.tif 000021
【図３Ｃ】
2015155898.tif 000022
【図４Ａ】
2015155898.tif 000023
【図４Ｂ】
2015155898.tif 000024
【図４Ｃ】
2015155898.tif 000025
【図５Ａ】
2015155898.tif 000026
【図５Ｂ】
2015155898.tif 000027
【図６Ａ】
2015155898.tif 000028
【図６Ｂ】
2015155898.tif 000029
【図６Ｃ】
2015155898.tif 000030
【図７Ａ】
2015155898.tif 000031
【図７Ｂ】
2015155898.tif 000032
【図８Ａ】
2015155898.tif 000033
【図８Ｂ】
2015155898.tif 000034
【図８Ｃ】
2015155898.tif 000035
【図９Ａ】
2015155898.tif 000036
【図９Ｂ】
2015155898.tif 000037
【図９Ｃ】
2015155898.tif 000038
【図１０】
2015155898.tif 000039
【図１１】
2015155898.tif 000040
【図１２】
2015155898.tif 000041
【図１３】
2015155898.tif 000042
【図１４】
2015155898.tif 000043
【図１５】
2015155898.tif 000044
【図１６】
2015155898.tif 000045
【図１７】
2015155898.tif 000046
【手続補正書】
【提出日】平成28年10月5日(2016.10.5)
【手続補正１】
【補正対象書類名】特許請求の範囲
【補正対象項目名】全文
【補正方法】変更
【補正の内容】
【特許請求の範囲】
【請求項１】
他のセルに付随させずに接続可能な第１種別のセルと、前記第１種別のセルに付随させることで接続可能な第２種別のセルと、を同時に用いた無線通信を行う端末と、
第１セルを形成し、前記第１セルと異なる前記第１種別の第２セルの識別情報を含み前記第２セルが前記第１種別のセルであることを報知する報知情報を送信する基地局と、
を含み、
前記端末は、前記報知情報に基づいて、前記第２セルを前記第１種別のセルに選択する、
ことを特徴とする無線通信システム。
【請求項２】
１つ以上の基地局によって複数の前記第２セルが形成され、
前記端末は、前記報知情報に基づいて前記複数の第２セルを特定し、前記複数の第２セルの無線回線品質に基づいて、前記複数の第２セルの中から前記第１種別のセルを選択する、
ことを特徴とする請求項１に記載の無線通信システム。
【請求項３】
前記基地局は、前記第２種別の第３セルの識別情報を含み前記第３セルが前記第２種別のセルであることを報知する報知情報を送信することを特徴とする請求項１または２に記載の無線通信システム。
【請求項４】
１つ以上の基地局によって複数の前記第３セルが形成され、
前記端末は、前記報知情報に基づいて前記複数の第３セルを特定し、前記複数の第３セルの無線回線品質に基づいて、前記複数の第３セルの中から前記第２種別のセルを選択する、
ことを特徴とする請求項３に記載の無線通信システム。
【請求項５】
前記基地局は、前記第２セルを形成することを特徴とする請求項１〜４のいずれか一つに記載の無線通信システム。
【請求項６】
端末が、他のセルに付随させずに接続可能な第１種別のセルと、前記第１種別のセルに付随させることで接続可能な第２種別のセルと、を同時に用いた無線通信を行うシステムにおいて第１セルを形成する基地局であって、
前記第１セルと異なる前記第１種別の第２セルの識別情報を含み前記第２セルが前記第１種別のセルであることを報知する報知情報を生成する生成部と、
前記報知情報を送信する送信部と、
を備えることを特徴とする基地局。
【請求項７】
他のセルに付随させずに接続可能な第１種別のセルと、前記第１種別のセルに付随させることで接続可能な第２種別のセルと、を同時に用いた無線通信を行う端末であって、
第１セルから、前記第１セルと異なる第２セルの識別情報を含み前記第２セルが前記第１種別のセルであることを報知する報知情報を受信する受信部と、
前記報知情報に基づいて、前記第２セルを前記第１種別のセルに選択する制御部と、
を備えることを特徴とする端末。
【請求項８】
他のセルに付随させずに接続可能な第１種別のセルと、前記第１種別のセルに付随させることで接続可能な第２種別のセルと、を同時に用いた無線通信を行う端末と、
第１セルを形成し、前記第１セルと異なる前記第２種別の第２セルの識別情報を含み前記第２セルが前記第２種別のセルであることを報知する報知情報を送信する基地局と、
を含み、
前記端末は、前記報知情報に基づいて、前記第２セルを前記第２種別のセルに選択する、
ことを特徴とする無線通信システム。
【手続補正２】
【補正対象書類名】明細書
【補正対象項目名】全文
【補正方法】変更
【補正の内容】
【発明の詳細な説明】
【技術分野】
【０００１】
本発明は、無線通信システム、基地局および端末に関する。
【背景技術】
【０００２】
従来、ＬＴＥ（Ｌｏｎｇ  Ｔｅｒｍ  Ｅｖｏｌｕｔｉｏｎ）などの移動体通信システムにおいては、端末が無線品質に基づいて接続するまたは待ち受けする（キャンプする）セル（基地局）を選択するセル選択が行われる（たとえば、下記特許文献１〜４参照。）。また、プライマリセルとセカンダリセルを同時に用いて通信を行うキャリアアグリゲーション（ＣＡ：Ｃａｒｒｉｅｒ  Ａｇｇｒｅｇａｔｉｏｎ）が知られている。
【先行技術文献】
【特許文献】
【０００３】
【特許文献１】特表平７−５０９８２６号公報
【特許文献２】国際公開第２０１１／０８７０２２号
【特許文献３】特開２０１１−１２４７３２号公報
【特許文献４】国際公開第２０１０／１３４２０２号
【発明の概要】
【発明が解決しようとする課題】
【０００４】
しかしながら、上述した従来技術では、端末において、たとえばプライマリセルでの接続や待ち受けに対応していないセルをプライマリセルとして選択するなどの、セルの誤選択が発生する場合がある。
【０００５】
１つの側面では、本発明は、セルの誤選択を抑制することができる無線通信システム、基地局および端末を提供することを目的とする。
【０００６】
また、別の側面では、本発明は、適切なセルに接続可能な無線通信システム、基地局および端末を提供することを目的とする。
【０００７】
また、別の側面では、本発明は、種別の異なるセルに対して適切な種別のセルに接続することができる無線通信システム、基地局および端末を提供することを目的とする。
【課題を解決するための手段】
【０００８】
上述した課題を解決し、目的を達成するため、本発明の一側面によれば、端末が、他のセルに付随させずに接続可能な第１種別のセルと、前記第１種別のセルに付随させることで接続可能な第２種別のセルと、を同時に用いた無線通信を行い、基地局が、第１セルを形成し、前記第１セルと異なる前記第１種別の第２セルの識別情報を含み前記第２セルが前記第１種別のセルであることを報知する報知情報を前記第１セルにより送信し、前記端末が、前記基地局によって送信された前記報知情報に基づいて、前記第２セルを前記無線通信の前記第１種別のセルに選択する無線通信システム、基地局および端末が提案される。
【０００９】
また、本発明の別の側面によれば、端末が、他のセルに付随させずに接続可能な第１種別のセルと、前記第１種別のセルに付随させることで接続可能な第２種別のセルと、を同時に用いた無線通信を行い、基地局が、第１セルを形成し、前記第１セルと異なる前記第２種別の第２セルの識別情報を含み前記第２セルが前記第２種別のセルであることを報知する報知情報を前記第１セルにより送信し、前記端末が、前記基地局によって送信された前記報知情報に基づいて、前記第２セルを前記無線通信の前記第２種別のセルに選択する無線通信システム、基地局および端末が提案される。
【発明の効果】
【００１０】
本発明の一側面によれば、セルの誤選択を抑制することができるという効果を奏する。
【００１１】
また、別の側面によれば、適切なセルに接続できるという効果を奏する。
【００１２】
また、別の側面によれば、種別の異なるセルに対して適切なセルに接続できるという効果を奏する。
【図面の簡単な説明】
【００１３】
【図１Ａ】図１Ａは、実施の形態１にかかるシステムの一例を示す図である。
【図１Ｂ】図１Ｂは、図１Ａに示したシステムにおける信号の流れの一例を示す図である。
【図１Ｃ】図１Ｃは、実施の形態１にかかるシステムの変形例を示す図である。
【図１Ｄ】図１Ｄは、図１Ｃに示したシステムにおける信号の流れの一例を示す図である。
【図２】図２は、実施の形態２にかかる通信システムの一例を示す図である。
【図３Ａ】図３Ａは、キャリアアグリゲーションの例１を示す図である。
【図３Ｂ】図３Ｂは、キャリアアグリゲーションの例２を示す図である。
【図３Ｃ】図３Ｃは、キャリアアグリゲーションの例３を示す図である。
【図４Ａ】図４Ａは、ＰセルおよびＳセルの例１を示す図である。
【図４Ｂ】図４Ｂは、ＰセルおよびＳセルの例２を示す図である。
【図４Ｃ】図４Ｃは、ＰセルおよびＳセルの例３を示す図である。
【図５Ａ】図５Ａは、階層化セル構成の一例を示す図である。
【図５Ｂ】図５Ｂは、階層化セル構成におけるキャリアアグリゲーションの一例を示す図である。
【図６Ａ】図６Ａは、Ｓセルとなる基地局の例１を示す図である。
【図６Ｂ】図６Ｂは、Ｓセルとなる基地局の例２を示す図である。
【図６Ｃ】図６Ｃは、Ｓセルとなる基地局の例３を示す図である。
【図７Ａ】図７Ａは、競合ベースのランダムアクセスの一例を示す図である。
【図７Ｂ】図７Ｂは、非競合ベースのランダムアクセスの一例を示す図である。
【図８Ａ】図８Ａは、基地局の一例を示す図である。
【図８Ｂ】図８Ｂは、図８Ａに示した基地局における信号の流れの一例を示す図である。
【図８Ｃ】図８Ｃは、基地局のハードウェア構成の一例を示す図である。
【図９Ａ】図９Ａは、端末の一例を示す図である。
【図９Ｂ】図９Ｂは、図９Ａに示した端末における信号の流れの一例を示す図である。
【図９Ｃ】図９Ｃは、端末のハードウェア構成の一例を示す図である。
【図１０】図１０は、端末によるＰセル接続処理の一例を示すフローチャートである。
【図１１】図１１は、端末によるＳセル接続処理の一例を示すフローチャートである。
【図１２】図１２は、基地局（Ｐセル）によるＳセル選択処理の一例を示すフローチャートである。
【図１３】図１３は、端末によるＳセル接続処理の変形例を示すフローチャートである。
【図１４】図１４は、基地局（Ｐセル）によるＳセル選択処理の変形例を示すフローチャートである。
【図１５】図１５は、隣接セルリストの一例を示す図である。
【図１６】図１６は、隣接セルリストの変形例１を示す図である。
【図１７】図１７は、隣接セルリストの変形例２を示す図である。
【発明を実施するための形態】
【００１４】
以下に図面を参照して、本発明にかかる無線通信システム、基地局および端末の実施の形態を詳細に説明する。
【００１５】
（実施の形態１）
（実施の形態１にかかるシステム）
図１Ａは、実施の形態１にかかるシステムの一例を示す図である。図１Ｂは、図１Ａに示したシステムにおける信号の流れの一例を示す図である。図１Ａ，図１Ｂに示すように、実施の形態１にかかるシステム１００は、基地局１１０と、基地局１２０と、端末１３０と、を含む。
【００１６】
システム１００においては、端末１３０が、第１種別のセルと、第２種別のセルと、を同時に用いた無線通信を行う。この無線通信は、一例としてはキャリアアグリゲーションのように複数のセル（または帯域）を同時に用いる通信である。第１種別のセルは、他のセルに付随させずに単独で接続可能なセルである。第２種別のセルは、第１種別のセルに付随させることで接続可能であり、単独では接続不可なセルである。
【００１７】
基地局１１０は、第１セルを形成する第１基地局である。第１セルは、第１種別のセルであってもよいし、第２種別のセルであってもよい。基地局１１０は、生成部１１１と、送信部１１２と、を備える。
【００１８】
生成部１１１は、基地局１１０が形成する第１セルと異なる第１種別の第２セルについて、第２セルの識別情報を含み、第２セルが第１種別のセルであることを報知する報知情報を生成する。第２セルは、たとえば、第１セルの周辺のセル（隣接セル）である。第２セルは、図１Ａ，図１Ｂに示す例では、基地局１２０が形成するセルである。
【００１９】
たとえば、生成部１１１は、第２セルが第１種別のセルであることを示すセル情報に基づいて報知情報を生成する。セル情報は、たとえば、基地局１２０から受信することによって取得することができる。また、セル情報は、基地局１１０，１２０を管理する上位装置から受信することによって取得してもよい。また、セル情報は、基地局１１０のメモリに記憶されていてもよく、この場合は、基地局１１０のメモリから取得することができる。生成部１１１は、生成した報知情報を送信部１１２へ出力する。
【００２０】
送信部１１２は、生成部１１１から出力された報知情報を、基地局１１０が形成する第１セルによって送信する。たとえば、送信部１１２は、第１セルの周辺のセルを示す隣接セルリストに、生成部１１１から出力された報知情報を格納し、報知情報を格納した隣接セルリストを第１セル内に報知する。
【００２１】
基地局１２０は、たとえば基地局１１０と異なる第２基地局である。基地局１２０は、第１種別の第２セルを形成する。
【００２２】
端末１３０は、受信部１３１と、制御部１３２と、を備える。受信部１３１は、基地局１１０から送信された報知情報を受信する。そして、受信部１３１は、受信した報知情報を制御部１３２へ出力する。
【００２３】
制御部１３２は、受信部１３１から出力された報知情報に基づいて、基地局１２０が形成する第２セルを無線通信の第１種別のセルに選択し、端末１３０の第２セルへの接続を制御する。また、制御部１３２は、接続した第２セルを第１種別のセルに用いて上述した無線通信を行う。
【００２４】
このように、実施の形態１にかかる基地局１１０は、形成する第１セルとは異なる第１種別の第２セルが、他のセルに付随させずに接続可能な第１種別のセルであることを報知する報知情報を送信する。これにより、端末１３０は、第２セルが第１種別のセルであることを確認し、第１種別のセルに第２セルを選択して接続することができる。このため、たとえば単独では接続不可なセルを第１種別として選択するなどの、端末１３０における第１種別のセルの誤選択を抑制することができる。
【００２５】
セルの誤選択を抑制することで、たとえば接続の失敗を抑制し、通信の効率化を図ることができる。たとえば、セル再選択やハンドオーバ処理などの発生を抑制し、伝送速度の低下を防止することができる。
【００２６】
＜各基地局の関係＞
基地局１１０が第１セルを形成し、基地局１１０と異なる基地局１２０が第２セルを形成する場合について説明したが、基地局１２０は基地局１１０と同一の基地局であってもよい。すなわち、たとえば基地局１１０が第１セルおよび第２セルを形成するようにしてもよい。
【００２７】
＜無線通信＞
上述した無線通信は、たとえば、第１種別のセルと、第１種別のセルに含まれ第１種別のセルより小さい第２種別のセルと、を同時に用いた無線通信とすることができる。ただし、上述した無線通信はこれに限らず、第１種別のセルと、第１種別のセルを含み第１種別のセルより大きい第２種別のセルと、を同時に用いた無線通信としてもよい。すなわち、セルの大小に関わらず、第１種別のセルと第２種別のセルと、を同時に用いた無線通信としてもよい。また、基地局１１０が、基地局１２０のセルに対して少なくとも一部が重なるようなセルを形成する基地局であってもよい。
【００２８】
＜第１種別のセルおよび第２種別のセル＞
一例として、システム１００をＬＴＥシステムに適用する場合は、上述した第１種別のセルをたとえばプライマリセル（または第１のセル、ファーストセル、第１の帯域、主帯域、主セル（プライマリセル、マスタセル）など）とすることができる。また、第２種別のセルをたとえばセカンダリセル（または第２のセル、第２の帯域、副帯域、副セル、従属セル、拡張帯域、拡張セルなど）とすることができる。
【００２９】
なお、あるセルが第１種別のセルであり、かつ第２種別のセルであってもよい。また、あるセルが、ある端末に対しては第１種別であり、別なある端末に対しては第２種別のセルであってもよい。
【００３０】
＜無線回線品質に基づく第１種別のセルの選択＞
また、端末１３０が接続可能な第１種別の第２セルが複数ある場合について説明する。複数の第２セルは、１つの基地局１２０または２つ以上の基地局１２０によって形成される。この場合に、端末１３０は、基地局１１０や他の基地局から送信された報知情報に基づいて、複数の第２セルを特定し、特定した複数の第２セルの端末１３０における各無線回線品質を測定する。なお、報知情報は、端末１３０が事前に受信し記憶していたものでもよいし、セル選択時に受信したものでもよい。
【００３１】
そして、端末１３０は、各無線品質の測定結果に基づいて、複数の第２セルの中から無線通信の第１種別のセルを選択する。これにより、複数の第２セルのうちの無線品質が良好なセルを無線通信の第１種別のセルに選択し、通信品質の向上を図ることができる。
【００３２】
＜端末による第２種別のセルの選択＞
たとえば、基地局１１０は、基地局１１０が形成する第１セルと異なる第２種別の第３セルについて、第３の識別情報を含み、第３セルが第２種別のセルであることを報知する報知情報を送信してもよい。第３セルは、基地局１１０または基地局１２０が形成するセルであってもよいし、他の基地局が形成するセルであってもよい。
【００３３】
この場合に、端末１３０は、基地局１１０から送信された報知情報に基づいて第３セルを無線通信の第２種別のセルに選択し、端末１３０の第３セルへの接続を制御する。そして、端末１３０は、接続した第２セルおよび第３セルを同時に用いて上述した無線通信を行う。ただし、端末１３０における第２種別のセルは、たとえば基地局１２０などの基地局によって行うようにしてもよい。
【００３４】
図１Ｃは、実施の形態１にかかるシステムの変形例を示す図である。図１Ｄは、図１Ｃに示したシステムにおける信号の流れの一例を示す図である。図１Ｃ，図１Ｄにおいて、図１Ａ，図１Ｂに示した部分と同様の部分については同一の符号を付して説明を省略する。図１Ｃ，図１Ｄに示すように、基地局１２０は第２種別の第２セルを形成してもよい。
【００３５】
この場合に、基地局１１０の生成部１１１は、基地局１１０が形成する第１セルと異なる第２種別の第２セルについて、第２セルの識別情報を含み、第２セルが第２種別のセルであることを報知する報知情報を生成する。
【００３６】
端末１３０の制御部１３２は、受信部１３１から出力された報知情報に基づいて、基地局１２０が形成する第２セルを無線通信の第２種別のセルに選択し、端末１３０の第２セルへの接続を制御する。また、制御部１３２は、接続した第２セルを第２種別のセルに用いて上述した無線通信を行う。
【００３７】
このように、実施の形態１にかかる基地局１１０は、形成する第１セルとは異なる第２種別の第２セルが、他のセルに付随させることで接続可能な第２種別のセルであることを報知する報知情報を送信してもよい。これにより、端末１３０は、第２セルが第２種別のセルであることを確認し、第２種別のセルに第２セルを選択して接続することができる。このため、第１種別のセルを第２種別のセルとして選択するなどの、端末１３０における第２種別のセルの誤選択を抑制することができる。また、適切なセルに接続できる。更に、種別の異なるセルに対して適切な種別のセルに接続できる。
【００３８】
セルの誤選択を抑制することで、たとえば接続の失敗を抑制し、通信の効率化を図ることができる。たとえば、端末１３０および基地局１１０，１２０におけるセル再選択やハンドオーバ処理などの発生を抑制し、伝送速度の低下を防止することができる。また、伝送速度を改善できる。
【００３９】
（実施の形態２）
たとえば、現在、３ＧＰＰ（３ｒｄ  Ｇｅｎｅｒａｔｉｏｎ  Ｐａｒｔｎｅｒｓｈｉｐ  Ｐｒｏｊｅｃｔ）において、ＬＴＥシステムおよびＬＴＥ−Ａｄｖａｎｃｅｄシステムの仕様が検討されている。ＬＴＥシステムはＬＴＥリリース８として仕様が策定されている。さらに、現在、ＬＴＥシステムの発展形であるＬＴＥ−Ａｄｖａｎｃｅｄシステムが検討されており、ＬＴＥ−Ａｄｖａｎｃｅｄシステムの初版の仕様書がＬＴＥリリース１０として作成された。さらに、３ＧＰＰにおいて、ＬＴＥリリース１０の後継となるＬＴＥリリース１２などが検討されている。
【００４０】
（実施の形態２にかかる通信システム）
図２は、実施の形態２にかかる通信システムの一例を示す図である。図２に示すように、実施の形態２にかかる通信システム２００は、ＭＭＥ／Ｓ−ＧＷ２１１，２１２と、基地局２２１〜２２３（ｅＮＢ）と、を含むＬＴＥシステム−Ａｄｖａｎｃｅｄ（ＬＴＥリリース１０）である。また、通信システム２００は、基地局２２１〜２２３との間で無線通信を行うＵＥ（Ｕｓｅｒ  Ｅｑｕｉｐｍｅｎｔ：ユーザ端末）を含んでもよい。
【００４１】
ＭＭＥ／Ｓ−ＧＷ２１１，２１２のそれぞれは、ＬＴＥシステムにおけるＭＭＥ（Ｍｏｂｉｌｉｔｙ  Ｍａｎａｇｅｍｅｎｔ  Ｅｎｔｉｔｙ）およびＳ−ＧＷ（Ｓｅｒｖｉｎｇ  Ｇａｔｅｗａｙ）の機能を備える。また、ＭＭＥ／Ｓ−ＧＷ２１１は、基地局２２１，２２２とＳ１インタフェースによって接続されている。また、ＭＭＥ／Ｓ−ＧＷ２１２は、基地局２２２，２２３とＳ１インタフェースによって接続されている。
【００４２】
基地局２２１〜２２３のそれぞれは、ＬＴＥシステムのＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のＮｏｄｅＢである。基地局２２１〜２２３は、基地局間インタフェースであるＸ２インタフェースによって互いに接続されている。また、基地局２２１〜２２３のそれぞれは、無線通信によってＵＥとの間で音声通信を行う。ＵＥのそれぞれは、携帯電話などの移動端末（移動局）である。
【００４３】
以下、図２に示した通信システム２００を例として説明する。ただし、本願発明は、図２に示した通信システム２００に限らず、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）システム、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）システムなどの各種の移動体通信システムに適用することができる。なお、ＧＳＭは登録商標である。
【００４４】
＜キャリアアグリゲーション＞
ＬＴＥ−Ａｄｖａｎｃｅｄシステムの特徴の一つである帯域幅の拡大を実現する方法について説明する。ＬＴＥシステムでは、上り／下り帯域幅を、１．４［ＭＨｚ］、３［ＭＨｚ］、５［ＭＨｚ］、１０［ＭＨｚ］、１５［ＭＨｚ］、２０［ＭＨｚ］と設定することが可能である。これらは、たとえば３ＧＰＰのＴＳ３６．１０１およびＴＳ３６．１０４などで規定されている。
【００４５】
また、これらの設定された帯域はコンポーネントキャリア（ＣＣ：Ｃｏｍｐｏｎｅｎｔ  Ｃａｒｒｉｅｒ）と呼ばれている。複数の帯域幅が設定されている理由は、ＧＳＭシステムやＷ−ＣＤＭＡシステムに対して割り当てられた帯域幅をそのまま使用することを前提としているためである。
【００４６】
一方で、ＬＴＥシステムにおいては、ＧＳＭシステムやＷ−ＣＤＭＡシステムと比較して高速伝送を実現することが求められている。よって、ＧＳＭシステムやＷ−ＣＤＭＡシステムと比較して、ＬＴＥシステムは帯域幅が広帯域であることが求められる。
【００４７】
一般的に、無線通信システムで使用する帯域は、国ごとの事情により異なる。また、欧州では、陸続きで他国と隣接しているため干渉を考慮することが求められ、各国間で使用周波数帯域が調整されている。この結果、使用できる帯域幅は減少し、細切れとなっている。一方で、上述のように、ＬＴＥシステムは帯域幅が広帯域であることが求められる。
【００４８】
そこで、狭くかつ細切れになっている帯域を統合して広帯域化する方法として、キャリアアグリゲーションが導入されることとなった。キャリアアグリゲーションを実施する際は、端末ごとに主となるセルが設定される。この主となるセルは、第１のセル、プライマリセル（Ｐｒｉｍａｒｙ  Ｃｅｌｌ）、ファーストセル（Ｆｉｒｓｔ  Ｃｅｌｌ）、第１の帯域（Ｆｉｒｓｔ  Ｂａｎｄ）、主帯域（Ｐｒｉｍａｒｙ  Ｂａｎｄ）、主セルなどと呼ばれる。以下、この主となるセルをＰセルと称する。上述した第１種別のセルは、たとえばＰセルである。
【００４９】
なお、セルとコンポーネントキャリア（帯域）は、本来意味合いが異なるが、３ＧＰＰにおけるセルの定義は「一つの周波数を用いて一つのサービスエリアを構成するもの」となっている。よって、コンポーネントキャリアに対して一つのセルが構成されると定義され、セルとコンポーネントキャリアは１対１の対応となるため、セルとコンポーネントキャリアを同義として扱うことができる。また、１つの基地局は１つの帯域のみであることから、基地局とコンポーネントキャリアも同義として扱うこともできる。
【００５０】
キャリアアグリゲーションにおいては、設定されたＰセルに対して別のセル（帯域）が追加、統合される。この追加されるセルは、第２のセル、セカンダリセル（Ｓｅｃｏｎｄａｒｙ  Ｃｅｌｌ）、第２の帯域（Ｓｅｃｏｎｄａｒｙ  Ｂａｎｄ）、副帯域（Ｓｕｂ  Ｂａｎｄ）、副セル、拡張帯域、拡張セルなどと呼ばれる。以下、この追加されるセルをＳセルと称する。Ｐセルと同様にＳセルとコンポーネントキャリアは同義である。上述した第２種別のセルは、たとえばＳセルである。
【００５１】
なお、これらのセルは、１つのシステムの帯域を分割したものではあるが、それぞれの帯域においてスケジューリングを実施することが可能であり、１つのシステムを構成することができるものである。このため、これらのセルは、たとえばＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：直交周波数分割多重アクセス）においてユーザ多重を実施するために複数のサブキャリアをまとめたブロック（またはクラスタ）を構成するものとは異なる。言い換えれば１つの帯域が１つの無線通信システムとして動作するものとも解釈できる。
【００５２】
キャリアアグリゲーションにおいては、たとえばＳセルは最大で７つまで設定可能である。すなわち、Ｐセルと合わせて最大で８つのコンポーネントキャリアを用いてキャリアアグリゲーションが可能である。なお、ＬＴＥ−Ａｄｖａｎｃｅｄシステムでは、最大で１００［ＭＨｚ］の帯域幅が想定されている。このため、１つのコンポーネントキャリアの帯域幅が２０［ＭＨｚ］の場合は、Ｓセルは最大で４つであり、ＰセルとＳセルとを合わせて最大で５つのコンポーネントキャリアを用いたキャリアアグリゲーションが可能である。
【００５３】
すなわち、キャリアアグリゲーションは、Ｐセルと少なくとも一つのＳセルを統合するものである（たとえば図３Ａ〜図３Ｃ参照）。以下、説明の簡略化のために、１つの端末において、２つのコンポーネントキャリア（すなわちＰセルとＳセルを１つずつ）でキャリアアグリゲーションを実施する場合について説明する（図４Ｃなどを除く）。ただし、２つ目以降のＳセルを追加していくことで、３つ以上のコンポーネントキャリアでキャリアアグリゲーションを実施することもできる（たとえば図４Ｃなどを参照）。
【００５４】
（キャリアアグリゲーションの例）
図３Ａは、キャリアアグリゲーションの例１を示す図である。図３Ａに示す帯域３１０は、システム帯域に含まれる３．５［ＧＨｚ］帯の周波数帯域である。帯域３１０の帯域幅は８０［ＭＨｚ］である。帯域３１０には、たとえばコンポーネントキャリアＣＣ２〜ＣＣ５が含まれる。コンポーネントキャリアＣＣ２〜ＣＣ５の帯域幅はそれぞれ２０［ＭＨｚ］である。
【００５５】
キャリアアグリゲーションにおいては、たとえば、図３Ａに示すように、コンポーネントキャリアＣＣ２，ＣＣ３を統合して用いることができる。このように、キャリアアグリゲーションにおいては、たとえば互いに隣接する各コンポーネントキャリアを統合して用いることができる。
【００５６】
図３Ｂは、キャリアアグリゲーションの例２を示す図である。図３Ｂにおいて、図３Ａに示した部分と同様の部分については同一の符号を付して説明を省略する。キャリアアグリゲーションにおいては、たとえば、図３Ｂに示すように、コンポーネントキャリアＣＣ２，ＣＣ４を統合して用いることもできる。このように、キャリアアグリゲーションにおいては、互いに隣接しない各コンポーネントキャリアを統合して用いることもできる。
【００５７】
図３Ｃは、キャリアアグリゲーションの例３を示す図である。図３Ｃにおいて、図３Ａに示した部分と同様の部分については同一の符号を付して説明を省略する。図３Ｃに示す帯域３２０は、システム帯域に含まれる２［ＧＨｚ］帯の周波数帯域である。帯域３２０には、たとえばコンポーネントキャリアＣＣ１が含まれる。コンポーネントキャリアＣＣ１の帯域幅は２０［ＭＨｚ］である。
【００５８】
キャリアアグリゲーションにおいては、たとえば、図３Ｃに示すように、それぞれ帯域３１０，３２０に含まれるコンポーネントキャリアＣＣ１，ＣＣ２を統合して用いることもできる。このように、キャリアアグリゲーションにおいては、異なる周波数帯の各コンポーネントキャリアを統合して用いることもできる。ここでは２つの周波数帯を統合して用いる場合について説明したが、３つ以上の周波数帯を統合して用いてもよい。
【００５９】
（ＰセルおよびＳセルの例）
図４Ａは、ＰセルおよびＳセルの例１を示す図である。図４Ａにおいて、図３Ａに示した部分と同様の部分については同一の符号を付して説明を省略する。図４Ａは、キャリアアグリゲーションにおいて、コンポーネントキャリアＣＣ２をＰセルとして選択し、コンポーネントキャリアＣＣ３をＳセルとして選択することで広帯域化が図られる場合を示している。また、図４Ａに示す例では、コンポーネントキャリアＣＣ２，ＣＣ３のそれぞれには、制御ＣＨであるＰＤＣＣＨ（Ｐｈｙｓｉｃａｌ  Ｄｏｗｎｌｉｎｋ  Ｃｏｎｔｒｏｌ  ＣＨａｎｎｅｌ：物理下りリンク制御チャネル）およびデータＣＨであるＰＤＳＣＨ（Ｐｈｙｓｉｃａｌ  Ｄｏｗｎｌｉｎｋ  Ｓｈａｒｅｄ  ＣＨａｎｎｅｌ：物理下りリンク共有チャネル）が含まれている。
【００６０】
この場合は、コンポーネントキャリアＣＣ２，ＣＣ３がともにスケジューリングセル（サービングセル）となる。すなわち、コンポーネントキャリアＣＣ２，ＣＣ３のそれぞれにおいて、スケジューリングが行われ、スケジューリングに関する制御信号がＰＤＣＣＨによって伝送される。スケジューリングに関する制御信号には、たとえば、端末の選択、使用する無線リソース、変調方式および符号化率などが含まれる。なお、トランスポートチャネルとしての下り制御チャネルには、たとえばＤＣＣＨ（Ｄｏｗｎｌｉｎｋ  Ｃｏｎｔｒｏｌ  ＣＨａｎｎｅｌ：下りリンク制御チャネル）が用いられる。
【００６１】
図４Ａに示した例においては、たとえばＷ−ＣＤＭＡのＨＳＤＰＡ（Ｈｉｇｈ  Ｓｐｅｅｄ  Ｄｏｗｎｌｉｎｋ  Ｐａｃｋｅｔ  Ａｃｃｅｓｓ）と同様に、各セルにおいて、データ伝送のための下り無線共有チャネルと下り無線制御チャネルを用いたデータ伝送が実施される。下り無線共有チャネルは、たとえばＰＤＳＣＨである。下り無線制御チャネルは、たとえばＥ−ＰＤＣＣＨ（Ｅｎｈａｎｃｅｄ−Ｐｈｙｓｉｃａｌ  Ｄｏｗｎｌｉｎｋ  Ｃｏｎｔｒｏｌ  ＣＨａｎｎｅｌ：拡張物理下りリンク制御チャネル）である。ここで、データとは、端末個別のデータを意味する。端末個別のデータはユーザデータ（Ｕｓｅｒ  Ｄａｔａ）または個別データ（Ｄｅｄｉｃａｔｅｄ  Ｄａｔａ）である。
【００６２】
図４Ｂは、ＰセルおよびＳセルの例２を示す図である。図４Ｂにおいて、図４Ａに示した部分と同様の部分については同一の符号を付して説明を省略する。図４Ｂに示す例では、コンポーネントキャリアＣＣ３のＰＤＳＣＨのためのＰＤＣＣＨがコンポーネントキャリアＣＣ２に含まれている。この場合は、コンポーネントキャリアＣＣ２がスケジューリングセルとなり、コンポーネントキャリアＣＣ３はノンスケジューリングセル（またはノンサービングセル）となる。
【００６３】
すなわち、コンポーネントキャリアＣＣ２においては、コンポーネントキャリアＣＣ２に加えてコンポーネントキャリアＣＣ３のスケジューリングが行われる。そして、コンポーネントキャリアＣＣ２，ＣＣ３に関する各制御信号がコンポーネントキャリアＣＣ２のＰＤＣＣＨによって伝送される。また、このとき、コンポーネントキャリアＣＣ２，ＣＣ３のうちのいずれの制御信号であるかを示す情報も各制御信号に付加されて伝送される。
【００６４】
また、コンポーネントキャリアＣＣ３においてはスケジューリングが行われない。そして、コンポーネントキャリアＣＣ３のＰＤＳＣＨは、コンポーネントキャリアＣＣ２のＰＤＣＣＨによって伝送される制御信号に基づいて伝送される。
【００６５】
図４Ｂに示したスケジューリングおよび制御信号の伝送の方法は、クロスキャリアスケジューリング（Ｃｒｏｓｓ  Ｃａｒｒｉｅｒ  Ｓｃｈｅｄｕｌｉｎｇ）と呼ばれている。クロスキャリアスケジューリングにおいて、スケジューリングセルは、ＰセルまたはＳセルであり、ノンスケジューリングセルはＳセルのみである。すなわち、Ｐセルはスケジューリングセルにしかならない。
【００６６】
図４Ｂに示した例について、下りデータ伝送を例として説明する。スケジューリングセル（たとえばＰセル）において、スケジューリングセルのデータ伝送のための制御信号が、下り無線制御チャネル（ＰＤＣＣＨ）を用いて伝送される。また、スケジューリングセルにおいて、上述した下り無線制御チャネルで伝送される制御情報に基づいて、下り無線共有チャネル（ＰＤＳＣＨ）を用いてデータが伝送される。
【００６７】
ノンスケジューリングセルでのデータ伝送のための制御信号は、スケジューリングセルの下り無線制御チャネル（ＰＤＣＣＨ）を用いて伝送される。ノンスケジューリングセルにおいて、上述した下り無線制御チャネルで伝送されるノンスケジューリングセルのデータ伝送のための制御情報に基づいて、下り無線共有チャネル（ＰＤＳＣＨ）を用いてデータが伝送される。
【００６８】
図４Ｃは、ＰセルおよびＳセルの例３を示す図である。図４Ｃにおいて、図４Ａに示した部分と同様の部分については同一の符号を付して説明を省略する。図４Ｃに示すコンポーネントキャリアＣＣ５は、コンポーネントキャリアＣＣ４に対して高周波数側に隣接するコンポーネントキャリアである。図４Ｃは、キャリアアグリゲーションにおいて、コンポーネントキャリアＣＣ２がＰセルとして選択され、コンポーネントキャリアＣＣ３〜ＣＣ５がＳセルとして選択されている場合を示している。
【００６９】
また、図４Ｃに示す例では、コンポーネントキャリアＣＣ３のＰＤＳＣＨのためのＰＤＣＣＨがコンポーネントキャリアＣＣ２に含まれている。また、図４Ｃに示す例では、コンポーネントキャリアＣＣ５のＰＤＳＣＨのためのＰＤＣＣＨがコンポーネントキャリアＣＣ４に含まれている。
【００７０】
この場合は、コンポーネントキャリアＣＣ２，ＣＣ４がスケジューリングセルとなり、コンポーネントキャリアＣＣ３，ＣＣ５はノンスケジューリングセルとなる。すなわち、コンポーネントキャリアＣＣ２においては、コンポーネントキャリアＣＣ２に加えてコンポーネントキャリアＣＣ３のスケジューリングが行われる。そして、コンポーネントキャリアＣＣ２，ＣＣ３に関する各制御信号がコンポーネントキャリアＣＣ２のＰＤＣＣＨによって伝送される。また、このとき、コンポーネントキャリアＣＣ２，ＣＣ３のうちのいずれの制御信号であるかを示す情報も付加されて伝送される。
【００７１】
また、コンポーネントキャリアＣＣ３においてはスケジューリングが行われず、コンポーネントキャリアＣＣ３のＰＤＳＣＨは、コンポーネントキャリアＣＣ２のＰＤＣＣＨによって伝送される制御信号に基づいて伝送される。
【００７２】
同様に、コンポーネントキャリアＣＣ４においては、コンポーネントキャリアＣＣ４に加えてコンポーネントキャリアＣＣ５のスケジューリングが行われる。そして、コンポーネントキャリアＣＣ４，ＣＣ５に関する各制御信号がコンポーネントキャリアＣＣ４のＰＤＣＣＨによって伝送される。また、このとき、コンポーネントキャリアＣＣ４，ＣＣ５のうちのいずれの制御信号であるかを示す情報も付加されて伝送される。
【００７３】
また、コンポーネントキャリアＣＣ５においてはスケジューリングが行われず、コンポーネントキャリアＣＣ５のＰＤＳＣＨは、コンポーネントキャリアＣＣ４のＰＤＣＣＨによって伝送される制御信号に基づいて伝送される。
【００７４】
図４Ｃに示したように、Ｐセルに対してＳセルが２つ以上あってもよい。また、図４Ｃに示したように、すべてのＳセルに対してクロスキャリアスケジューリングを適用しなくてもよい。すなわち、セルが複数ある場合、あるＳセルに対してクロスキャリアスケジューリングを適用し、他のＳセルには適用しないようにすることも可能である。また、図４Ｃに示したように、Ｐセルと同様にＳセルにおいても、他のコンポーネントキャリアのための下り制御チャネル（ＰＤＣＣＨ）を伝送するようにしてもよい。
【００７５】
図４Ｂ，図４Ｃに示したように、クロスキャリアスケジューリングを行う場合のスケジューリングセルにおいては少なくとも３つの無線チャネル（２つのＰＤＣＣＨおよび１つのＰＤＳＣＨ）が下り伝送される。また、これらの他にも、たとえばＰＢＣＨ（Ｐｈｙｓｉｃａｌ  Ｂｒｏａｄｃａｓｔ  ＣＨａｎｎｅｌ：無線報知チャネル）、ＰＳＣＨ（Ｐｈｙｓｉｃａｌ  Ｓｙｎｃｈｒｏｎｉｚａｔｉｏｎ  ＣＨａｎｎｅｌ：無線同期チャネル）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ：無線制御フォーマットインジケータチャネル）、ＰＨＩＣＨ（Ｐｈｙｓｉｃａｌ  Ｈｙｂｒｉｄ−ＡＲＱ  Ｉｎｄｉｃａｔｏｒ  ＣＨａｎｎｅｌ：無線Ｈ−ＡＲＱインジケータチャネル）などが伝送されてもよい。
【００７６】
一方、ノンスケジューリングセルにおいては、少なくとも１つの無線チャネル（ＰＤＳＣＨ）が下り伝送される。
【００７７】
ここで、ある第１の端末に対して、第１のコンポーネントキャリアをＰセル、第２のコンポーネントキャリアをＳセルとして設定する場合について説明した。このとき、第２のコンポーネントキャリアのみ使用する別の第２の端末がある場合について説明する。
【００７８】
このとき、第２の端末においては、第２のコンポーネントキャリアがＰセルとなる。このため、第２のコンポーネントキャリアにおいては、第２のコンポーネントキャリアのみ使用する第２の端末のために、上述したＰＢＣＨ、ＰＳＣＨ、ＰＣＦＩＣＨ、ＰＨＩＣＨなどが伝送されることになる。
【００７９】
一方で、第１のコンポーネントキャリアをＰセルとし、第２のコンポーネントキャリアをＳセルとしたある第１の端末において、第２のコンポーネントキャリアで伝送されるＰＢＣＨ、ＰＳＣＨ、ＰＣＦＩＣＨなどを受信することは必須ではない。このため、第１の端末においては、これらの無線チャネルの受信は不要である場合もある。このように、第２のコンポーネントキャリアでは、第２のコンポーネントキャリアをＰセルとする第２の端末のために、第１の端末にとっては不要なＰＢＣＨ、ＰＳＣＨ、ＰＣＦＩＣＨなども下り伝送される場合もある。
【００８０】
以下、自セルまたは他セルのためのＰＤＣＣＨを伝送するコンポーネントキャリアをスケジューリングセルとし、ＰＤＣＣＨを伝送せず下り無線共有チャネル（ＰＤＳＣＨ）のみ伝送するコンポーネントキャリアをノンスケジューリングセルとして説明する。
【００８１】
なお、３ＧＰＰでは、回線設定時に最初に接続したセルであるＰセルをアンカーコンポーネント（Ａｎｃｈｏｒ  Ｃｏｍｐｏｎｅｎｔ）と呼ぶ場合もある。回線設定時とは、たとえば端末が選択したセルにおいて実施されるランダムアクセスによる回線設定である。
【００８２】
また、上述のように、端末は、無線回線設定時には１つのセルしか接続できない。このため、無線回線設定時の接続セルがＰセルとなる。ただし、無線回線設定の後に、ハンドオーバなどによりＰセルを変更することも可能である。また、Ｓセルの追加、削除、変更も可能である。
【００８３】
＜Ｓセルの設定＞
端末と基地局との間で無線回線を設定する際に、Ｌ３の制御信号であるＳｅｒｖＣｅｌｌＩｎｄｅｘ  ＩＥによって、サービングセル（スケジューリングセル）が最大で８つ設定される。このとき、ＳｅｒｖＣｅｌｌＩｎｄｅｘ＝０はＰセルであることを示し、ＳｅｒｖＣｅｌｌＩｎｄｅｘ＝１〜７はＳセルであることを示す（たとえば３ＧＰＰのＴＳ３６．３３１参照）。
【００８４】
なお、Ｓセルは、無線回線設定時以外でも追加可能である。また無線回線設定は、ハンドオーバなどによって再設定または変更される場合がある。
【００８５】
また、ＳｅｒｖＣｅｌｌＩｎｄｅｘ  ＩＥは、ＣｒｏｓｓＣａｒｒｉｅｒＳｃｈｅｄｕｌｉｎｇＣｏｎｆｉｇ  ＩＥに含まれる。ＣｒｏｓｓＣａｒｒｉｅｒＳｃｈｅｄｕｌｉｎｇＣｏｎｆｉｇ  ＩＥは、ＰｈｙｓｉｃａｌＣｏｎｆｉｇＤｅｄｉｃａｔｅｄ  ＩＥに含まれる。ＰｈｙｓｉｃａｌＣｏｎｆｉｇＤｅｄｉｃａｔｅｄ  ＩＥは、ＲａｄｉｏＲｅｓｏｕｒｃｅＣｏｎｆｉｇＤｅｄｉｃａｔｅｄ  ＩＥに含まれる。ＲａｄｉｏＲｅｓｏｕｒｃｅＣｏｎｆｉｇＤｅｄｉｃａｔｅｄ  ＩＥは、ＲＲＣＣｏｎｎｅｃｔｉｏｎＲｅｃｏｎｆｉｇｕｒａｔｉｏｎ  ｍｅｓｓａｇｅに含まれ、基地局から端末に通知される。
【００８６】
また、Ｓセルは、ＳＣｅｌｌＩｎｄｅｘ  ＩＥによって通知される。このＳＣｅｌｌＩｎｄｅｘ  ＩＥは、ＲＲＣＣｏｎｎｅｃｔｉｏｎＲｅｃｏｎｆｉｇｕｒａｔｉｏｎ  ｍｅｓｓａｇｅに含まれ、基地局から端末に通知される。
【００８７】
＜基地局間でキャリアアグリゲーションを実施する場合＞
また、上述のように、異なる基地局間でキャリアアグリゲーションを実施することが検討されている。この場合に、上述のように設定された最大で７つのＳセル（ＳｅｒｖＣｅｌｌＩｎｄｅｘ＝１〜７）からキャリアアグリゲーションで使用するコンポーネントキャリアが選択される。
【００８８】
３ＧＰＰ仕様では、「セルは、一つの周波数を用いて構成されるサービスエリア」と定義されており、この定義では１つの基地局に１つのセルが対応する。ただし、キャリアアグリゲーションでは、１つの基地局に複数のセルが対応する場合もある。
【００８９】
従来のキャリアアグリゲーションでは、同じ基地局に複数のコンポーネントキャリアが設定されており、同じ基地局のコンポーネントキャリアでキャリアアグリゲーションを実施するものであった。現在では、基地局間（ｅＮＢ間）でキャリアアグリゲーションを実施することが検討されている。これは、基地局間でＤＣ−ＨＳＤＰＡ（Ｄｕａｌ  Ｃｅｌｌ−ＨＳＤＰＡ）を実施することと同様である。
【００９０】
なお、異なる基地局間でＤＣ−ＨＳＤＰＡを実施することは、ＤＢ−ＨＳＤＰＡ（Ｄｕａｌ  Ｂａｎｄ−ＨＳＤＰＡ）または、ＤＢ−ＤＣ−ＨＳＤＰＡ（Ｄｕａｌ  Ｂａｎｄ−Ｄｕａｌ  Ｃｅｌｌ−ＨＳＤＰＡ）と呼ばれ、仕様化されている。
【００９１】
（階層化セル構成）
大きなセル（たとえばマクロセル）の中に複数の小さいセル（たとえばピコセル、ナノセル、ファントムセル）を配置する構成がＷ−ＣＤＭＡリリース９９から検討されている。この構成はアンブレラセル構成や階層化セル構成（ＨＣＳ：Ｈｉｅｒａｒｃｈｉｃａｌ  Ｃｅｌｌ  Ｓｔｒｕｃｔｕｒｅ）と呼ばれている。以下、この構成を階層化セル構成と称する。なお、小さいセルは、そのエリアのすべてが大きなセルに含まれる場合や一部のみ含まれる場合が考えられる。後者の場合、残りの部分が他の大きなセルに含まれていてもよい。
【００９２】
階層化セル構成は、大きなセル（大セル、上位セル、マクロセル）と小さなセル（小セル、下位セル、ピコセル）とが積層される、すなわち複数の層のように構成されるものである。ここでは、相対的に大きなセルを大セルと称し、相対的に小さなセルを小セルと称する。なお、階層化セル構成は、必ずしもセルの大きさが異なっているとは限らない。
【００９３】
図５Ａは、階層化セル構成の一例を示す図である。図５Ａに示す通信システム５００は、たとえば図２に示した通信システム２００の一例である。通信システム５００は、端末５０１と、基地局５１１と、基地局５３１〜５３８と、を含む階層化セル構成である。
【００９４】
図１Ａ〜図１Ｄに示したシステム１００は、一例としては図５Ａに示す通信システム５００において実現することができる。この場合に、図１Ａ〜図１Ｄに示した基地局１１０は、たとえば基地局５１１により実現することができる。また、図１Ａ〜図１Ｄに示した基地局１２０は、たとえば基地局５３１〜５３８により実現することができる。また、図１Ａ〜図１Ｄに示した端末１３０は、たとえば端末５０１により実現することができる。
【００９５】
基地局５１１は、基地局５３１〜５３８に比べて送信電力が大きいマクロ基地局である。大セル５２１は基地局５１１のセルである。基地局５３１〜５３８は、ピコセル、ナノセル、ファントムセルなどを形成する、基地局５１１に比べて送信電力が小さい（小型の）基地局である。なお、セル半径の長い方から順にピコセル、ナノセル、ファントムセルと呼んでいる。小セル５４１〜５４８は、それぞれ基地局５３１〜５３８のセルである。
【００９６】
通信システム５００は、基地局５３１〜５３８（小セル５４１〜５４８）が大セル５２１に設けられる階層化セル構成となっている。つぎに、階層化セル構成である通信システム５００に対してキャリアアグリゲーションを実施する場合について説明する。
【００９７】
図５Ｂは、階層化セル構成におけるキャリアアグリゲーションの一例を示す図である。たとえば、図５Ｂに示すように、通信システム５００においては、大セル５２１をＰセル、小セル５４１〜５４８をＳセルとしてキャリアアグリゲーションが行われる。ただし、たとえば大セル５２１をＳセル、小セル５４１〜５４８をＰセルとしてキャリアアグリゲーションが行われてもよい。
【００９８】
また、ＰセルとしてもＳセルとしても接続可能なセルが存在してもよい。以下の説明では、大セル５２１をＰセル、小セル５４１〜５４８をＳセルとしてキャリアアグリゲーションが行われる場合について説明する。
【００９９】
たとえば、通信システム５００において、Ｐセルでは主に制御信号を伝送し、Ｓセルではユーザデータを主に伝送する。これにより、周波数利用効率を改善することが可能となる。これは、セルが細分化されることによる効果である。また、Ｓセルは端末基地局間距離が短いため伝搬ロスが少ない。このため、上りデータ伝送では、ユーザデータの伝送に要する送信電力を低減でき、端末５０１の低消費電力化を図ることができる。
【０１００】
（Ｓセルとなる基地局の例）
図６Ａは、Ｓセルとなる基地局の例１を示す図である。図６Ａにおいて、図５Ａに示した部分と同様の部分については同一の符号を付して説明を省略する。ここでは、端末５０１が、基地局５１１をＰセルとし、基地局５３１をＳセルとするキャリアアグリゲーションを行う場合について説明する。
【０１０１】
たとえば、図６Ａに示すように、Ｓセルとなる基地局５３１は、たとえば基地局５１１（マクロ基地局）と有線接続された基地局（ｅＮＢ：ｅｖｏｌｖｅｄ  Ｎｏｄｅ  Ｂ）とすることができる。この場合は、基地局５１１と基地局５３１とは、たとえばイーサネット（登録商標）を用いたインターネットまたはイントラネットなどによって接続される。
【０１０２】
なお、基地局５１１や基地局５３１は、基地局５１１や基地局５３１の上位装置であって端末５０１の移動を管理するＭＭＥ（たとえば図２に示したＭＭＥ／Ｓ−ＧＷ２１１，２１２）と接続されていてもよい。この際、小セル５４１を構成する基地局５３１は、ＭＭＥに直接接続されてもよいし、大セル５２１を構成する基地局５１１を介してＭＭＥに接続されてもよい。また、基地局５３１は、たとえば公衆回線で接続されたフェムト基地局であってもよいし、移動通信事業者の所有する専用回線で接続されたスモール基地局（またはピコ基地局）などであってもよい。
【０１０３】
図６Ｂは、Ｓセルとなる基地局の例２を示す図である。図６Ｂにおいて、図６Ａに示した部分と同様の部分については同一の符号を付して説明を省略する。図６Ｂに示すように、基地局５３１は、基地局５１１に設けられたＢＢＵ（Ｂａｓｅ  Ｂａｎｄ  Ｕｎｉｔ）と接続されたＲＲＨ（Ｒｅｍｏｔｅ  Ｒａｄｉｏ  Ｈｅａｄ）であってもよい。ＲＲＨは、送信信号および受信信号の増幅などを行う。ＢＢＵは、変調や復調などの処理を行う。ＢＢＵとＲＲＨとの間の接続にはたとえば光回線などの専用回線を用いることができる。なお、ＲＲＨは張出基地局と呼ばれることもある。
【０１０４】
図６Ｃは、Ｓセルとなる基地局の例３を示す図である。図６Ｃにおいて、図６Ａに示した部分と同様の部分については同一の符号を付して説明を省略する。図６Ｃに示すように、基地局５３１は、基地局５１１の通信を無線中継するＲＮ（中継局：Ｒｅｌａｙ  Ｎｏｄｅ）であってもよい。この場合は、基地局５１１と基地局５３１とは無線接続される。
【０１０５】
以下の説明においては、図６Ａに示した構成について説明する。ただし、本願発明は図６Ｂ，図６Ｃに示した構成においても同様に実現することができる。
【０１０６】
（階層化セル構成におけるセル初回選択）
階層化セル構成におけるセル初回選択について説明する。ここではＬＴＥ仕様であるＴＳ３６．３０４の例について説明する。
【０１０７】
端末５０１は、たとえばＰセルのセル初回選択において、下記（１）式〜下記（３）式を満たすセルを選択する。
【０１０８】
Ｓｒｘｌｅｖ＞０  ＡＮＤ  Ｓｑｕａｌ＞０      …（１）
【０１０９】
Ｓｒｘｌｅｖ＝Ｑrxlevmeas−（Ｑrxlevmin＋Ｑrxlevminoffset）−Ｐｃｏｍｐｅｎｓａｔｉｏｎ  …（２）
【０１１０】
Ｓｑｕａｌ＝Ｑqualmeas−（Ｑqualmin＋Ｑqualminoffset）  …（３）
【０１１１】
上記（１）式において、Ｓｒｘｌｅｖは、端末５０１における対象セルの補正後の受信電力である。Ｓｑｕａｌは、端末５０１における対象セルの補正後の受信品質である。
【０１１２】
上記（２）式において、Ｑrxlevmeasは、端末５０１における対象セルの受信電力の測定結果である。受信電力の測定結果は、たとえばＲＳＲＰ（Ｒｅｆｅｒｅｎｃｅ  Ｓｉｇｎａｌ  Ｒｅｃｅｉｖｅｄ  Ｐｏｗｅｒ：基準信号受信電力）である。Ｑrxlevminは、所要受信電力である。所要受信電力は、たとえば所要誤り率（たとえばビット誤り率ＢＥＲ＝０．０１やブロック誤り率ＢＬＥＲ＝０．１）や所要伝送速度を満たすための最小の受信電力［ｄＢｍ］である。なお、参照信号（ＲＳ：Ｒｅｆｅｒｅｎｃｅ  Ｓｉｇｎａｌ）は、一般的な無線通信システムにおけるパイロットに相当するものである。
【０１１３】
Ｑrxlevminoffsetは、受信電力のオフセットである。Ｐｃｏｍｐｅｎｓａｔｉｏｎは、基地局の送信電力に依存した補正値である。たとえば、基地局の送信電力が下がれば受信電力が下がるため、Ｐｃｏｍｐｅｎｓａｔｉｏｎによる補正が行われる。ＱrxlevminやＱrxlevminoffsetなどは、システム情報（ＳＩＢ１：Ｓｙｓｔｅｍ  Ｉｎｆｏｒｍａｔｉｏｎ  Ｂｌｏｃｋ  ｔｙｐｅ  １）として端末５０１へ報知される。
【０１１４】
このように、補正後の受信電力であるＳｒｘｌｅｖは、測定した受信電力に対して、所要受信電力と報知された受信電力のオフセットを加算した結果を減算した結果に基づく受信品質評価結果である。すなわち、Ｓｒｘｌｅｖは、受信電力のオフセットを考慮して所要受信電力に対する余裕を評価するものである。
【０１１５】
上記（３）式において、Ｑqualmeasは、端末５０１における対象セルの受信品質の測定結果である。受信品質の測定結果は、たとえばＲＳＲＱ（Ｒｅｆｅｒｅｎｃｅ  Ｓｉｇｎａｌ  Ｒｅｃｅｉｖｅｄ  Ｑｕａｌｉｔｙ：基準信号受信品質）である。Ｑqualminは、所要受信品質である。所要受信品質は、たとえば所要誤り率や所要伝送速度を満たすための最小の受信品質である。受信品質は、たとえばＳＮＲ（Ｓｉｇｎａｌ  Ｎｏｉｓｅ  Ｒａｔｉｏ）やＳＩＲ（Ｓｉｇｎａｌ−ｔｏ−Ｉｎｔｅｒｆｅｒｅｎｃｅ  Ｒａｔｉｏ）である。
【０１１６】
Ｑqualminoffsetは、所要受信品質のオフセットである。Ｐｃｏｍｐｅｎｓａｔｉｏｎは、基地局の送信電力に依存した補正値である。たとえば、基地局の送信電力が下がれば受信品質が下がるため、Ｐｃｏｍｐｅｎｓａｔｉｏｎによる補正が行われる。ＱqualminやＱqualminoffsetなどは、システム情報（ＳＩＢ１）として端末５０１へ報知される。
【０１１７】
このように、補正後の受信品質であるＳｑｕａｌは、測定した受信品質に対して、所要受信品質と報知された受信品質のオフセットを加算した結果を減算した結果に基づく受信品質評価結果である。すなわち、Ｓｑｕａｌは、受信品質のオフセットを考慮して所要受信品質に対する余裕を評価するものである。
【０１１８】
なお、Ｗ−ＣＤＭＡシステムのＦＤＤ（Ｆｒｅｑｕｅｎｃｙ  Ｄｉｖｉｓｉｏｎ  Ｄｕｐｌｅｘ：周波数分割複信）においては、ＳｒｘｌｅｖおよびＳｑｕａｌが用いられるが、Ｗ−ＣＤＭＡシステムのＴＤＤ（Ｔｉｍｅ  Ｄｉｖｉｓｉｏｎ  Ｄｕｐｌｅｘ：時分割複信）においてはＳｒｘｌｅｖのみが用いられる。また、ＬＴＥ  Ｒｅｌｅａｓｅ８についてもＳｒｘｌｅｖのみが用いられる。
【０１１９】
（階層化セル構成におけるセル再選択）
階層化セル構成におけるセル再選択について説明する。セル再選択（Ｃｅｌｌ  ｒｅｓｅｌｅｃｔｉｏｎ）は、セル選択を実施した後に、通信がない状態などが一定時間経過した場合や回線接続後に回線が切れてしまったなどの理由で再びセル選択を行うものである（たとえば３ＧＰＰのＴＳ２５．３０４参照）。
【０１２０】
端末５０１は、たとえばＰセルのセル再選択において、下記（４）式に示すＨsおよびＨnを算出する。そして、端末５０１は、ＨsおよびＨnに基づいて各セルをランキング付けし、ランキングが最も高いセルを選択する。
【０１２１】
Ｈs＝Ｑmeas,s−Ｑｈｃｓs
Ｈn＝Ｑmeas,n−Ｑｈｃｓn−ＴＯn＊Ｌn  …（４）
【０１２２】
上記（４）式のＨsは、接続中のセル（Ｓｅｒｖｉｎｇ  Ｃｅｌｌ）に対する受信品質評価結果である。Ｈsは、接続中のセルからの下り無線回線品質（Ｑmeas,s）から接続中のセルからの無線回線品質の閾値（Ｑｈｃｓs）を減算した値である。Ｑmeas,sは、たとえば共通パイロットチャネルの受信品質（ＣＰＩＣＨ  Ｅｃ／Ｎｏ）などである。なお、「ｓ」はサービング（ｓｅｒｖｉｎｇ）、すなわち接続中先または待ち受け先のセルであることを示すサフィックスである。
【０１２３】
上記（４）式のＨnは、隣接セル（Ｎｅｉｇｈｂｏｒｉｎｇ  Ｃｅｌｌ）すなわち周辺セルに対する受信品質評価結果である。Ｈnは、隣接セルからの下り無線回線品質（Ｑmeas,n）から、隣接セルからの無線回線品質の閾値（Ｑｈｃｓn）と、ＴＯnとＬnとを乗じた値と、を減算した値である。Ｑmeas,nは、たとえば共通パイロットチャネルの受信品質（ＣＰＩＣＨ  Ｅｃ／Ｎｏ）などである。なお、「ｎ」はネイバリング（ｎｅｉｇｈｂｏｕｒｉｎｇ）、すなわち隣接セルを示すサフィックスである。
【０１２４】
ＴＯnは、測定タイミングが異なることに対する調整値（オフセット）である。Ｌnは、接続中のセルの優先度と隣接基地局の優先度が一致する場合は０、一致しない場合は１となる値である。上記（４）式のＴＯnおよびＬnは、たとえば下記（５）式によって算出することができる。
【０１２５】
ＴＯn＝ＴＥＭＰ＿ＯＦＦＳＥＴn＊Ｗ（ＰＥＮＡＬＴＹ＿ＴＩＭＥn−Ｔn）
Ｌn＝０（ＨＣＳ＿ＰＲＩＯn＝ＨＣＳ＿ＰＲＩＯs）
Ｌn＝１（ＨＣＳ＿ＰＲＩＯn≠ＨＣＳ＿ＰＲＩＯs）
Ｗ（ｘ）＝０（ｘ＜０）
Ｗ（ｘ）＝１（ｘ≧０）                                            …（５）
【０１２６】
上記（５）式において、ＰＥＮＡＬＴＹ＿ＴＩＭＥnは、隣接セル（周辺セル）測定のタイミングが異なることに対するオフセットである。ＴＥＭＰ＿ＯＦＦＳＥＴnは、ＰＥＮＡＬＴＹ＿ＴＩＭＥnの継続時間に対するオフセットである。ＨＣＳ＿ＰＲＩＯsは、接続中のセルにおける優先度である。ＨＣＳ＿ＰＲＩＯnは、隣接セルにおける優先度である。Ｗ（ｘ）は、重み付け関数である。Ｔnは、受信品質の測定タイミングである。
【０１２７】
Ｑｈｃｓs，Ｑｈｃｓn、ＨＣＳ＿ＰＲＩＯs、ＨＣＳ＿ＰＲＩＯn、ＰＥＮＡＬＴＹ＿ＴＩＭＥnなどは、システム情報として端末５０１へ報知される（たとえば３ＧＰＰのＴＳ３６．３０４やＴＳ３６．３３１参照）。
【０１２８】
たとえば、測定タイミングＴnがＰＥＮＡＬＴＹ＿ＴＩＭＥnよりも長い場合は、Ｗ（ｘ）＝０となる。このため、隣接セルからの下り無線回線品質（Ｑmeas,n）が閾値（Ｑｈｃｓn）より高い場合は、隣接セルの受信品質評価結果（Ｈn）は０より大きな値となる。同様に、接続中のセルからの下り無線回線品質（Ｑmeas,s）が閾値（Ｑｈｃｓs）より高い場合は、接続中のセルの受信品質評価結果（Ｈs）は０より大きな値となる。
【０１２９】
（無線回線品質の測定）
端末５０１による無線回線品質（Ｗｉｒｅｌｅｓｓ  Ｃｈａｎｎｅｌ  Ｑｕａｌｉｔｙ）の測定について説明する。端末５０１は、シンボル同期が可能となることで、基地局からのパイロット信号のみを取り出すことが可能となる。そして、端末５０１は、取り出したパイロット信号の受信電力（ＲＳＲＱ）の測定を行う。また、端末５０１は、算出したパイロット信号列と受信したパイロット信号列を比較することで、受信信号品質（ＲＳＲＱ）の測定を行う。
【０１３０】
（システム情報の受信）
端末５０１によるシステム情報の受信について説明する。端末５０１は、周辺基地局からの送信信号に対して同期することで、周辺基地局から報知されているシステム情報の受信が可能となる。システム情報は、たとえばＬＴＥシステムでは、ＭＩＢ（Ｍａｓｔｅｒ  Ｉｎｆｏｒｍａｔｉｏｎ  Ｂｌｏｃｋ）およびＳＩＢ（Ｓｙｓｔｅｍ  Ｉｎｆｏｒｍａｔｉｏｎ  Ｂｌｏｃｋ）である。
【０１３１】
ＭＩＢは、下り周波数帯域幅や無線フレーム番号などの情報を含む。ＳＩＢは、現時点ではＳＩＢ１からＳＩＢ１６（Ｓｙｓｔｅｍ  Ｉｎｆｏｒｍａｔｉｏｎ  Ｂｌｏｃｋ  ｔｙｐｅ  １６）まで規定されている。ただし、ＳＩＢはさらに増えることも考えられる。
【０１３２】
これらのシステム情報は、論理チャネルのＢＣＣＨ（Ｂｒｏａｄｃａｓｔ  Ｃｏｎｔｒｏｌ  ＣＨａｎｎｅｌ：報知チャネル）で伝送される。このＢＣＣＨは、トランスポートチャネルであるＢＣＨ（Ｂｒｏａｄｃａｓｔ  ＣＨａｎｎｅｌ：報知チャネル）またはＤＬ−ＳＣＨ（Ｄｏｗｎ  Ｌｉｎｋ−Ｓｈａｒｅｄ  ＣＨａｎｎｅｌ：下り共有チャネル）にマッピングされる。
【０１３３】
さらに、無線チャネルであるＰＢＣＨまたはＰＤＳＣＨを用いて端末５０１に送信される。なお、無線報知チャネルはもちろん、無線下り共有チャネルであっても、その基地局に対して接続、待ち受けしているまたは受信可能な端末５０１に対して共通制御情報として報知される。なお、報知とはいわゆる放送であり、端末５０１は報知信号に対する応答を基地局に送信しない。
【０１３４】
これらのシステム情報には、隣接セルリスト（周辺セルリスト）が含まれる。隣接セルリストは、たとえば、システム情報を送信する基地局に隣接する（周辺の）基地局のリストである。または、隣接セルリストは、システム情報が送信されるセルの隣接セルのリストとしてもよい。システム情報が送信されるセルとその隣接セルとは、同一の基地局によって形成されるセルであってもよいし、異なる基地局によって形成されるセルであってもよい。
【０１３５】
端末５０１は、たとえば、通信が終了し、回線が解放された後に再び回線接続する際のセル選択に隣接セルリストを使用する。また、端末５０１は、たとえば一定期間通信が途絶えた場合のセル再選択においても隣接セルリストを使用する。また、隣接セルリストは、端末５０１が移動したり電源をオフにしたりした場合でも維持され、次の回線設定時に利用される。
【０１３６】
この隣接セルリストに、各隣接セルがＰセルとして接続可能なセルか否かを示すＰセル選択情報を含める。Ｐセル選択情報には、たとえば、Ｐセルであること、Ｐセルとして選択する場合の優先度や、セル選択時に使用する無線回線品質に対するオフセット情報などが含まれる。また、キャリアアグリゲーションを実施し、かつ階層化セル構成であることを示す制御情報もシステム情報として送信されてもよい。
【０１３７】
さらに、隣接セルリストに、各隣接セルがＳセルとして接続可能なセルか否かを示すＳセル選択情報を含めてもよい。このＳセル選択情報には、たとえば、Ｓセルであること、Ｓセルとして選択する場合の優先度やセル選択時に使用する無線回線品質に対するオフセットなどの情報が含まれる。さらに、隣接セルリストに、階層化セル構成であることを示す情報を含めてもよい（たとえば図１５〜図１７参照）。
【０１３８】
なお、従来のセル選択情報は、階層化セルの各セル（各基地局）に対して、優先度やセル選択に使用するオフセット情報などであり、それぞれのセルがＰセルとして使われるのか、Ｓセルとして使われるのかについては規定していないものであった。よって、従来のセル選択情報を用いてセル選択を実施した場合、Ｓセルとして使われるセルをＰセルとして選択してしまうなどの障害が発生していた。
【０１３９】
これに対して、たとえば隣接セルリストにＰセル選択情報を含めることで、端末５０１は、隣接セルリストを受信することで、Ｐセルとして使われるセルを特定し、Ｐセルとして使われるセルをＰセルとして選択することが可能になる。
【０１４０】
（階層化セル構成におけるＰセルの誤選択について）
たとえば、各セルの無線回線品質閾値、無線回線品質、優先度、測定タイミング、ペナルティタイムの値によっては、接続中の基地局（たとえばＰセルとして使用するセル）でなく、Ｓセルとしてのみ使用可能な隣接するセルがＰセルとして選択される場合がある。
【０１４１】
（競合ベースのランダムアクセス）
図７Ａは、競合ベースのランダムアクセスの一例を示す図である。図７Ａにおいては、端末５０１（ＵＥ）が、大セルである基地局５１１をＰセルとして選択し、選択した基地局５１１に対して競合ベースのランダムアクセス（Ｃｏｎｔｅｎｔｉｏｎ  Ｂａｓｅｄ  Ｒａｎｄｏｍ  Ａｃｃｅｓｓ  Ｐｒｏｃｅｄｕｒｅ）を行う場合について説明する。まず、端末５０１が、メッセージ１としてランダムアクセスプリアンブル（Ｒａｎｄｏｍ  Ａｃｃｅｓｓ  Ｐｒｅａｍｂｌｅ）を基地局５１１へ送信する（ステップＳ７１１）。
【０１４２】
つぎに、基地局５１１が、ステップＳ７１１によって受信したランダムアクセスプリアンブルに基づいて端末５０１を識別し、端末５０１の識別子であるＣ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）を設定する。ここで設定されるＣ−ＲＮＴＩは、たとえば仮の識別子であるテンポラリＣ−ＲＮＴＩ（Ｔｅｍｐｏｒａｒｙ  Ｃ−ＲＮＴＩ）である。
【０１４３】
また、基地局５１１は、端末５０１に対して、上り送信許可（ＵＬ  ｇｒａｎｔ）、送信タイミング（Ｔｉｍｉｎｇ  Ａｌｉｇｎｍｅｎｔ  Ｉｎｆｏｒｍａｔｉｏｎ）、ＣＱＩ（Ｃｈａｎｎｅｌ  Ｑｕａｌｉｔｙ  Ｉｎｄｉｃａｔｏｒ）リクエストなどを設定する。そして、基地局５１１は、メッセージ２として、これらの設定結果と、ステップＳ７１１によって受信したランダムアクセスプリアンブルと、を含むランダムアクセスレスポンス（Ｒａｎｄｏｍ  Ａｃｃｅｓｓ  Ｒｅｓｐｏｎｓｅ）を端末５０１へ送信する（ステップＳ７１２）。
【０１４４】
つぎに、端末５０１が、ステップＳ７１１によって送信したランダムアクセスプリアンブルと、ステップＳ７１２によって受信したランダムアクセスプリアンブルと、が一致するか否かを確認する。ランダムアクセスプリアンブルが不一致の場合、端末５０１は、ステップＳ７１２によって受信したランダムアクセスレスポンスが他端末宛であると判断し、再びランダムアクセスプリアンブルを送信する。この際、端末５０１は、前回送信したランダムアクセスプリアンブルを送信してもよいし、異なるランダムアクセスプリアンブルを選択して送信してもよい。
【０１４５】
ランダムアクセスプリアンブルが一致した場合、端末５０１は、ステップＳ７１２によって受信したランダムアクセスレスポンスが自端末宛であると認識する。そして、端末５０１は、メッセージ３として、ＲＲＣコネクションリクエスト（ＲＲＣ  Ｃｏｎｎｅｃｔｉｏｎ  Ｒｅｑｕｅｓｔ）などを含むスケジュールドトランスミッション（Ｓｃｈｅｄｕｌｅｄ  Ｔｒａｎｓｍｉｓｓｉｏｎ）を基地局５１１へ送信する（ステップＳ７１３）。ステップＳ７１３による送信は、ステップＳ７１２によって受信したランダムアクセスレスポンスに含まれる上り送信許可（ＵＬ  ｇｒａｎｔ）や、ランダムアクセスレスポンスが指定する無線リソースおよび変調方式を用いて行われる。
【０１４６】
基地局５１１は、メッセージ４として、ステップＳ７１３によって受信したスケジュールドトランスミッションに対する応答信号（ＡＣＫ／ＮＡＣＫ）であるコンテンションレゾリューション（Ｃｏｎｔｅｎｔｉｏｎ  Ｒｅｓｏｌｕｔｉｏｎ）を送信する（ステップＳ７１４）。これにより、端末５０１と基地局５１１との間の無線回線設定が完了する。
【０１４７】
（非競合ベースのランダムアクセス）
図７Ｂは、非競合ベースのランダムアクセスの一例を示す図である。図７Ｂにおいては、端末５０１（ＵＥ）が小セルである基地局５３１をＳセルとして選択し、選択した基地局５３１に対して非競合ベースのランダムアクセス（Ｎｏｎ−Ｃｏｎｔｅｎｔｉｏｎ  Ｂａｓｅｄ  Ｒａｎｄｏｍ  Ａｃｃｅｓｓ  Ｐｒｏｃｅｄｕｒｅ）を行う場合について説明する。
【０１４８】
まず、基地局５３１は、端末５０１に対して、メッセージ０として、個別プリアンブルを含むランダムアクセスプリアンブルアサインメント（Ｒａｎｄｏｍ  Ａｃｃｅｓｓ  Ｐｒｅａｍｂｌｅ  Ａｓｓｉｇｎｍｅｎｔ）を端末５０１に送信する（ステップＳ７２１）。ランダムアクセスプリアンブルアサインメントには、Ｓセルとして選択された基地局５３１と端末５０１がランダムアクセスを実施するためのシステム情報などの制御情報が含まれていてもよい。
【０１４９】
つぎに、端末５０１が、メッセージ１として、ランダムアクセスプリアンブル（Ｒａｎｄｏｍ  Ａｃｃｅｓｓ  Ｐｒｅａｍｂｌｅ）を基地局５３１へ送信する（ステップＳ７２２）。ステップＳ７２２によって送信されるランダムアクセスプリアンブルは、ステップＳ７２１によって受信したランダムアクセスプリアンブルアサインメントに含まれる個別プリアンブルである。
【０１５０】
つぎに、基地局５３１が、ステップＳ７２２によって受信した個別プリアンブルに対して、メッセージ２としてランダムアクセスレスポンス（Ｒａｎｄｏｍ  Ａｃｃｅｓｓ  Ｒｅｓｐｏｎｓｅ）を端末５０１へ送信する（ステップＳ７２３）。これにより、一連の非競合ベースのランダムアクセスが終了し、端末５０１と基地局５３１との間で回線が設定される。すなわち、端末５０１においてＳセルが追加され、キャリアアグリゲーションが設定される。
【０１５１】
なお、Ｓセルが下り回線しか設定されない場合もある。この場合のＳセルの追加は、Ｐセルから端末５０１に対してＳセルの追加要求（すなわちＳセルを受信することを要求）とＳセルを追加するための情報（たとえば追加するＳセルの情報（たとえばセルＩＤなど））とを通知し、通知を受けた端末５０１は通知されたＳセルを受信するように設定する。これにより、Ｓセルが追加され、キャリアアグリゲーションが設定される。
【０１５２】
（基地局）
図８Ａは、基地局の一例を示す図である。図８Ｂは、図８Ａに示した基地局における信号の流れの一例を示す図である。基地局５１１，５３１〜５３８のそれぞれは、たとえば図８Ａ，図８Ｂに示す基地局８００により実現することができる。基地局８００は、アンテナ８０１と、受信部８１０と、制御部８２０と、送信部８３０と、を備える。受信部８１０は、受信無線部８１１と、復調・復号部８１２と、無線回線品質情報抽出部８１３と、無線回線制御情報抽出部８１４と、を備える。
【０１５３】
制御部８２０は、無線回線制御部８２１と、システム情報管理・記憶部８２２と、を備える。送信部８３０は、システム情報作成部８３１と、同期信号作成部８３２と、パイロット作成部８３３と、無線回線制御情報作成部８３４と、符号化・変調部８３５と、送信無線部８３６と、を備える。
【０１５４】
図１Ａ〜図１Ｄに示した生成部１１１は、たとえば制御部８２０によって実現することができる。図１Ａ〜図１Ｄに示した送信部１１２は、たとえばアンテナ８０１および送信部８３０によって実現することができる。
【０１５５】
アンテナ８０１は、基地局８００のセルに位置する端末（たとえば端末５０１）から無線送信された信号を受信し、受信した信号を受信無線部８１１へ出力する。また、アンテナ８０１は、送信無線部８３６から出力された信号を、基地局８００のセルに位置する端末へ無線送信する。
【０１５６】
受信無線部８１１は、アンテナ８０１から出力された信号の受信処理を行う。受信無線部８１１における受信処理には、たとえば、増幅、高周波帯からベースバンド帯への周波数変換、アナログ信号からデジタル信号への変換などが含まれる。受信無線部８１１は、受信処理を行った信号を復調・復号部８１２へ出力する。
【０１５７】
復調・復号部８１２は、受信無線部８１１から出力された信号の復調および復号を行う。そして、復調・復号部８１２は、復調および復号により得られた受信データを出力する。復調・復号部８１２から出力された受信データは、受信部８１０の上位レイヤの処理部、無線回線品質情報抽出部８１３および無線回線制御情報抽出部８１４へ出力される。
【０１５８】
無線回線品質情報抽出部８１３は、復調・復号部８１２から出力された受信データに含まれる無線回線品質情報を抽出する。無線回線品質情報は、たとえばＣＱＩ、ＲＳＲＰ、ＲＳＲＱなどである。無線回線品質情報抽出部８１３は、抽出した無線回線品質情報を無線回線制御部８２１へ出力する。
【０１５９】
無線回線制御情報抽出部８１４は、復調・復号部８１２から出力された受信データに含まれる無線回線制御情報を抽出する。無線回線制御情報は、たとえばランダムアクセスのプリアンブル、ランダムアクセスの各メッセージ、各種の応答信号（ＡＣＫ／ＮＡＣＫ）などである。無線回線制御情報抽出部８１４は、抽出した無線回線制御情報を無線回線制御部８２１へ出力する。
【０１６０】
無線回線制御部８２１は、基地局８００における無線回線の制御を行う。無線回線の制御には、無線回線品質情報抽出部８１３から出力された無線回線品質情報、無線回線制御情報抽出部８１４から出力された無線回線制御情報、システム情報管理・記憶部８２２に記憶されたシステム情報（帯域幅、プリアンブル）などが用いられる。また、無線回線の制御には、たとえば、ランダムアクセスの制御や端末（たとえば基地局８００）のスケジューリングや、端末に対する測定要求などが含まれる。たとえば、無線回線制御部８２１は、無線回線の制御に応じた端末宛の無線回線制御情報を無線回線制御情報作成部８３４へ通知する。
【０１６１】
システム情報管理・記憶部８２２は、システム情報の管理および記憶を行う。たとえば、システム情報管理・記憶部８２２は、無線回線制御部８２１の無線回線の制御によって得られたシステム情報を無線回線制御部８２１から取得して記憶する。また、システム情報管理・記憶部８２２は、記憶したシステム情報のうちの無線回線制御部８２１の無線回線の制御に要するシステム情報を無線回線制御部８２１へ出力する。
【０１６２】
また、システム情報管理・記憶部８２２は、基地局８００の隣接セルのシステム情報を隣接セル情報として隣接セルから受信する。また、システム情報管理・記憶部８２２は、基地局８００のシステム情報を、隣接情報として基地局８００の隣接セルへ送信する。
【０１６３】
また、システム情報管理・記憶部８２２は、システム情報をシステム情報作成部８３１へ通知する。システム情報には、たとえば基地局８００に関する情報（たとえばセルＩＤや帯域幅など）が含まれる。また、システム情報には、ランダムアクセスを実施する際の情報（たとえば、使用可能なランダムアクセスプリアンブルなど）が含まれる。また、システム情報には、セル選択に関する情報（セルの優先度やオフセットなど）が含まれる。
【０１６４】
また、システム情報には、上述した隣接セルリストが含まれる。隣接セルリストは、たとえば隣接セルから受信した隣接セル情報や、システム情報管理・記憶部８２２において管理している自セルの情報などに基づいて生成することができる。
【０１６５】
たとえば、ＳＩＢ４には、ＩｎｔｒａＦｒｅｑＮｅｉｇｈＣｅｌｌＬｉｓｔが定義されている。これは接続または待ち受け中の基地局（セル）と同じ周波数の隣接セルリストであり、リストの中にはセルＩＤなどが含まれている。また、ＳＩＢ５には、ＩｎｔｅｒＦｒｅｑＮｅｉｇｈＣｅｌｌＬｉｓｔが定義されている。ＩｎｔｅｒＦｒｅｑＮｅｉｇｈＣｅｌｌＬｉｓｔは、接続または待ち受け中の基地局（セル）と異なる周波数の隣接セルリストであり、リストの中にはセルＩＤなどが含まれている。また、ＩｎｔｅｒＦｒｅｑＮｅｉｇｈＣｅｌｌＬｉｓｔは、ＩｎｔｅｒＦｒｅｑＣａｒｒｉｅｒＦｒｅｑＩｎｆｏに含まれている。また、ＩｎｔｅｒＦｒｅｑＣａｒｒｉｅｒＦｒｅｑＩｎｆｏには、セル再選択のための優先度が含まれている。
【０１６６】
たとえば、上述したＩｎｔｒａＦｒｅｑＮｅｉｇｈＣｅｌｌＬｉｓｔおよびＩｎｔｅｒＦｒｅｑＮｅｉｇｈＣｅｌｌＬｉｓｔに、Ｐセルとして接続可能か否かを示す情報や、Ｓセルとして接続可能か否かを示す情報を含める（たとえば図１５〜図１７参照）。また、上述したＩｎｔｒａＦｒｅｑＮｅｉｇｈＣｅｌｌＬｉｓｔおよびＩｎｔｅｒＦｒｅｑＮｅｉｇｈＣｅｌｌＬｉｓｔに、さらに階層化セル構成のセルであるか否かを示す情報を含めてもよい。
【０１６７】
これらのシステム情報は、論理チャネル（Ｌｏｇｉｃａｌ  ｃｈａｎｎｅｌ）であるＢＣＣＨを用い、ＰＢＣＨまたはＰＤＳＣＨを用いて、基地局８００が基地局８００のセル内の各端末に対して共通な制御情報として報知（Ｂｒｏａｄｃａｓｔ）するものである。セル選択の際に使用するセルの優先度やオフセットがシステム情報に含まれる場合は、それらの情報を基にセル選択が実施される。
【０１６８】
また、システム情報管理・記憶部８２２は、基地局８００のセルＩＤを同期信号作成部８３２およびパイロット作成部８３３へ出力する。
【０１６９】
送信部８３０には、送信部８３０の上位レイヤの処理部から、基地局８００が送信すべき送信データが入力される。送信部８３０へ入力された送信データは符号化・変調部８３５へ入力される。
【０１７０】
システム情報作成部８３１は、システム情報管理・記憶部８２２から通知されたシステム情報を作成し、作成したシステム情報を、報知チャネルにマッピングして符号化・変調部８３５へ出力する。
【０１７１】
同期信号作成部８３２は、システム情報管理・記憶部８２２から出力されたセルＩＤに基づく同期信号であるＰＳＳ（Ｐｒｉｍａｒｙ  Ｓｙｎｃｈｒｏｎｉｚａｔｉｏｎ  Ｓｉｇｎａｌ：プライマリ同期信号、第１の同期信号）およびＳＳＳ（Ｓｅｃｏｎｄａｒｙ  Ｓｙｎｃｈｒｏｎｉｚａｔｉｏｎ  Ｓｉｇｎａｌ：セカンダリ同期信号、第２の同期信号）を作成する。そして、同期信号作成部８３２は、作成した同期信号を報知チャネルにマッピングして符号化・変調部８３５へ出力する。
【０１７２】
パイロット作成部８３３は、システム情報管理・記憶部８２２から出力されたセルＩＤに基づくパイロット信号である共通パイロットを作成し、作成した共通パイロットを無線制御チャネルや共有チャネルと同様に無線フレームにマッピングして符号化・変調部８３５へ出力する。なお、共通パイロットをパイロットチャネルにマッピングし、同様に無線フレームにマッピングしてもよい。
【０１７３】
また、パイロット作成部８３３が作成するパイロットには、たとえば、セル内で複数の端末に共通のセル共通パイロット（Ｃｅｌｌ  Ｓｐｅｃｉｆｉｃ  Ｐｉｌｏｔ）が含まれてもよい。また、パイロット作成部８３３が作成するパイロットには、端末個別に割り当てられた個別パイロット（Ｄｅｄｉｃａｔｅｄ  Ｐｉｌｏｔ，ＵＥ  Ｓｐｅｃｉｆｉｃ  ＲＳ）が含まれてもよい。また、パイロット作成部８３３が作成するパイロットには、位置測定用のパイロット（Ｐｏｓｉｔｉｏｎｉｎｇ  Ｐｉｌｏｔ，Ｐｏｓｉｔｉｏｎｉｎｇ  ＲＳ）が含まれてもよい。また、パイロット作成部８３３が作成するパイロットには、無線回線品質を測定するためのパイロット（Ｃｈａｎｎｅｌ  Ｓｔａｔｅ  Ｉｎｆｏｒｍａｔｉｏｎ  Ｐｉｌｏｔ  ＣＳＩ−ＲＳ）が含まれてもよい。すなわち、パイロット作成部８３３が作成するパイロットは、すなわち基地局８００および端末間や無線通信システムにおいて予め決められた既知信号であればよい。
【０１７４】
無線回線制御情報作成部８３４は、無線回線制御部８２１から通知された無線回線制御情報を作成し、作成した無線回線制御情報を報知チャネルまたは共有チャネルにマッピングして符号化・変調部８３５へ出力する。
【０１７５】
符号化・変調部８３５は、入力された送信データや、システム情報作成部８３１、同期信号作成部８３２、パイロット作成部８３３および無線回線制御情報作成部８３４から出力された各情報（信号）の符号化および変調を行う。そして、符号化・変調部８３５は、符号化および変調によって得られた信号を送信無線部８３６へ出力する。
【０１７６】
送信無線部８３６は、符号化・変調部８３５から出力された信号の送信処理を行う。送信無線部８３６における送信処理には、たとえば、デジタル信号からアナログ信号への変換や、ベースバンド帯から高周波帯への周波数変換や、増幅などが含まれる。送信無線部８３６は、送信処理により得られた信号をアンテナ８０１へ出力する。
【０１７７】
図８Ｃは、基地局のハードウェア構成の一例を示す図である。図８Ｃにおいて、図８Ａ，図８Ｂに示した部分と同様の部分については同一の符号を付して説明を省略する。図８Ａ，図８Ｂに示した基地局８００は、たとえば図８Ｃに示す通信装置８４０により実現することができる。通信装置８４０は、アンテナ８０１と、ＬＳＩ８４１と、ＤＳＰ８４２と、メモリ８４３と、通信インタフェース８４４（Ｉ／Ｆ）と、を備える。
【０１７８】
ＬＳＩ８４１（Ｌａｒｇｅ  Ｓｃａｌｅ  Ｉｎｔｅｇｒａｔｉｏｎ：大規模集積回路）は、アンテナ８０１およびＤＳＰ８４２と接続されている。図８Ａ，図８Ｂに示した受信無線部８１１および送信無線部８３６は、たとえばＬＳＩ８４１などの回路により実現することができる。
【０１７９】
ＤＳＰ８４２（Ｄｉｇｉｔａｌ  Ｓｉｇｎａｌ  Ｐｒｏｃｅｓｓｏｒ）は、ＬＳＩ８４１、メモリ８４３および通信インタフェース８４４と接続されている。ＤＳＰ８４２は、通信装置８４０の全体の制御を行う。メモリ８４３には、たとえばメインメモリおよび補助メモリが含まれる。メインメモリは、たとえばＲＡＭ（Ｒａｎｄｏｍ  Ａｃｃｅｓｓ  Ｍｅｍｏｒｙ）である。メインメモリは、ＤＳＰ８４２のワークエリアとして使用される。補助メモリは、たとえば磁気ディスク、フラッシュメモリなどの不揮発メモリである。補助メモリには、通信装置８４０を動作させる各種のプログラムが記憶されている。補助メモリに記憶されたプログラムは、メインメモリにロードされてＤＳＰ８４２によって実行される。
【０１８０】
通信インタフェース８４４は、外部の通信装置との間で通信を行う通信インタフェースである。通信インタフェース８４４には、たとえば有線の通信インタフェースを用いることができる。
【０１８１】
図８Ａ，図８Ｂに示した復調・復号部８１２、無線回線品質情報抽出部８１３、無線回線制御情報抽出部８１４、無線回線制御部８２１およびシステム情報管理・記憶部８２２は、たとえばＤＳＰ８４２などの回路およびメモリ８４３により実現することができる。また、図８Ａ，図８Ｂに示したシステム情報作成部８３１、同期信号作成部８３２、パイロット作成部８３３、無線回線制御情報作成部８３４および符号化・変調部８３５は、たとえばＤＳＰ８４２などの回路およびメモリ８４３により実現することができる。また、図８Ａ，図８Ｂに示したシステム情報管理・記憶部８２２の隣接セルとの通信のインタフェースは、たとえば通信インタフェース８４４により実現することができる。
【０１８２】
また、ＤＳＰ８４２に代えて、ＣＰＵ（Ｃｅｎｔｒａｌ  Ｐｒｏｃｅｓｓｉｎｇ  Ｕｎｉｔ：中央処理装置）や、ＤＳＰとＣＰＵの組み合わせなどを用いてもよい。
【０１８３】
（端末）
図９Ａは、端末の一例を示す図である。図９Ｂは、図９Ａに示した端末における信号の流れの一例を示す図である。図９Ａ，図９Ｂに示すように、端末９００は、アンテナ９０１と、受信部９１０と、制御部９２０と、送信部９３０と、を備える。
【０１８４】
受信部９１０は、受信無線部９１１と、復調・復号部９１２と、システム情報抽出部９１３と、無線回線制御情報抽出部９１４と、同期信号抽出部９１５と、セルＩＤ抽出部９１６と、を備える。また、受信部９１０は、パイロット算出部９１７と、無線回線品質測定・算出部９１８と、パイロット抽出部９１９と、を備える。
【０１８５】
制御部９２０は、同期制御部９２１と、端末設定制御部９２２と、システム情報記憶部９２３と、無線回線制御部９２４と、セル選択制御部９２５と、を備える。送信部９３０は、無線回線品質情報作成部９３１と、無線回線制御信号作成部９３２と、符号化・変調部９３３と、送信無線部９３４と、を備える。
【０１８６】
図１Ａ〜図１Ｄに示した受信部１３１は、たとえばアンテナ９０１および受信部９１０によって実現することができる。図１Ａ〜図１Ｄに示した制御部１３２は、たとえば制御部９２０によって実現することができる。
【０１８７】
アンテナ９０１は、基地局（たとえば基地局５１１，５３１または基地局８００）から無線送信された信号を受信し、受信した信号を受信無線部９１１へ出力する。また、アンテナ９０１は、送信無線部９３４から出力された信号を基地局へ無線送信する。
【０１８８】
受信無線部９１１は、アンテナ９０１から出力された信号の受信処理を行う。受信無線部９１１における受信処理には、たとえば、増幅、高周波帯からベースバンド帯への周波数変換、アナログ信号からデジタル信号への変換などが含まれる。受信無線部９１１は、受信処理を行った信号を復調・復号部９１２へ出力する。
【０１８９】
復調・復号部９１２は、受信無線部９１１から出力された信号の復調および復号を行う。そして、復調・復号部９１２は、復調および復号により得られた受信データを出力する。復調・復号部９１２から出力された受信データは、受信部９１０の上位レイヤの処理部、システム情報抽出部９１３、無線回線制御情報抽出部９１４、同期信号抽出部９１５およびパイロット抽出部９１９へ出力される。
【０１９０】
システム情報抽出部９１３は、復調・復号部９１２から出力された受信データに含まれる、基地局８００から報知情報（Ｂｒｏａｄｃａｓｔ  Ｉｎｆｏｒｍａｔｉｏｎ）として送信されたシステム情報（Ｓｙｓｔｅｍ  Ｉｎｆｏｒｍａｔｉｏｎ）を抽出する。システム情報には、たとえば、キャリアアグリゲーションの実施に関する情報や、上述した隣接セルリストなどが含まれる。システム情報抽出部９１３は、抽出したシステム情報を、端末設定制御部９２２、セル選択制御部９２５へ出力する。
【０１９１】
また、システム情報抽出部９１３は、たとえば基地局５１１の配下の各小セルのセルＩＤ、周波数、帯域幅が、システムとして予め決められている場合は、抽出したシステム情報をシステム情報記憶部９２３に記憶させてもよい。この場合は、端末９００は、基地局５１１の大セル５２１においてその後はシステム情報を受信しなくてもよい。また、システム情報は予めシステム情報記憶部９２３に記憶されていてもよい。
【０１９２】
無線回線制御情報抽出部９１４は、復調・復号部９１２から出力された受信データに含まれる無線回線制御情報を抽出し、抽出した無線回線制御情報を無線回線制御部９２４へ出力する。無線回線制御情報には、ランダムアクセスレスポンスやハンドオーバ指示などが含まれる。
【０１９３】
同期信号抽出部９１５は、復調・復号部９１２から出力された受信データに含まれる同期信号であるＰＳＳおよびＳＳＳを抽出する。そして、同期信号抽出部９１５は、ＰＳＳおよびＳＳＳの抽出結果を、セルＩＤ抽出部９１６および同期制御部９２１へ出力する。
【０１９４】
セルＩＤ抽出部９１６は、同期信号抽出部９１５から出力された抽出結果に基づいて、ＰＳＳおよびＳＳＳの送信元のセルのセルＩＤを抽出する。そして、セルＩＤ抽出部９１６は、抽出したセルＩＤをパイロット算出部９１７および無線回線制御部９２４へ出力する。
【０１９５】
パイロット算出部９１７は、セルＩＤ抽出部９１６から出力されたセルＩＤに基づくパイロットのパターンを算出する。そして、パイロット算出部９１７は、算出したパイロットのパターンを無線回線品質測定・算出部９１８へ通知する。
【０１９６】
無線回線品質測定・算出部９１８は、パイロット算出部９１７から通知されたパターンのパイロットを抽出するようにパイロット抽出部９１９を制御する。そして、無線回線品質測定・算出部９１８は、パイロット抽出部９１９から出力されたパイロットに基づく無線回線品質の測定を行い、測定結果に基づく無線回線品質情報の算出を行う。そして、無線回線品質測定・算出部９１８は、算出した無線回線品質情報をセル選択制御部９２５および無線回線品質情報作成部９３１へ出力する。無線回線品質情報は、たとえば、ＣＱＩ、ＲＳＲＰ、ＲＳＲＱなどである。
【０１９７】
同期制御部９２１は、同期信号抽出部９１５から出力された抽出結果に基づいて、パイロットの送信元の基地局との間で同期をとる。同期は、たとえば、フレーム先頭のタイミングを合わせるなどの無線フレームの同期や、無線フレームを構成するスロットや、スロットを構成するシンボル（または無線信号）の同期である。なお１無線フレームは、２０スロット、または２スロットを１サブフレームとし１０サブフレームで構成される。
【０１９８】
同期制御部９２１は、同期をとったタイミングに基づいて、端末９００における受信や送信のタイミングを制御する同期制御を行う。たとえば、同期制御部９２１は、基地局との間で同期をとったタイミングを端末設定制御部９２２へ通知する。
【０１９９】
端末設定制御部９２２は、同期制御部９２１から通知されるタイミングに基づいて、受信無線部９１１、復調・復号部９１２、符号化・変調部９３３および送信無線部９３４の制御を行う。端末設定制御部９２２における制御は、たとえば、システム情報抽出部９１３から出力されたシステム情報や、システム情報記憶部９２３に記憶されたシステム情報が用いられる。また、端末設定制御部９２２における制御には、キャリアアグリゲーションなどに関する制御が含まれる。
【０２００】
無線回線制御部９２４は、端末９００の無線回線の制御を行う。端末９００の無線回線の制御には、たとえばランダムアクセスやハンドオーバなどが含まれる。端末９００の無線回線の制御は、たとえば、セルＩＤ抽出部９１６から出力されたセルＩＤや、無線回線制御情報抽出部９１４から出力された無線回線制御情報などに基づいて行われる。無線回線制御部９２４は、無線回線の制御に応じた無線回線制御情報を無線回線制御信号作成部９３２へ通知する。
【０２０１】
セル選択制御部９２５は、端末９００が接続するＰセルおよびＳセルの選択を行う。セル選択制御部９２５によるセル選択は、無線回線品質測定・算出部９１８から出力された無線回線品質情報や、システム情報抽出部９１３から出力されたシステム情報や、システム情報記憶部９２３に記憶されたセル選択情報などに基づいて行われる。このシステム情報には、上述した隣接セルリストが含まれる。そして、セル選択制御部９２５は、選択したセルを無線回線品質情報作成部９３１へ通知する。
【０２０２】
たとえば、セル選択制御部９２５は、端末９００が接続するＰセルを選択する場合に、システム情報抽出部９１３から出力されたシステム情報に含まれる隣接セルリストに基づいて、Ｐセルとして接続可能なセルを選択する。
【０２０３】
また、セル選択制御部９２５は、端末９００が接続するＳセルを選択する場合に、システム情報抽出部９１３から出力されたシステム情報に含まれる隣接セルリストに基づいて、Ｓセルとして接続可能なセルを選択してもよい。ただし、端末９００が接続するＳセルを基地局８００で選択する場合は、セル選択制御部９２５は、システム情報によって指示されるＳセルを選択する。
【０２０４】
送信部９３０には、送信部９３０の上位レイヤの処理部から、端末９００が送信すべき送信データが入力される。送信部９３０へ入力された送信データは符号化・変調部９３３へ入力される。
【０２０５】
無線回線品質情報作成部９３１は、無線回線品質測定・算出部９１８から出力された無線回線品質情報と、セル選択制御部９２５から通知されたセルと、に基づく無線回線品質情報を作成する。そして、無線回線品質情報作成部９３１は、作成した無線回線品質情報を、制御チャネルにマッピングして符号化・変調部９３３へ出力する。
【０２０６】
無線回線制御信号作成部９３２は、無線回線制御部９２４から通知された無線回線制御情報を作成し、作成した無線回線制御情報を制御チャネルにマッピングして符号化・変調部９３３へ出力する。
【０２０７】
符号化・変調部９３３は、入力された送信データや、無線回線品質情報作成部９３１および無線回線制御信号作成部９３２から出力された各情報（信号）の符号化および変調を行う。そして、符号化・変調部９３３は、符号化および変調によって得られた信号を送信無線部９３４へ出力する。
【０２０８】
送信無線部９３４は、符号化・変調部９３３から出力された信号の送信処理を行う。送信無線部９３４における送信処理には、たとえば、デジタル信号からアナログ信号への変換や、ベースバンド帯から高周波帯への周波数変換や、増幅などが含まれる。送信無線部９３４は、送信処理により得られた信号をアンテナ９０１へ出力する。
【０２０９】
図９Ｃは、端末のハードウェア構成の一例を示す図である。図９Ｃにおいて、図９Ａ，図９Ｂに示した部分と同様の部分については同一の符号を付して説明を省略する。図９Ａ，図９Ｂに示した端末９００は、たとえば図９Ｃに示す通信装置９４０により実現することができる。通信装置９４０は、アンテナ９０１と、ＬＳＩ９４１と、ＤＳＰ９４２と、メモリ９４３と、表示部９４４と、マイク９４５と、拡声器９４６と、を備える。
【０２１０】
ＬＳＩ９４１は、アンテナ９０１およびＤＳＰ９４２と接続されている。図９Ａ，図９Ｂに示した受信無線部９１１および送信無線部９３４は、たとえばＬＳＩ９４１などの回路により実現することができる。
【０２１１】
ＤＳＰ９４２は、ＬＳＩ９４１およびメモリ９４３に接続されている。ＤＳＰ９４２は、通信装置９４０の全体の制御を行う。メモリ９４３には、たとえばメインメモリおよび補助メモリが含まれる。メインメモリは、たとえばＲＡＭである。メインメモリは、ＤＳＰ９４２のワークエリアとして使用される。補助メモリは、たとえば磁気ディスク、フラッシュメモリなどの不揮発メモリである。補助メモリには、通信装置９４０を動作させる各種のプログラムが記憶されている。補助メモリに記憶されたプログラムは、メインメモリにロードされてＤＳＰ９４２によって実行される。
【０２１２】
図９Ａ，図９Ｂに示した復調・復号部９１２、システム情報抽出部９１３、無線回線制御情報抽出部９１４、同期信号抽出部９１５およびセルＩＤ抽出部９１６は、たとえばＤＳＰ９４２などの回路およびメモリ９４３により実現することができる。図９Ａ，図９Ｂに示したパイロット算出部９１７、無線回線品質測定・算出部９１８およびパイロット抽出部９１９は、たとえばＤＳＰ９４２などの回路およびメモリ９４３により実現することができる。
【０２１３】
図９Ａ，図９Ｂに示した同期制御部９２１、端末設定制御部９２２、システム情報記憶部９２３、無線回線制御部９２４およびセル選択制御部９２５は、たとえばＤＳＰ９４２などの回路およびメモリ９４３により実現することができる。図９Ａ，図９Ｂに示した無線回線品質情報作成部９３１、無線回線制御信号作成部９３２および符号化・変調部９３３は、たとえばＤＳＰ９４２などの回路およびメモリ９４３により実現することができる。また、ＤＳＰ９４２に代えて、ＣＰＵや、ＤＳＰとＣＰＵの組み合わせなどを用いてもよい。
【０２１４】
表示部９４４、マイク９４５および拡声器９４６は、通信装置９４０のユーザとの間のユーザインタフェースである。表示部９４４は、たとえばタッチパネルなど、入力デバイスを兼ねた装置であってもよい。
【０２１５】
（同期およびセルＩＤ算出）
フレーム同期やスロット同期などの同期およびセルＩＤについて説明する。ＬＴＥシステムの同期信号であるＰＳＳとＳＳＳは、セルＩＤを基に作成される。セルＩＤは、３つのセルＩＤを１グループとし、計１６８グループで構成されており、計５０４のセルＩＤが設定されている。グループを示すＮID（１）は０〜１６７の整数値であり、グループの要素を示すＮID（２）０〜２の整数値である。セルＩＤを式で表すと、たとえばＮID（ｃｅｌｌ）＝３ＮID（１）＋ＮID（２）となる。
【０２１６】
ここで、ＮID（ｃｅｌｌ）はセルＩＤを示す。ＮID（１）は１６８種類のグループ（セルグループ）を示す。ＮID（２）は３通りの識別子を示す。これにより、５０４種類のセルＩＤを表現できる。ＬＴＥやＬＴＥ−Ａｄｖａｎｃｅｄでは、ＰＳＳとＳＳＳとを対応付けることにより、ＰＳＳおよびＳＳＳを特定すれば、セルＩＤも特定できるようになっている。
【０２１７】
つぎに、ＰＳＳ（ルート系列）について説明する。ＰＳＳは、６２ｂｉｔの信号列である。ＰＳＳは、周波数領域のＺａｄｏｆｆ−Ｃｈｕ系列を用いて生成され、たとえば下記（６）式によって表すことができる。
【０２１８】
【数１】
2015155898.tif 000047
【０２１９】
ここで、ルートインデックスｕと、セルグループの識別子ＮID（２）と、が対応付けられている。ルートインデックスｕは、Ｚａｄｏｆｆ−Ｃｈｕルートシーケンスのインデックスを示し、予め３通りのルートインデックスｕが定義されている。端末９００は、ＰＳＳをブラインド推定し、検出された系列からＮID（２）を特定することができる。
【０２２０】
したがって、ＰＳＳとして３信号列が構成されることがわかる。すなわち、ＰＳＳを用いて同期を実施する場合、事前に３つの信号列を準備し、一致する信号系列を見つければよい。たとえば、端末９００は、受信したＰＳＳの信号列と上述した３つの信号列との相関を確認し、最も相関が高い、すなわち最も尤もらしい信号列を選択する。
【０２２１】
さらに、ＰＳＳは無線フレームを構成する１０サブフレーム（サブフレーム＃０〜サブフレーム＃９）および２０スロット（スロット＃０〜スロット＃１９）のうち、スロット＃０とスロット＃１０で送信される。よって、ＰＳＳを検出したスロットが、スロット＃０かスロット＃１０である。これを基に、スロット＃０またはスロット＃１０の先頭が算出でき、スロット同期を実施することができる。スロット＃０を含むサブフレーム＃０とスロット＃１０を含むサブフレーム＃５の先頭が算出でき、サブフレーム同期を実施することができる。さらに、スロット＃０は、無線フレームの先頭であることからフレーム同期を実施することができる。
【０２２２】
つぎに、ＳＳＳについて説明する。ＳＳＳは、ＰＳＳと同様に６２ｂｉｔの信号列であり、たとえば下記（７）式によって表すことができる。ＳＳＳは、長さ３１のバイナリ系列をインタリーブした構造となっており、ＰＳＳで与えられるスクランブル系列（ｃ0（ｎ）、ｃ1（ｎ））を用いてスクランブルされている。ただし、０≦ｎ≦３０である。
【０２２３】
【数２】
2015155898.tif 000048
【０２２４】
ｍ0およびｍ1は、ＮID（１）と対応付けられており、下記（８）式によって表すことができる。
【０２２５】
【数３】
2015155898.tif 000049
【０２２６】
上記（８）式によるｍ0およびｍ1とＮID（１）との関係は、たとえば予めシステムにおいて定義されている。また、ｓ0（ｍ0）（ｎ）およびｓ1（ｍ1）（ｎ）は、ｍ系列＾ｓ（ｎ）をサイクリックシフトすることによって生成される。すなわち、ｓ0（ｍ0）（ｎ）およびｓ1（ｍ1）（ｎ）は、下記（９）式によって表すことができる。
【０２２７】
【数４】
2015155898.tif 000050
【０２２８】
また、ｍ系列＾ｓ（ｎ）は、下記（１０）式によって表すことができる。
【０２２９】
【数５】
2015155898.tif 000051
【０２３０】
なお、初期状態においては、ｘ（０）＝０、ｘ（１）＝０、ｘ（２）＝０、ｘ（３）＝０、ｘ（４）＝１となる。
【０２３１】
つぎに、ｃ0（ｎ）およびｃ1（ｎ）について説明する。ｃ0（ｎ）およびｃ1（ｎ）は、ＰＳＳに依存するスクランブル系列であり、ｍ系列＾ｓ（ｎ）のサイクリックシフトとして表される。すなわち、ｃ0（ｎ）およびｃ1（ｎ）は、たとえば下記（１１）式によって表すことができる。
【０２３２】
【数６】
2015155898.tif 000052
【０２３３】
＾ｃ（ｎ）は、ｍ系列＾ｓ（ｎ）と同様に＾ｃ（ｉ）＝１−２ｘ（ｉ）と表されるが、ｘ（ｉ）が下記（１２）式のようになる点でｍ系列＾ｓ（ｎ）と異なる。
【０２３４】
【数７】
2015155898.tif 000053
【０２３５】
つぎに、ｚ1（ｍ0）（ｎ）およびｚ1（ｍ1）（ｎ）について説明する。ｚ1（ｍ0）（ｎ）およびｚ1（ｍ1）（ｎ）もｍ系列＾ｓ（ｎ）をサイクリックシフトすることにより生成され、たとえば下記（１３）式によって表すことができる。
【０２３６】
【数８】
2015155898.tif 000054
【０２３７】
＾ｚ（ｎ）も、ｍ系列＾ｓ（ｎ）と同様に＾ｚ（ｉ）＝１−２ｘ（ｉ）と表されるが、ｘ（ｉ）が下記（１４）式のようになる点でｍ系列＾ｓ（ｎ）と異なる。
【０２３８】
【数９】
2015155898.tif 000055
【０２３９】
端末９００において、ＳＳＳの生成メカニズム（ｍ系列やＰＳＳによるスクランブリングなど）は既知であるため、これらの情報に基づいて、ｍ0およびｍ1を特定し、ＮID（１）を導出することができる。そして、ＮID（１）およびＮID（２）に基づいてＮID（ｃｅｌｌ）を導出することができる。
【０２４０】
また、ＳＳＳを受信した端末９００は、ＰＳＳで求めたＮID（２）を基に算出したｃ0（ｎ）およびｃ1（ｎ）で受信ＳＳＳの偶数（ｄ（２ｎ））を除算することにより、受信信号であるｓ0（ｍ0）（ｎ）およびｓ1（ｍ1）（ｎ）を求める。
【０２４１】
また、端末９００は、特定したｍ0およびｍ1より作成したｓ0（ｍ0）（ｎ）とｓ1（ｍ1）（ｎ）との相関を計算することにより、受信したＳＳＳのｍ0とｍ1を導出し、ＮID（１）を導き出す。これにより、セルＩＤが算出可能になる。また、セルＩＤに基づくスロット同期およびフレーム同期が可能となる。
【０２４２】
スロット同期（またはフレーム同期）がとれてセルＩＤであるＮID（ｃｅｌｌ）がわかると、周辺基地局が送信するパイロット信号も導き出すことができる。ＬＴＥにおけるパイロット信号列は、たとえば下記（１５）式〜下記（１７）式で算出される。
【０２４３】
【数１０】
2015155898.tif 000056
【０２４４】
【数１１】
2015155898.tif 000057
【０２４５】
【数１２】
2015155898.tif 000058
【０２４６】
ｎsはスロット番号を示す。スロット番号は、スロット同期をとることで識別することができる。ｌは、スロットにおけるＯＦＤＭシンボル番号を示す。ＯＦＤＭシンボル番号について、パイロット信号の時間方向の配置は予め規定されている。ｃ（ｉ）は、疑似ランダム信号列（ＰＮ：Ｐｓｅｕｄｏ−ｒａｎｄｏｍ  Ｎｏｉｓｅ）を示す。
【０２４７】
ＮCPは、Ｎｏｒｍａｌ  ＣＰまたはＥｘｔｅｎｄｅｄ  ＣＰである。Ｅｘｔｅｎｄｅｄ  ＣＰは、大きなセルまたはＭＢＳＦＮ（Ｍｕｌｔｉｃａｓｔ−Ｂｒｏａｄｃａｓｔ  Ｓｉｎｇｌｅ  Ｆｒｅｑｕｅｎｃｙ  Ｎｅｔｗｏｒｋ）伝送を実施する場合に用いられ、通常のＣＰ（Ｎｏｒｍａｌ  ＣＰ）よりも時間がないものである。
【０２４８】
このように、セルＩＤがわかるとパイロット信号列が算出可能になる。このため、パイロット信号列を受信した端末９００は、同期信号を受信することで算出したセルＩＤを基に作成したパイロット信号列と受信したパイロット信号列を比較することにより、ＯＦＤＭシンボル単位（単にシンボルとする）の同期が可能となる。
【０２４９】
（端末によるＰセル接続処理）
図１０は、端末によるＰセル接続処理の一例を示すフローチャートである。端末９００は、Ｐセル接続処理として、たとえば図１０に示す各ステップを実行する。まず、端末９００は、ある基地局に対して待ち受け（キャンプオン）または接続を実施するために、周辺基地局からの無線回線品質を測定し、測定結果が最も良好なセルを選択する（ステップＳ１００１）。
【０２５０】
ステップＳ１００１において、たとえば、端末９００は、受信電力を測定し、最も受信電力の高いセルを選択する。この受信電力は、たとえばＲＳＳＩ（Ｒｅｃｅｉｖｅｄ  Ｓｉｇｎａｌ  Ｓｔｒｅｎｇｔｈ  Ｉｎｄｉｃａｔｏｒ：受信信号強度）などの特定の信号（たとえばパイロット）に基づく受信電力とすることができる。また、この受信電力は、たとえば包絡線検波（Ｅｎｖｅｌｏｐｅ  ｄｅｔｅｃｔｉｏｎ）などに基づく受信電力としてもよい。
【０２５１】
つぎに、端末９００は、ステップＳ１００１によって選択したセルに同期する（ステップＳ１００２）。つぎに、端末９００は、隣接セルリストを含むシステム情報を、ステップＳ１００２によって同期したセルから受信する（ステップＳ１００３）。上述したように、隣接セルリストには、各隣接セルがＰセルとして選択可能か否かを示す情報や、各隣接セルがＳセルとして選択可能か否かを示す情報が含まれている。
【０２５２】
また、ステップＳ１００３によって受信されるシステム情報には、隣接セルリストに加えて、ステップＳ１００２によって同期したセルがＰセルとして選択可能か否かを示す情報や、同期したセルがＳセルとして選択可能か否かを示す情報が含まれていてもよい。これにより、ステップＳ１００２によって同期したセルと、ステップＳ１００２によって同期したセルの隣接セルと、のそれぞれについて、Ｐセルとして選択可能か否かを示す情報や、Ｓセルとして選択可能か否かを示す情報を得ることができる。
【０２５３】
つぎに、端末９００は、ｎを初期化（ｎ＝１）する（ステップＳ１００４）。ｎは、接続候補のセルのインデックスが格納される変数である。接続候補のセルは、たとえば、ステップＳ１００２によって同期したセルと、ステップＳ１００２によって同期したセルの隣接セルと、を含む各セルである。接続候補のセルは、たとえばステップＳ１００３によって受信された隣接セルリストを含むシステム情報によって特定することができる。
【０２５４】
つぎに、端末９００は、セルｎに同期する（ステップＳ１００５）。つぎに、端末９００は、ステップＳ１００３によって受信した隣接セルリストを含むシステム情報に基づいて、ステップＳ１００５によって同期したセルｎが、Ｐセルとして接続可能なセルか否かを判断する（ステップＳ１００６）。Ｐセルとして接続可能なセルでない場合（ステップＳ１００６：Ｎｏ）は、端末９００は、ステップＳ１００９へ移行する。
【０２５５】
ステップＳ１００６において、Ｐセルとして接続可能なセルである場合（ステップＳ１００６：Ｙｅｓ）は、端末９００は、セルｎの無線回線品質を測定する（ステップＳ１００７）。ステップＳ１００７によって測定される無線回線品質は、たとえばＲＳＲＱやＲＳＲＰなどである。
【０２５６】
つぎに、端末９００は、ステップＳ１００７によって測定した無線回線品質に基づくセルｎの受信品質評価結果を算出する（ステップＳ１００８）。受信品質評価結果の算出には、セルｎの優先度などの調整情報が用いられてもよい。セルｎの優先度などの情報は、たとえば、ステップＳ１００３によって受信したシステム情報に含まれているものとすることができる。または、セルｎの優先度などの情報は、たとえばステップＳ１００５の後にセルｎから受信したものであってもよい。
【０２５７】
つぎに、端末９００は、ｎをインクリメント（ｎ＝ｎ＋１）する（ステップＳ１００９）。つぎに、端末９００は、ｎがＫより大きくなったか否かを判断する（ステップＳ１０１０）。Ｋは、端末９００の接続候補のセルの数である。ｎがＫより大きくなっていない場合（ステップＳ１０１０：Ｎｏ）は、端末９００は、ステップＳ１００５へ戻る。
【０２５８】
ステップＳ１０１０において、ｎがＫより大きくなった場合（ステップＳ１０１０：Ｙｅｓ）は、端末９００は、ステップＳ１００６においてＰセルとして接続可能なセルであると判断したセルの中から接続先のセルを選択する（ステップＳ１０１１）。接続先のセルの選択は、たとえばステップＳ１００８によって算出された受信品質評価結果の比較結果に基づいて行われる。
【０２５９】
つぎに、端末９００は、ステップＳ１０１１によって選択したセルに対するランダムアクセスなどの回線接続を実行し（ステップＳ１０１２）、一連のＰセル接続処理を終了する。ステップＳ１０１２における回線接続は、Ｐセルへの接続であるため、たとえば競合ベースのランダムアクセス（たとえば図７Ａ参照）によって行われる。
【０２６０】
たとえば、端末９００は、ステップＳ１０１１によって選択したセルに対して再び同期をとり、選択したセルから回線接続に関するシステム情報を受信する。このシステム情報には、たとえば、使用可能なランダムアクセスプリアンブルの組、ランダムアクセスプリアンブルの送信フォーマット、ランダムアクセスプリアンブルの送信タイミング、ランダムアクセスプリアンブルの送信電力の初期値などが含まれる。これらの情報は、ＬＴＥシステムにおいては、たとえば３ＧＰＰのＴＳ３６．３３１で定義されたＳＩＢ２に含まれている。
【０２６１】
端末９００は、このＳＩＢ２に含まれる回線接続のための情報に基づいて、たとえば図７Ａに示した競合ベースのランダムアクセスを開始する。このとき、ランダムアクセスプリアンブルは、端末９００を識別するための情報として使用される。また、端末９００は、競合ベースのランダムアクセスに、ＲＡＣＨ（Ｒａｎｄｏｍ  Ａｃｃｅｓｓ  ＣＨａｎｎｅｌ：ランダムアクセスチャネル）またはＰＲＡＣＨ（Ｐｈｙｓｉｃａｌ  ＲＡＣＨ：物理ランダムアクセスチャネル）の設定情報を用いてもよい。
【０２６２】
図１０に示した例では、たとえば、ステップＳ１００５，Ｓ１００６の順序を入れ替えてもよい。これにより、Ｐセルとして接続可能でないセルについては同期しないようにすることができる。また、たとえばステップＳ１００７において、セルｎに同期していなくても測定可能な無線回線品質を測定する場合（たとえば包絡線検波に基づく無線回線品質）は、ステップＳ１００５を省いてもよい。
【０２６３】
このように、隣接セルがＰセルとして接続可能か否かを示す情報を含む隣接セルリストを用いることで、たとえばＰセルとして接続できないセルを選択して接続することを抑制し、Ｐセルとして最適なセルを選択して接続することが可能となる。なお、ここで最適なセルとは、受信電力が最も高い基地局であってもよいし、受信信号品質が最もよいセルであってもよい。また、受信電力と受信信号品質の両方を考慮して最適なセルを選択することもできる。
【０２６４】
また、たとえば図１０に示したように、隣接セルがＰセルとして接続可能か否かを示す情報を含む隣接セルリストを用いることで、Ｐセルとして接続可能でないセルについての無線回線品質の測定を行わないようにすることができる。これにより、無線回線品質の測定の効率化を図ることができる。たとえば、測定や算出の処理量の低減、セル選択対象の削減による選択処理量の低減を図ることができる。これにより、たとえばセル選択の時間短縮や伝送速度などを向上させることができる。
【０２６５】
（端末によるＳセル接続処理）
図１１は、端末によるＳセル接続処理の一例を示すフローチャートである。端末９００は、たとえば図１０に示したＰセル接続処理によってＰセル（たとえば基地局５１１）に接続した状態で、Ｓセル接続処理として、たとえば図１１に示す各ステップを実行する。
【０２６６】
まず、端末９００は、Ｐセルの隣接セルのセル情報をＰセルから受信する（ステップＳ１１０１）。Ｐセルの隣接セルは、端末９００のＳセルの候補となるセルである。セル情報は、たとえばＰセルの配下の各小セルの周波数、帯域幅、セルＩＤなどのシステム情報などを含んでいてもよい。
【０２６７】
つぎに、端末９００は、無線回線品質の測定を要求する無線回線品質測定要求をＰセルから受信する（ステップＳ１１０２）。なお、たとえば端末９００が無線回線品質の測定を周期的に行う場合は、ステップＳ１１０２を省いた処理としてもよい。
【０２６８】
つぎに、端末９００は、ｎを初期化（ｎ＝１）する（ステップＳ１１０３）。ｎは、ステップＳ１１０１によって受信したセル情報が示す接続候補のセルのインデックスを格納する変数である。つぎに、端末９００は、セルｎに同期する（ステップＳ１１０４）。ステップＳ１１０４による同期は、たとえばステップＳ１１０１によって受信したセル情報に含まれる周波数、帯域幅、セルＩＤなどに基づいて行うことができる。
【０２６９】
つぎに、端末９００は、ステップＳ１１０４によって同期したセルｎが、Ｓセルとして接続可能なセルか否かを判断する（ステップＳ１１０５）。ステップＳ１１０５における判断は、たとえば、図１０に示したステップＳ１００３によって受信した隣接セルリストを含むシステム情報に基づいて行うことができる。Ｓセルとして接続可能なセルでない場合（ステップＳ１１０５：Ｎｏ）は、端末９００は、ステップＳ１１０８へ移行する。
【０２７０】
ステップＳ１１０５において、Ｓセルとして接続可能なセルである場合（ステップＳ１１０５：Ｙｅｓ）は、端末９００は、セルｎの無線回線品質を測定する（ステップＳ１１０６）。ステップＳ１１０６によって測定される無線回線品質は、たとえばＲＳＲＱやＲＳＲＰなどである。ステップＳ１１０６による無線回線品質の測定は、たとえばステップＳ１１０１によって受信したセル情報に含まれる周波数、帯域幅、セルＩＤなどに基づいて行うことができる。つぎに、端末９００は、ステップＳ１１０６による無線回線品質の測定結果を、接続中のＰセルへ送信する（ステップＳ１１０７）。
【０２７１】
つぎに、端末９００は、ｎをインクリメント（ｎ＝ｎ＋１）する（ステップＳ１１０８）。つぎに、端末９００は、ｎがＫより大きくなったか否かを判断する（ステップＳ１１０９）。Ｋは、ステップＳ１１０１によって受信したセル情報が示す端末９００の接続候補のセルの数である。ｎがＫより大きくなっていない場合（ステップＳ１１０９：Ｎｏ）は、端末９００は、ステップＳ１１０４へ戻る。
【０２７２】
ステップＳ１１０９において、ｎがＫより大きくなった場合（ステップＳ１１０９：Ｙｅｓ）は、端末９００は、Ｓセル追加要求をＰセルから受信する（ステップＳ１１１０）。Ｓセル追加要求は、ステップＳ１１０７によって送信した測定結果に基づいてＰセルが選択したセルをＳセルとして追加することを端末９００に要求する制御信号である。
【０２７３】
つぎに、端末９００は、ステップＳ１１１０によって受信したＳセル追加要求に基づくランダムアクセスなどの回線接続を実行し（ステップＳ１１１１）、一連のＳセル接続処理を終了する。ステップＳ１１１１における回線接続は、Ｓセルへの接続であるため、たとえば非競合ベースのランダムアクセス（たとえば図７Ｂ参照）によって行われる。
【０２７４】
たとえば、Ｓセル追加要求には、接続先のＳセルにおいて利用可能な非競合ベースのランダムアクセスの個別プリアンブルが含まれる。端末９００は、Ｓセル追加要求に含まれる個別プリアンブルを用いて非競合ベースのランダムアクセスを行うことで、Ｐセルによって選択されたＳセルに接続することができる。
【０２７５】
（基地局によるＳセル選択処理）
図１２は、基地局（Ｐセル）によるＳセル選択処理の一例を示すフローチャートである。端末９００がＰセルとして接続している基地局８００（たとえば基地局５１１）は、端末９００のためのＳセル選択処理として、たとえば図１２に示す各ステップを実行する。
【０２７６】
まず、基地局８００は、自セルの隣接セル（たとえば基地局５３１のセル）のセル情報を端末９００へ送信する（ステップＳ１２０１）。つぎに、基地局８００は、無線回線品質の測定を要求する無線回線品質測定要求を端末９００へ送信する（ステップＳ１２０２）。なお、たとえば端末９００が無線回線品質の測定を周期的に行う場合は、ステップＳ１２０２を省いた処理としてもよい。つぎに、基地局８００は、たとえば図１１に示したステップＳ１１０７によって端末９００から送信される無線回線品質の測定結果を受信する（ステップＳ１２０３）。
【０２７７】
つぎに、基地局８００は、ステップＳ１２０３によって受信した測定結果に基づく受信品質評価結果を算出する（ステップＳ１２０４）。受信品質評価結果の算出には、たとえば隣接セル情報などに含まれる各セルの優先度やオフセットなどが用いられる。
【０２７８】
つぎに、基地局８００は、端末９００がＳセルとして接続可能なセルの中から、端末９００の接続先のセルを選択する（ステップＳ１２０５）。接続先のセルの選択は、たとえばステップＳ１２０４で算出された受信品質評価結果の比較結果に基づいて行われる。たとえば、基地局８００は、受信品質評価結果が最も高いセルや、受信品質評価結果が閾値以上のセルのうちのいずれかを、接続先のセルに選択する。
【０２７９】
つぎに、基地局８００は、ステップＳ１２０５によって選択したセル（たとえば基地局５３１）へ、端末９００が接続するための接続情報を要求する接続情報要求を送信する（ステップＳ１２０６）。接続情報には、たとえば非競合ベースのランダムアクセスの個別プリアンブルが含まれる。この個別プリアンブルは、特定の期間において特定の端末のみが使用可能なランダムアクセスプリアンブルであり、個別ランダムアクセスプリアンブルとも呼ばれる。
【０２８０】
つぎに、基地局８００は、ステップＳ１２０５によって選択したセルから、ステップＳ１２０６によって送信した接続情報要求に対する接続情報を受信する（ステップＳ１２０７）。つぎに、基地局８００は、ステップＳ１２０７によって受信した個別プリアンブルなどの接続情報を含むＳセル追加要求であってＳセルの追加を要求するＳセル追加要求を端末９００へ送信し（ステップＳ１２０８）、一連のＳセル選択処理を終了する。
【０２８１】
なお、Ｓセルとして接続可能なセルの中には、下り回線のみしかなく上り回線の設定がないセルも存在する。下りしかないセルでは、上り送信が不可能であることからランダムアクセスを実施することが不可能である。この場合、ランダムアクセスを実施せず、下り回線を設定追加することで、回線接続を実施する。
【０２８２】
（端末によるＳセル接続処理の変形例）
図１３は、端末によるＳセル接続処理の変形例を示すフローチャートである。端末９００は、たとえば図１０に示したＰセル接続処理によってＰセルに接続した状態で、Ｓセル接続処理として、たとえば図１３に示す各ステップを実行してもよい。
【０２８３】
まず、端末９００は、ステップＳ１３０１において、Ｓセル情報をＰセルから受信する（ステップＳ１３０１）。Ｓセル情報は、Ｐセルの隣接セルであって、Ｓセルとして接続可能なセルを示す情報である。
【０２８４】
図１３に示すステップＳ１３０２〜Ｓ１３０４は、図１１に示したステップＳ１１０２〜Ｓ１１０４と同様である。ステップＳ１３０４のつぎに、端末９００は、セルｎの無線回線品質を測定する（ステップＳ１３０５）。ステップＳ１３０５によって測定される無線回線品質は、たとえばＲＳＲＱやＲＳＲＰなどである。図１３に示すステップＳ１３０６〜Ｓ１３１０は、図１１に示したステップＳ１１０７〜Ｓ１１１１と同様である。
【０２８５】
このように、端末９００は、Ｓセルとして接続可能なセルを示すＳセル情報を受信することで、各セルについてＳセルとして接続可能か否かを判断しなくても、Ｓセルとして接続可能なセルについてのみ無線回線品質を測定し、Ｓセルを選択することができる。
【０２８６】
（基地局によるＳセル選択処理の変形例）
図１４は、基地局（Ｐセル）によるＳセル選択処理の変形例を示すフローチャートである。端末９００が図１３に示したＳセル接続処理を行う場合は、端末９００がＰセルとして接続している基地局８００は、端末９００のためのＳセル選択処理として、たとえば図１４に示す各ステップを実行する。
【０２８７】
まず、基地局８００は、Ｓセル情報を端末９００へ送信する（ステップＳ１４０１）。Ｓセル情報は、自セルの隣接セルのうちのＳセルとして接続可能であるセルを示す情報である。Ｓセル情報は、たとえば基地局８００が隣接セルから受信した隣接セル情報などに基づいて生成することができる。図１４に示すステップＳ１４０２〜Ｓ１４０８は、図１２に示したステップＳ１２０２〜Ｓ１２０８と同様である。
【０２８８】
図１３，図１４に示したように、Ｓセルとして接続可能なセルを基地局８００から端末９００へ通知してもよい。これにより、端末９００が各セルについてＳセルとして接続可能か否かを判断しなくても、Ｓセルとして接続可能なセルについてのみ無線回線品質を測定し、Ｓセルを選択することができる。
【０２８９】
また、Ｓセルとして接続可能でないセルを基地局８００から端末９００へ通知してもよい。この場合は、端末９００は、基地局８００から通知されたＳセルとして接続可能でないセルを無線回線品質の測定対象から除外する。
【０２９０】
（隣接セルリスト）
図１５は、隣接セルリストの一例を示す図である。基地局８００がシステム情報に含めて報知する隣接セルリストには、たとえば図１５に示す隣接セルリスト１５００を用いることができる。隣接セルリスト１５００は、「セルＩＤ」と、「ＣＡ実施」と、「ＨＣＳ実施」と、「Ｐセルとして接続」と、「Ｓセルとして接続」と、を含む。なお、「説明」は説明の便宜上図示しているものであり、隣接セルリスト１５００から省いてもよい。
【０２９１】
「セルＩＤ」は、対象の隣接セルの識別情報である。
【０２９２】
「ＣＡ実施」は、対象の隣接セルにおいてキャリアアグリゲーションが実施されるか否かを示す情報である。図１５に示す例では、「ＣＡ実施」の“１”はキャリアアグリゲーションが実施されることを示し、「ＣＡ実施」の“０”はキャリアアグリゲーションが実施されないこと（未実施）を示す。
【０２９３】
「ＨＣＳ実施」は、対象の隣接セルにおいて階層化セル構成（ＨＣＳ）による通信が実施されるか否かを示す情報である。図１５に示す例では、「ＨＣＳ実施」の“１”は階層化セル構成による通信が実施されることを示し、「ＨＣＳ実施」の“０”は階層化セル構成による通信が実施されないこと（未実施）を示す。
【０２９４】
「Ｐセルとして接続」は、対象の隣接セルがＰセルとして接続可能か否かを示す情報である。図１５に示す例では、「Ｐセルとして接続」の“１”はＰセルとして接続可能（可）であることを示し、「Ｐセルとして接続」の“０”はＰセルとして接続不能（不可）であることを示す。
【０２９５】
「Ｓセルとして接続」は、対象の隣接セルがＳセルとして接続可能か否かを示す情報である。図１５に示す例では、「Ｓセルとして接続」の“１”はＳセルとして接続可能（可）であることを示し、「Ｓセルとして接続」の“０”はＳセルとして接続不能（不可）であることを示す。
【０２９６】
端末９００は、たとえば基地局８００から受信した隣接セルリスト１５００に基づいてセル選択を行う。たとえば、端末９００は、キャリアアグリゲーションが実施されかつ階層化セル構成であるエリアで回線接続を実施する場合に、「ＣＡ実施」、「ＨＣＳ実施」および「Ｐセルとして接続」がすべて“１”であるセルＩＤを隣接セルリスト１５００から取得する。図１５に示す例では、端末９００はたとえば“Ｉｄ１”および“Ｉｄ３”を取得する。そして、端末９００は、取得したセルＩＤが示す各セルについて無線回線品質を測定し、測定結果が良好なセルをＰセルに選択する。
【０２９７】
また、常にキャリアアグリゲーションが実施されるシステムにおいては、たとえば隣接セルリスト１５００から「ＣＡ実施」の項目を省いてもよい。また、常に階層化セル構成となるシステムにおいては、たとえば隣接セルリスト１５００から「ＨＣＳ実施」の項目を省いてもよい。
【０２９８】
図１６は、隣接セルリストの変形例１を示す図である。図１６に示すように、隣接セルリスト１５００から「Ｓセルとして接続」の項目を省いてもよい。なお、図１６に示す例では隣接セルリスト１５００の「説明」も省いている。
【０２９９】
たとえば、図１３，図１４に示した例のように、端末９００が各セルについてＳセルとして接続可能か否かを判断しなくてもよい場合は、図１６に示す例のように隣接セルリスト１５００から「Ｓセルとして接続」の項目を省いても影響がない。
【０３００】
この場合に、たとえば、各隣接セルがＰセルおよびＳセルのいずれかでのみ接続可能である場合は、「Ｐセルとして接続」に基づいて各隣接セルがＳセルとして接続可能か否かを判断することができる。たとえば、「Ｐセルとして接続」が“１”である隣接セルはＳセルとして接続可能でないと判断することができる。また、「Ｐセルとして接続」が“０”である隣接セルはＳセルとして接続可能であると判断することができる。
【０３０１】
図１７は、隣接セルリストの変形例２を示す図である。図１７に示すように、たとえば図１６に示した隣接セルリスト１５００において、「Ｐセルとして接続」の項目に代えて「Ｐ／Ｓセルとして接続」の項目を含めてもよい。「Ｐ／Ｓセルとして接続」の“１”は、Ｐセルとして接続可能（Ｐセル可）であることを示す。この場合に、Ｓセルとして接続可能であるか否かは問わない。「Ｐ／Ｓセルとして接続」の“０”は、Ｓセルとしてのみ接続可能である（Ｓセルのみ可）であることを示す。
【０３０２】
また、隣接セルリストは、図１５〜図１７に示した隣接セルリスト１５００に限らず、隣接セルがＰセルまたはＳセルとして接続可能であるかを示す各形態の隣接セルリストとすることができる。
【０３０３】
このように、実施の形態２によれば、階層化セル構成において、たとえばＰセルでの接続が可能であることを示す情報を、基地局８００が報知する隣接セルリストに含めることで、端末９００におけるＰセルなどの選択誤りを抑制することができる。
【０３０４】
以上説明したように、無線通信システム、基地局および端末によれば、セルの誤選択を抑制することができる。
【０３０５】
たとえば、従来、基地局は、階層化セル構成における優先度やセル選択におけるオフセットをセル選択情報として端末に通知していた。しかしながら、優先度やオフセットを用いて小セルが選択されるようにしたとしても、小セルが選択されるとは限らないという問題があった。特に、図５Ｂに示すように、階層化セル構成において大セルをＰセル、小セルをＳセルとして通信が行われる場合は、小セルがＰセルに選択されてしまうと、目的にあった通信の形態とならなくなってしまう。
【０３０６】
たとえば、小セルの近辺では遠方の大セルよりも小セルの方が、受信強度が大きくなる場合があり、単純に受信強度の大きさに基づいてＰセルを選択したのでは、大セルをＰセルにすることができるとは限らない。また、優先度に応じて測定結果を調整する従来の方法では、大セル（マクロ基地局）と端末の位置関係（遠近）によって小セルに対する大セルのプライオリティを異ならせることが求められる。しかし、プライオリティなどの設定情報をブロードキャスト配信する関係上、同じ内容のものしか送信できない。
【０３０７】
以下、これらの問題について詳細に説明する。
【０３０８】
＜Ｐセルの選択誤り＞
受信電力を基にセル選択を実施する場合を例として説明する。たとえば、セルの優先度を用いる場合、優先度が数値化、数値が大きいほど優先度が高いとする。このとき、セルの優先度と受信電力を乗算した値を基に、セル選択を実施するとする。この場合は、たとえば同じ受信電力であれば優先度が高いセルが選択される。
【０３０９】
しかし、この場合、優先度が低く受信電力が高いセルと、優先度が高く受信電力が低いセルで、選択されるセルが異なる場合が想定される。すなわち、優先度が高いセルが選択されるとは限らない。
【０３１０】
また、上述のように、従来、端末の低消費電力化や周波数利用効率の改善のために、小セルに対して優先的に接続することが目的となっている。すなわち、小セルの優先度が大セルの優先度と比較して高く設定される。また、小セルのオフセットが大セルのオフセットと比較して大きく設定される。よって、小セルが優先的にＰセルとして選択されてしまう場合がある。
【０３１１】
小セルをＰセルとして選択し、小セルではデータのみ伝送するとされていた場合、ランダムアクセスにより回線接続後の制御信号を受信できなくなり、Ｓセルの追加などの回線設定に支障が生じる。なお、受信電力とオフセットを用いてセル選択した場合についても、同様に、小セルがＰセルとして選択される場合もある。
【０３１２】
これらの問題は、従来の優先度やオフセットが、大セルがＰセルであり小セルがＳセルとなるとの制限がない階層化セル構成を前提としているために生じる問題点である。
【０３１３】
＜Ｓセルの選択誤り＞
仮に大セルをＰセルとして選択できた場合に、続いて小セルをＳセルとして選択することになる。Ｓセルの選択においても、Ｐセルの選択と同様に、セルの優先度やオフセットが用いられる。ここで、従来の優先度やオフセットは、１つのセルを選択するためのものであり、複数のセルを利用するためのものではない。
【０３１４】
しかし、Ｐセルの選択のために設定された優先度やオフセットがＳセルの選択においても用いられることとなる。この結果、大セルがＳセルとして選択される場合があり、階層化セル構成とした意味がないものとなってしまう。
【０３１５】
＜１つのオフセットしか設定できないため生じる問題＞
まず、１つのオフセットしか設定できない場合について説明する。たとえば、キャリアアグリゲーションを実施し、マクロセルをＰセル、ピコセルをＳセルとする場合のセル選択時に、Ｐセルを優先的に選択するように、Ｐセルからの受信電力に加算するオフセットを設定している場合を考える。なお、このオフセットは、キャリアアグリゲーションの実施の有無に係わらず設定されるものとする。
【０３１６】
キャリアアグリゲーションを実施し、マクロセル（Ｐセル）を優先的に選択する場合について説明する。この場合は、（端末とマクロセルとの間の距離）＞（端末とピコセルとの間の距離）となったときに、距離に依存して伝搬損が生じる環境ではマクロセルからの受信電力ＲX_macroよりもピコセルからの受信電力ＲX_picoが高くなる。
【０３１７】
このため、マクロセルを選択するように、マクロセルからの受信電力オフセット（Ｏｆｆｓｅｔ）が設定されているにも係わらず、ＲX_macro＋Ｏｆｆｓｅｔ＜ＲX_picoとなってしまい、選択すべきマクロセルではなくピコセルを選択してしまう場合がある。さらに、（端末とマクロセルとの間の距離）＞（端末とピコセルとの間の距離）の場合であっても、同様にピコセルが選択されてしまう場合がある。
【０３１８】
また、キャリアアグリゲーションを実施せず、上述したオフセットを設定している場合を考える。（端末とマクロセルとの間の距離）＞（端末とピコセルとの間の距離）となった場合は、マクロセルの受信電力がピコセルの受信電力より小さくても、オフセットを加算することによりマクロセルが選択される。
【０３１９】
しかし、キャリアアグリゲーションを実施していないため、マクロセルとピコセルの両方に接続するのではなく、どちらか一方を選択し回線設定を実施すればよい。さらに、ピコセルからの受信電力が高いため、ピコセルとの無線回線品質は、マクロセルとの無線回線品質より良好である。このため、ピコセルを選択すべきである。
【０３２０】
しかしながら、キャリアアグリゲーションを実施するためのマクロセルを優先的に選択するようになってしまい、無線回線品質（または無線伝送速度）の悪いマクロセルと接続することになってしまう。
【０３２１】
このように、ある１つのセルに対してオフセットを設定しても必ずしも意図したようにセル選択を実施できない場合がある。さらに、ある１つのセルに対してオフセットを１つしか設定できないとしてしまうと、キャリアアグリゲーションの実施の有無など切り換えに対応できず、柔軟な運用が困難になる。
【０３２２】
＜１つの優先度しか設定できないため生じる問題＞
つぎに、１つの優先度しか設定できない場合について説明する。キャリアアグリゲーションを実施し、マクロセルをＰセル、ピコセルをＳセルとする場合のセル選択時に、Ｐセルを優先的に選択するように、マクロセルの優先度をピコセルの優先度より高く設定した場合を考える。
【０３２３】
ここでは、説明の簡略化のために、マクロセルの優先度を２、ピコセルの優先度を１とし、受信電力に優先度を乗算する場合について説明する。まず、キャリアアグリゲーションを実施し、マクロを優先的に選択する場合について説明する。
【０３２４】
この場合は、（端末とマクロセルとの間の距離）＞（端末とピコセルとの間の距離）となった場合、距離に依存して伝搬損が生じる環境ではマクロからの受信電力ＲX_macroよりもピコセルからの受信電力ＲX_picoが高くなる。これに対して、マクロセルを選択するように、マクロセルに対してピコセルよりも高い優先度を設定する。
【０３２５】
しかしながら、ＲX_macro×Ｐri_macro＜ＲX_pico×Ｐri_picoとなってしまい、選択すべきマクロセルではなくピコセルを選択してしまう場合がある。なお、Ｐri_macroはマクロセルの優先度であり、Ｐri_picoはピコセルの優先度である。たとえば、マクロセルの優先度が２、ピコセルの優先度が１であれば、マクロセルの受信電力がピコセルの受信電力の１／２以下のときにピコセルを選択してしまう場合がある。
【０３２６】
また、キャリアアグリゲーションを実施せずに優先度を設定している場合を考える。（端末とマクロセルとの間の距離）＞（端末とピコセルとの間の距離）となった場合は、マクロセルの受信電力がピコセルの受信電力より小さい場合であっても優先度によってマクロセルが選択される。
【０３２７】
しかし、キャリアアグリゲーションを実施していないため、マクロセルとピコセルの両方に接続するのではなく、どちらか一方を選択し回線設定を実施すればよい。さらに、ピコセルからの受信電力が高いため、ピコセルとの無線回線品質は、マクロセルとの無線回線品質より良好である。このため、ピコセルを選択すべきである。
【０３２８】
しかしながら、キャリアアグリゲーションを実施するためのマクロセルを優先的に選択するようになってしまい、無線回線品質（または無線伝送速度）の悪いマクロセルと接続することになってしまう。
【０３２９】
このように、ある１つのセルに対して優先度を設定しても、意図したようにセルが選択されない場合がある。さらに、ある１つのセルに対して優先度を１つしか設定できないとしてしまうと、キャリアアグリゲーションの実施の有無など切り換えに対応できず、柔軟な運用が困難になる。
【０３３０】
＜セル再選択時にＰセルとして使用可能なセルを選択できない場合＞
上記にて、発呼に際してのセル選択について説明した。これに対して、端末が、あるセルに対してキャンプオン（Ｃａｍｐ  Ｏｎ）状態であり、一定時間以上連続してデータ受信を実施しない場合、そのセルに対する待ち受けを停止する場合、端末の移動によりそれ以前のセルとは異なる場所に移動した場合がある。これらの場合に、回線を更新または再設定することが求められ、そのためにセル再選択が実施される。セル再選択においても、セルの初回選択と同様に、Ｓセルとなるピコセルを選択し、そのピコセルに対して回線接続を要求する可能性がある。
【０３３１】
このように、従来、階層化セル構成としたことによるセルの誤選択の問題があった。これに対して、上述した各実施の形態によれば、階層化セル構成において、基地局が報知する隣接セルリストに、各隣接セルがＰセルまたはＳセルとして接続可能か否かを示す情報を含ませることで、端末におけるＰセルとＳセルの選択誤りを抑制することができる。
【０３３２】
また、Ｐセルとして接続可能なセルが端末において特定できるため、無線回線品質の測定および算出の対象を限定でき、処理量を削減することができる。さらには、セル選択の対象の数が減るため、選択処理を削減することができる。このため、より短時間でのセル選択が可能となり、伝送速度の向上を図ることができる。
【０３３３】
なお、上述した各実施の形態においては、２つのコンポーネントキャリア（すなわちＰセルとＳセルを１つずつ）でキャリアアグリゲーションを実施する場合について説明した。ただし、２つ目以降のＳセルを追加していくことで、３つ以上のコンポーネントキャリアでキャリアアグリゲーションを実施することもできる。
【０３３４】
また、本願発明をＬＴＥ−Ａｄｖａｎｃｅｄシステムに適用する場合について説明したが、本願発明は、たとえば階層化セル構成で複数のセル（帯域）を同時に用いて通信を行うシステムに適用することができる。このようなシステムには、一例としてはＷ−ＣＤＭＡのＤＣ−ＨＳＤＰＡや４Ｃ−ＨＳＤＰＡなどがある。
【０３３５】
また、３ＧＰＰではセルの大きな差が異なるセルが配置された構成をヘテロジニアスネットワーク（ＨｅｔＮｅｔ：Ｈｅｔｅｒｏｇｅｎｅｏｕｓ  Ｎｅｔｗｏｒｋ）と呼んでおり、階層化セル構成もヘテロジニアスネットワークである。すなわち、本願発明はヘテロジニアスネットワークに対して実施することも可能である。
【０３３６】
上述した実施の形態に関し、さらに以下の付記を開示する。
【０３３７】
（付記１）他のセルに付随させずに接続可能な第１種別のセルと、前記第１種別のセルに付随させることで接続可能な第２種別のセルと、を同時に用いた無線通信を行う端末と、
第１セルを形成し、前記第１セルと異なる前記第１種別の第２セルの識別情報を含み前記第２セルが前記第１種別のセルであることを報知する報知情報を前記第１セルにより送信する基地局と、
を含み、
前記端末は、前記基地局によって送信された前記報知情報に基づいて、前記第２セルを前記無線通信の前記第１種別のセルに選択する、
ことを特徴とするシステム。
【０３３８】
（付記２）１つ以上の基地局によって複数の前記第２セルが形成され、
前記端末は、前記報知情報に基づいて前記複数の第２セルを特定し、特定した前記複数の第２セルの前記端末における各無線回線品質の測定結果に基づいて、前記複数の第２セルの中から前記無線通信の前記第１種別のセルを選択する、
ことを特徴とする付記１に記載のシステム。
【０３３９】
（付記３）前記基地局は、前記第１セルと異なる前記第２種別の第３セルの識別情報を含み前記第３セルが前記第２種別のセルであることを報知する報知情報を送信することを特徴とする付記１または２に記載のシステム。
【０３４０】
（付記４）１つ以上の基地局によって複数の前記第３セルが形成され、
前記基地局は、前記端末に対して前記複数の第３セルの前記端末における各無線回線品質の測定を要求し、前記複数の第３セルのうち少なくとも１つの第３セルを前記端末が接続する第３セルとして通知する、
ことを特徴とする付記３に記載のシステム。
【０３４１】
（付記５）１つ以上の基地局によって複数の前記第３セルが形成され、
前記端末は、前記報知情報に基づいて前記複数の第３セルを特定し、特定した前記複数の第３セルの前記端末における各無線回線品質の測定結果に基づいて、前記複数の第３セルの中から前記無線通信の前記第２種別のセルを選択する、
ことを特徴とする付記３に記載のシステム。
【０３４２】
（付記６）前記無線通信は、前記第１種別のセルと、前記第１種別のセルに少なくとも一部が含まれる前記第２種別のセルと、を同時に用いた無線通信であることを特徴とする付記１〜５のいずれか一つに記載のシステム。
【０３４３】
（付記７）前記無線通信はキャリアアグリゲーションであり、
前記第１種別のセルはプライマリセルであり、
前記第２種別のセルはセカンダリセルである、
ことを特徴とする付記１〜６のいずれか一つに記載のシステム。
【０３４４】
（付記８）前記基地局は、前記第２セルを形成することを特徴とする付記１〜７のいずれか一つに記載のシステム。
【０３４５】
（付記９）端末が、他のセルに付随させずに接続可能な第１種別のセルと、前記第１種別のセルに付随させることで接続可能な第２種別のセルと、を同時に用いた無線通信を行うシステムにおいて第１セルを形成する基地局であって、
前記第１セルと異なる前記第１種別の第２セルの識別情報を含み前記第２セルが前記第１種別のセルであることを報知する報知情報を生成する生成部と、
前記生成部によって生成された前記報知情報を前記第１セルにより送信する送信部と、
を備えることを特徴とする基地局。
【０３４６】
（付記１０）他のセルに付随させずに接続可能な第１種別のセルと、前記第１種別のセルに付随させることで接続可能な第２種別のセルと、を同時に用いた無線通信を行う端末であって、
第１セルから、前記第１セルと異なる第２セルの識別情報を含み前記第２セルが前記第１種別のセルであることを報知する報知情報を受信する受信部と、
前記受信部によって受信された前記報知情報に基づいて、前記第２セルを前記無線通信の前記第１種別のセルに選択する制御部と、
を備えることを特徴とする端末。
【０３４７】
（付記１１）他のセルに付随させずに接続可能な第１種別のセルと、前記第１種別のセルに付随させることで接続可能な第２種別のセルと、を同時に用いた無線通信を行う端末と、
第１セルを形成し、前記第１セルと異なる前記第２種別の第２セルの識別情報を含み前記第２セルが前記第２種別のセルであることを報知する報知情報を前記第１セルにより送信する基地局と、
を含み、
前記端末は、前記基地局によって送信された前記報知情報に基づいて、前記第２セルを前記無線通信の前記第２種別のセルに選択する、
ことを特徴とするシステム。
【０３４８】
（付記１２）端末が、他のセルに付随させずに接続可能な第１種別のセルと、前記第１種別のセルに付随させることで接続可能な第２種別のセルと、を同時に用いた無線通信を行うシステムにおいて第１セルを形成する基地局であって、
前記第１セルと異なる前記第２種別の第２セルの識別情報を含み前記第２セルが前記第２種別のセルであることを報知する報知情報を生成する生成部と、
前記生成部によって生成された前記報知情報を前記第１セルにより送信する送信部と、
を備えることを特徴とする基地局。
【０３４９】
（付記１３）他のセルに付随させずに接続可能な第１種別のセルと、前記第１種別のセルに付随させることで接続可能な第２種別のセルと、を同時に用いた無線通信を行う端末であって、
第１セルと異なる第２セルの識別情報を含み前記第２セルが前記第２種別のセルであることを報知する報知情報を前記第１セルから受信する受信部と、
前記受信部によって受信された前記報知情報に基づいて、前記第２セルを前記無線通信の前記第２種別のセルに選択する制御部と、
を備えることを特徴とする端末。
【符号の説明】
【０３５０】
１００  システム
１１０，１２０，２２１〜２２３，５１１，５３１〜５３８，８００  基地局
１１１  生成部
１１２，８３０，９３０  送信部
１３０，５０１，９００  端末
１３１，８１０，９１０  受信部
１３２，８２０，９２０  制御部
２００，５００  通信システム
２１１，２１２  ＭＭＥ／Ｓ−ＧＷ
３１０，３２０  帯域
５２１  大セル
５４１〜５４８  小セル
８０１，９０１  アンテナ
８１１，９１１  受信無線部
８１２，９１２  復調・復号部
８１３  無線回線品質情報抽出部
８１４，９１４  無線回線制御情報抽出部
８２１，９２４  無線回線制御部
８２２  システム情報管理・記憶部
８３１  システム情報作成部
８３２  同期信号作成部
８３３  パイロット作成部
８３４  無線回線制御情報作成部
８３５，９３３  符号化・変調部
８３６，９３４  送信無線部
８４０，９４０  通信装置
８４１，９４１  ＬＳＩ
８４２，９４２  ＤＳＰ
８４３，９４３  メモリ
８４４  通信インタフェース
９１３  システム情報抽出部
９１５  同期信号抽出部
９１６  セルＩＤ抽出部
９１７  パイロット算出部
９１８  無線回線品質測定・算出部
９１９  パイロット抽出部
９２１  同期制御部
９２２  端末設定制御部
９２３  システム情報記憶部
９２５  セル選択制御部
９３１  無線回線品質情報作成部
９３２  無線回線制御信号作成部
９４４  表示部
９４５  マイク
９４６  拡声器
１５００  隣接セルリスト
【国際調査報告】
2015155898.tif 000059
2015155898.tif 000060